(57)【要約】  荷物受領ロッカー（ＰＲＬ）は、折畳式ロッカー部及びドア取付構造を有することがある。ＰＲＬは、所与のＰＲＬを保管するため、又は別法として所与のＰＲＬの設置面積を最小にするために、実質的に折り畳んだ構成で存在することがあり、これらのＰＲＬは、安全な物体の保存場所として作用するために、実質的に展開した（広げた）構成で存在することがある。構成（展開した又は折り畳んだ）に拘わらず、ＰＲＬは、所与のドアの作動を損なわないような方法で、ドア取付構造を備えた側面ヒンジドアに取り外し可能に取り付けられることがある。ＰＲＬは、アクセス（例えば折畳式ロッカーのロック及びロック解除）、配達確認、並びに窃盗の軽減を促進するために、様々な電子機器を有することがある。これらの電子機器は、特殊なソフトウェアと共に、意図した受領者（例えば購入者）、荷送／配達人（若しくは荷送／配達ロボット）、及び／又は販売人／売主が、ＰＲＬに制御され文書化された手法でアクセスできることがある。これらの電子機器の少なくとも一部は、他の電子機器装置と無線通信することがある。【選択図】図３４Ａ
2021526433.tif 000002
【特許請求の範囲】
【請求項１】
物体を一時保管するための荷物受領ロッカーであって、前記荷物受領ロッカーは側面ヒンジドアに取り付け可能であり、
実質的に折り畳んだ構成及び実質的に広げた構成の、２つの作動構成のそれぞれに存在する折畳式容器であって、前記折畳式容器は、硬質である少なくとも１つの壁を含む、折畳式容器と、
ドア取付構造であって、前記ドア取付構造の少なくとも一部は、前記折畳式容器の前記少なくとも１つの壁に取り付けられ、前記ドア取付構造の他方の異なる部分は、前記側面ヒンジドアに取り付けられる、ドア取付構造と、を含み、
前記折畳式容器が前記実質的に広げた構成にある時に、前記折畳式容器は、前記物体を前記一時保管するための実質的な空隙である主要内部容積を有する、荷物受領ロッカー。
【請求項２】
前記折畳式容器は、前記折畳式容器の前記主要内部容積にアクセスするために単一の主要開口のみを有し、前記物体は、前記単一の主要開口を介して前記折畳式容器に入り、前記折畳式容器から出る、請求項１に記載の荷物受領ロッカー。
【請求項３】
前記折畳式容器は少なくとも１つの蓋を含み、前記単一の主要開口へのアクセスは、前記少なくとも１つの蓋によって制御され、前記少なくとも１つの蓋は、前記少なくとも１つの壁にヒンジで取り付けられ、前記少なくとも１つの蓋は、閉じた構成及び実質的に開いた構成の、２つの作動構成のそれぞれに存在し、前記少なくとも１つの蓋が前記閉じた構成にある時に、前記少なくとも１つの蓋は、前記単一の主要開口に意図しないアクセスを防ぐためにロック可能である、請求項２に記載の荷物受領ロッカー。
【請求項４】
前記少なくとも１つの壁は、少なくとも１つの後壁、少なくとも１つの前壁、少なくとも２つの対向する側壁、少なくとも１つの床面、及び少なくとも１つの蓋を含み、前記少なくとも１つの後壁、前記少なくとも１つの前壁、前記少なくとも２つの対向する側壁、前記少なくとも１つの床面、及び前記少なくとも１つの蓋は、全てが一緒に実質的に前記折畳式容器の前記主要な内部容積の境界となって閉囲する、請求項１に記載の荷物受領ロッカー。
【請求項５】
前記少なくとも１つの後壁は、前記少なくとも１つの蓋、前記少なくとも２つの対向する側壁、及び前記少なくとも１つの床面にヒンジで取り付けられ、前記少なくとも１つの前壁は、前記少なくとも２つの対向する側壁にヒンジで取り付けられる、請求項４に記載の荷物受領ロッカー。
【請求項６】
前記折畳式容器は、前記少なくとも１つの壁にヒンジで取り付けられる少なくとも１つの蓋を含み、前記折畳式容器が前記実質的に折り畳んだ構成にある時に、前記少なくとも１つの蓋は、前記折畳式容器が前記実質的に広げた構成に意図しないで展開するのを防ぐためにロック可能である、請求項１に記載の荷物受領ロッカー。
【請求項７】
前記折畳式容器は、前記少なくとも１つの壁にヒンジで取り付けられる少なくとも１つの蓋を含み、前記折畳式容器が前記実質的に折り畳んだ構成にある時、又は前記折畳式容器が前記実質的に広げた構成にある時、前記少なくとも１つの蓋は開くことができる、請求項１に記載の荷物受領ロッカー。
【請求項８】
前記折畳式容器は、前記少なくとも１つの壁にヒンジで取り付けられる少なくとも１つの蓋を含み、前記側面ヒンジドアが開いている、又は閉じている時、前記少なくとも１つの蓋は開くことができる、請求項１に記載の荷物受領ロッカー。
【請求項９】
前記側面ヒンジドアと前記ドア取付構造の前記他方の異なる部分との間の前記取付は、取り外し可能な取付である、請求項１に記載の荷物受領ロッカー。
【請求項１０】
前記ドア取付構造の前記少なくとも前記部分と、前記折畳式容器の前記少なくとも１つの壁との間の前記取付は、取り外し可能な取付である、請求項１に記載の荷物受領ロッカー。
【請求項１１】
前記ドア取付構造は、前記折畳式容器の対向する側面を超えて延在する少なくとも２つの対向するパネルを含み、前記少なくとも２つの対向するパネルは、前記側面ヒンジドアの幅によって前記側面ヒンジドアの対向する側面を係合するように構成される、請求項１に記載の荷物受領ロッカー。
【請求項１２】
前記ドア取付構造は、前記ドア取付構造の全長が、所定の範囲内で可変であるように、摺動して調節可能であり、前記ドア取付構造は、固定した所定の幅の異なる側面ヒンジドアに取り付けるように構成される、請求項１に記載の荷物受領ロッカー。
【請求項１３】
前記ドア取付構造は、前記側面ヒンジドアの両方の対向する側面を前記側面ヒンジドアの幅に関連して係合し、前記ドア取付構造は、前記側面ヒンジドアの底面とも係合する、請求項１に記載の荷物受領ロッカー。
【請求項１４】
前記折畳式容器は、前記ドア取付構造を介して前記側面ヒンジドアに取り付けられ、前記少なくとも１つの壁を含む前記折畳式容器の壁は、前記側面ヒンジドアと物理的に触れず、前記折畳式容器の前記壁は、前記主要な内部容積を実質的に閉囲して境界となる、請求項１に記載の荷物受領ロッカー。
【請求項１５】
前記折畳式容器は、前記ドア取付構造を介して前記側面ヒンジドアに取り付けられ、前記取付は、前記折畳式容器が前記側面ヒンジドアのヒンジ側面により近く、前記側面ヒンジドアの反対側の非ヒンジ側面から更に離れているように、固定して非対称に位置付けられ、前記側面ヒンジドアは完全に開くことができるままである、請求項１に記載の荷物受領ロッカー。
【請求項１６】
前記ドア取付構造は、中心レール及び２つの対向する端部ブラケットを含み、前記２つの対向する端部ブラケットは、前記中心レールの対向する端部に置かれ、前記少なくとも１つの壁に取り付けられる前記ドア取付構造の前記少なくとも前記部分は、前記中心レール上に置かれ、前記側面ヒンジドアに取り付けられる前記ドア取付構造の前記他方の異なる部分は、前記２つの対向する端部ブラケット上に置かれる、請求項１に記載の荷物受領ロッカー。
【請求項１７】
前記２つの対向する端部ブラケットは、前記側面ヒンジドアの対向する側面を係合して圧搾する、請求項１６に記載の荷物受領ロッカー。
【請求項１８】
前記２つの対向する端部ブラケット及び前記中心レールは、硬質である、請求項１６に記載の荷物受領ロッカー。
【請求項１９】
前記折畳式容器は、外部カメラ及び内部カメラの２つのカメラのそれぞれを含み、前記外部カメラは、前記折畳式容器の外部表面に置かれ、前記外部カメラは、前記折畳式容器の外部である所定の帯域を監視するために位置付けられて配向され、前記内部カメラは、前記折畳式容器が前記実質的に広げた構成にある時に、前記主要な内部容積内で前記折畳式容器の内部表面に置かれ、前記内部カメラは、前記折畳式容器の前記主要な内部容積を監視するために位置付けられて配向される、請求項１に記載の荷物受領ロッカー。
【請求項２０】
前記折畳式容器は、前記折畳式容器が前記側面ヒンジドアに取り付けられないように、前記側面ヒンジドアから取り外し可能に分離可能であり、前記折畳式容器が前記実質的に折り畳んだ構成にあり、前記側面ヒンジドアに取り付けられていない時、前記折畳式容器は、前記側面ヒンジドア又は別の側面ヒンジドアの背後に取り外し可能に保管できる、請求項１に記載の荷物受領ロッカー。
【発明の詳細な説明】
【技術分野】
【０００１】
優先通知
本ＰＣＴ国際特許出願は、以下の３つの現在係属中の米国特許出願、すなわち
（ａ）２０１９年５月１６日に出願した第１６／４１４，６３４号、
（ｂ）２０１９年１月２５日に出願した第６２／７９６，８０５号、及び
（ｃ）２０１８年５月１７日に出願した第６２／６７３，０７０号
の優先権を主張し、それらの開示は参照によってそれらの全体が本明細書に組み込まれる。
【０００２】
関連出願の相互参照
本出願は、いかなる他の関連分野の特許出願にも言及しない。
【０００３】
連邦政府の資金提供に関する記載
本発明のいずれの部分も、いかなる連邦政府の資金提供による研究開発による結果ではない。
【０００４】
発明の技術分野
本発明は、一般に折畳式ロッカーに関し、より詳細にはドアに取り付ける、又はドアの付近に置かれることがある折畳式ロッカーに関し、及び／又はこのようなドアに装着可能な折畳式ロッカーは、安全に降ろす収納場所として、又は安全に取り上げる収納場所として役立つスマートロッカーとしてドアに装着可能な折畳式ロッカーを与える様々な電子構成要素を有することがある。
【０００５】
著作権及び商標登録の表示
本特許出願の開示の一部は、著作権保護を受ける要素を含有していることがある。所有者は、特許商標庁の特許ファイル又は記録に表示されている形で、何人かによって特許書類又は特許開示が複製されることに対して異論を唱えないが、それ以外には全ての著作権を留保する。
【０００６】
本明細書に言及されたある特定の商標は、一般法或いは本出願人若しくは譲受人に属する又は属さない第三者の登録商標であってもよい。これらの商標の使用は、例であり、本発明の範囲をこのような商標のみに関連した要素に記載又は限定すると解釈するべきではない。
【背景技術】
【０００７】
発明の背景
２０１８年頃は、住居及び事業所への物体の荷送及び送達が成長し続けるにつれて、「玄関海賊」の問題は平行して成長し、典型的には所与の送達された物体が、運搬人／荷送人／配達人によって安全でない方法で降ろされたので、窃盗犯、すなわち「海賊」は、家庭及び事業所に送達されたそのような物体を盗む。
【０００８】
配達物を降ろす場所（例えば家庭又は職場）で受領する人が有する明白な解決策は、多くの状況に対して全く現実的ではない。配達時にすでに塞がっていることがあり、家に配達が予想される時に仕事をしている、又は逆も同様であり、市外に出ている、休暇中である、気が進まない（例えばシャワー中）、その他など種々の理由のために、配達時に降ろす場所から離れている（利用できない）ことがある。
【０００９】
配達物を降ろす場所で人が受領する以外の解決策は、概して配達を受け入れるために何らかの形の筐体を降ろす場所に有する。現在までこれらの筐体の解決策には、様々な他の問題がある。
【００１０】
１つのこのような筐体の解決策は、固定した永久的なロッカーの金庫を所与の降ろす場所、すなわち様々なロッカーの管理人、例えばこれに限定されないがアマゾンロッカーなどを設定することである。この解決策は、運搬人／荷送人が固定した永久的なロッカーの金庫を順守して利用すると仮定すれば、玄関海賊問題に効果的であり得るが、この解決策は、種々の他の問題を有する。このような固定した永久的なロッカーの金庫は、配備し、設置し、維持し、及び使用するのに非常に高額である問題に加えて、物理的建築のために固定した永久的なロッカーのこの金庫を設置する場所が必要であり、この金庫は電源に接続してネットワーク技術と通信することを含むことがある。構築は、固定した永久的なロッカーの所与の金庫の設置を収容するために十分な物理的空間がなければならず、地方自治体の認可（すなわち許可）がなければならず、設置には高額な許可業者（例えば電気技師）が必要であり、固定した永久的なロッカーの金庫、並びにそれらの構築及びそれらに続く保守に支払う十分な予算がなければならず、構築は実装するために著しい量の計画及び時間を取り、またこの設置を受領する場所の所有者が企画を引き受けることを快諾して引き受けることができなければならないことを意味する。テナント及び借主、すなわち非所有者は、自身の所与の所有者からこのような構築の変更をすることの許可が必要に違いない。この解決策は、このような問題のために大多数の単一家族の住居、小さい企業、テナント、及び借主に実行可能でない傾向がある。
【００１１】
玄関海賊問題に対する別の解決策は、所与の単一家族の住居建物又は企業の建物に特に配達用の開口部を効果的に設置することである。構造的に、開口部は、犬用出入口に非常に似ていることがあり、従って犬用出入口に関連した問題を有し、例えば開口部は、建物の内部に望ましくない立ち入りを提供することがある。この開口部の解決策は、例えば建築に付随する全ての問題、及び開口部を有するために既存の建物に後付け／修正することなどの、上記の固定した永久的なロッカーの金庫と同じ問題も有する。
【００１２】
玄関海賊問題に対する別の解決策は、既存の外部アクセスドアを配達用の（一体型）開口部を内蔵した新しいドアと入れ替えることである。この解決策の欠点は、既存の外部ドアを交換する必要性である。例えばテナント及び借主は、賃借する／リースすることがある建物にドアを交換する許可をされないことがある。別の問題は、この解決策が交換及び設置を実行するために熟練した技術者（専門の設置者）を依然として必要とすることがあることである。また開口部を備えた新しく設置した交換ドアは、人用の入口ドアを意図したドアを使用する問題も生み出すことがある。例えば一部の拡張可能なアコーディオン式開口構造は、拡張した時に効果的に操作できないドアになることがある。また開口部を備えた新しく設置した交換ドアは、見た目が魅力的でないことがあり、これは建物の外観が現地法、ＣＣ＆Ｒ、ＨＯＡ、及び／又は同種のものによって規定されている場合は、深刻な問題であることがある。
【００１３】
玄関海賊問題に対する別の解決策は、玄関／外部ドアの外側のテラス領域に物理的に装着する容器／ロッカーを利用することである。この手法に関する基本的問題は、永久に装着した容器／ロッカーを収容する十分な空き領域を持たなければならず、次いで一旦装着すると、直ちに玄関／テラスの設置面積の一部を永久に取り上げる容器／ロッカーに起因して、玄関は、直ちに事実上小さくなることである。追加として、装着を進めるために、専門の設置には上述のように追加の望ましくない費用が必要になることがある。追加として、永久に装着した容器／ロッカーが既存の装飾に一致しない場合、現地法、ＣＣ＆Ｒ、ＨＯＡ、及び／又は同種のものに関する順守問題になることがある。
【００１４】
玄関海賊問題に対する別の解決策は、玄関／テラス上又は外部アクセスドアの付近に自立式（非装着式）容器／ロッカーを利用することである。容器／ロッカー錠の精巧性に拘わらず、この解決策の基本的な問題は、自立式容器／ロッカーが実際の不動産／地所／建物／玄関／テラスに固定されないので、単にただ窃盗犯／海賊は、自立式容器／ロッカー全体を盗むことがあることである。
【００１５】
追加として、現在使用されている容器／ロッカーも（自立式であっても、又は玄関／テラスに永久に固定されていても）非折畳式であり、すなわちこれらの容器／ロッカーは完全に拡大／展開した構成のみを有し、この構成は、容器／ロッカーがより小さい設置面積に折り畳むことができないので、望ましくないかなり大きい設置面積を常に占有することがある。
【００１６】
玄関海賊問題に対する別の解決策は、外部アクセスドア（正面ドアなど）にロック可能なアクセス開口を有する、荷物を受領する袋を取り付けることである。これらの袋は、可撓性で／柔軟な、織物から作成される。これらの袋は、ストラップを介して所与のドアに取り付けられる。これらの袋はいくつかの問題を有する。第１に、袋は可撓性で／柔軟であるので、袋が空であるかその中に荷物を有するかを見分けるのは容易であり、従って窃盗犯／海賊は、どの袋を襲うべきかについて確実に見抜く、すなわちそれらの中に荷物を有して見える袋が襲う標的であるのに反して、不透明なロッカーでは、窃盗犯／海賊は中に荷物があるかどうかが全く分からない。２番目に、これらの袋は、それらのストラップを介してドアの頂面から吊るされることが多く、これは袋の可視性を増し、第１の問題が組み合わされるが、ドアの頂面から吊るされもするので、袋は、地面からかなり高く離れていることにより、運搬人／荷送人にとっても意図する受取人にとってもどちらにも袋に接近するのが困難になり、これは意図した受取人が高齢である、脆弱である、及び／又は背が低い時に更に度を増すことがある。追加として、ロッカーに対する袋の性質に起因して、袋は強度がより低く、より壊れやすい印象を有し、これにより、購入者はより安全に見える代替の解決策を求めるはずである。
【００１７】
玄関海賊問題に対する別の解決策は、所有者、テナント、又は借主が不在の時に、運搬人／荷送人が建物の内部に立ち入るのを許可することである。この解決策の基本的懸念は、多くの所有者、テナント、及び借主は、各々の建物に管理されない他人が入るのを望まない（又はできない）ことである。
【００１８】
玄関海賊問題に対する別の解決策は、荷物を受領するように設計された玄関／テラス上に「スマート」スケールを配置することであり、次いで受領した荷物が望ましくない方式で取り除かれた（例えば盗まれた）場合に、スケール上の重量の低減で警報を発することがある。この解決策は、せいぜい窃盗犯を怖じ気付かせるだけで防ぐことはできない。
【発明の概要】
【発明が解決しようとする課題】
【００１９】
玄関海賊問題の一部が上に記載されているが、既存の玄関海賊問題の問題を持たない、玄関海賊問題に対する解決策が当技術分野に必要とされている。
【００２０】
これらの目標を達成するために本発明は開発された。
【課題を解決するための手段】
【００２１】
発明の概要
先行技術における制限を最小にするために、また本明細書を読んで理解すると明らかになる他の制限を最小にするために、本発明の実施形態は、折畳式ロッカーを備え、ドアの取付構造を備えた荷物受領ロッカー（ＰＲＬ）について記載されることがある。これらのＰＲＬは、所与のＰＲＬを保管するため、又は別法により所与のＰＲＬの設置面積を最小にするために、実質的に（ほとんど）折り畳んだ構成で存在することがあり、これらのＰＲＬは、（受領する荷物を降ろす場所として、又は所与の運搬人／荷送人によって取り上げられる運搬物を出荷するために取り上げる場所として）安全である、物体の保管場所として作用するために実質的に（完全に）展開した（広げた）構成で存在することがある。（展開した又は折り畳んだ）構成に拘わらず、ＰＲＬは、一部の実施形態では、所与のドアの作動を損なわないようなやり方で、ドア取付構造を備えたドアに取り外し可能に（又は一部の実施形態では永久に）取り付けられることがある。ＰＲＬは、アクセス（例えば折畳式ロッカーのロック及びロック解除）、配達確認、並びに窃盗の軽減を促進するために様々な電子機器を有することがある。これらの電子機器は、特殊化したソフトウェアと共に、意図した受取人（例えば購入者）、荷送／配達人（若しくは荷送／配達ロボット）、及び／又は販売人／売主がＰＲＬに制御され、効率的な、一貫性のある、文書化した手法でアクセスすることができることがある。これらの電子機器の少なくとも一部は、他の電子装置と無線通信することがある。これらのＰＲＬは、スマートボックスロッカー用の「ＳＢＬ」としても公知であることがある。
【００２２】
「玄関海賊」の問題に対する入手可能で費用効果がある解決策を提供することが本発明の目的である。
【００２３】
所与のドアに取り外し可能に取り付けられることがある、安全な（例えばロックできる）、実質的に閉囲された保管場所（例えば所与の荷物受領ロッカー）を提供することが本発明の目的である。
【００２４】
荷物受領ロッカーは、ドアを閉じるとドアから取り外されることがないように、所与のドアに取り外し可能に取り付けられることがある、所与の荷物受領ロッカーを提供することが本発明の別の目的である。
【００２５】
所与のドアの作動を実質的に損なわない手法で、そのドアに取り外し可能に取り付けられることがある、すなわちドアは正常にロックされ、開き、又は閉じることがあり、所与の荷物受領ロッカーは依然としてその所与のドアに取り外し可能に取り付けられている、所与の荷物受領ロッカーを提供することが本発明の別の目的である。
【００２６】
所与のドアに取り外し可能に取り付けるためのドア取付構造を有することがある、所与の荷物受領ロッカーを提供することが本発明の別の目的である。
【００２７】
所与のドアに取り外し可能に取り付けるためのドア取付構造を備え、ドア取付構造はドアを損傷することがない、所与の荷物受領ロッカーを提供することが本発明の別の目的である。
【００２８】
所与のドアに取り外し可能に取り付けるためのドア取付構造を備え、ドア取付構造をドアに取り外し可能に取り付けることは、単純であり、達成するために専門の設置が必要ない、所与の荷物受領ロッカーを提供することが本発明の別の目的である。
【００２９】
所与のドアに取り外し可能に取り付けるためのドア取付構造を備え、ドア取付構造をドアに取り外し可能に取り付けることは、単純であり、達成するために別個のツール、ネジ、ボルト、又は釘が必要ない、所与の荷物受領ロッカーを提供することが本発明の別の目的である。
【００３０】
ドアの非ヒンジ側面よりドアのヒンジ側面により接近してドアに取り付けることができ、これはドアの正常な作動を促進することがある、所与の荷物受領ロッカーを提供することが、本発明の別の目的である。
【００３１】
ドアの底面又はドアの底面付近でドアに取り付けられることがある、所与の荷物受領ロッカーを提供することが、本発明の別の目的である。
【００３２】
脆弱である及び／又は背が低い人々に荷物受領ロッカーを使い易くさせるために、垂直方向に対してドアの中央より地面に近いように、ドアの底面又はドアの底面付近でドアに取り付けられることがある、所与の荷物受領ロッカーを提供することが、本発明の別の目的である。
【００３３】
脆弱である及び／又は背が低い人々に荷物受領ロッカーを使い易くさせるために、垂直方向に対してドアの中央より地面に近いように、ドアの下半分又はドアの下半分付近だが地面に接触することなくドアに取り付けられることがある、所与の荷物受領ロッカーを提供することが、本発明の別の目的である。
【００３４】
折畳式ロッカーとして設計された折り畳むことができるロッカー部を有することがある、所与の荷物受領ロッカーを提供することが本発明の別の目的であり、これは使用しない時に所与の荷物受領ロッカーの保存を促進することがあり、及び／又は概して所与の荷物受領ロッカーの設置面積を低減することがある。
【００３５】
実質的に（完全に）展開した（広げた）構成及び実質的に折り畳んだ構成の２つの構成で存在することがあり、所与の荷物受領ロッカーを提供することが本発明の別の目的であり、実質的に展開した構成は、折畳式ロッカーを使用するために安全な保存場所であることがあり、実質的に折り畳んだ構成は、所与の荷物受領ロッカーを保管するため、又は所与の荷物受領ロッカーの設置面積を最小にするためにあることがある。折り畳めることは、所与の荷物受領ロッカーを容易に動かすことができる（可動）こともあり、異なる場所、異なる使用場所、及び／又は異なる保存場所に容易に輸送することがある。
【００３６】
所与の荷物受領ロッカーの内部へのアクセスを制御するために、それが実質的に展開した構成でロックできる、所与の荷物受領ロッカーを提供することが本発明の別の目的である。
【００３７】
所与の荷物受領ロッカーの輸送及び可動性をこの構成にある間に容易にするために、それが実質的に折り畳んだ構成でロックできる、所与の荷物受領ロッカーを提供することが本発明の別の目的である。
【００３８】
運搬／荷送／配達人（又は運搬／荷送／配達ロボット）から荷物を受領するために使用することがある安全に降ろす場所として、所与の荷物受領ロッカーを提供することが本発明の別の目的である。
【００３９】
運搬／荷送／配達人（又は運搬／荷送／配達ロボット）から取り上げるまで、荷物を保持するために使用することがある安全な取り上げる場所として、所与の荷物受領ロッカーを提供することが本発明の別の目的である。
【００４０】
所与の荷物受領ロッカーが内側に１つ又は複数の物体を有する場合に、荷物受領ロッカーの外側から人が荷物受領ロッカーを見て分からないように、荷物受領ロッカーの外部に見えるパネル及び／又は壁が実質的に不透明である（透明ではなく、透けて見えず、半透明ではない）ことがある、荷物受領ロッカーを提供することが本発明の別の目的である。
【００４１】
折畳式ロッカーへのアクセス（例えば折畳式ロッカーのロック及びロック解除）、配達確認、取り上げの確認、及び／又は窃盗の軽減を促進するために、様々な電子機器を有することがある、所与の荷物受領ロッカーを提供することが本発明の別の目的である。
【００４２】
折畳式ロッカーへのアクセス（例えば折畳式ロッカーのロック及びロック解除）、配達確認、取り上げの確認、及び／又は窃盗の軽減を促進するに、これらに限定されないが、電子ロック、モーションセンサ（外部及び内部）、加速度計、ＧＰＳ、内向きカメラ、外向きカメラ、レーダ、ソナー、圧力センサ、温度センサ、測り、及び／又は同種のものなどの、様々な電子機器を有することがある、所与の荷物受領ロッカーを提供することが本発明の別の目的である。
【００４３】
荷物の意図した受領者（例えば購入者）、運搬／荷送／配達人（又は運搬／荷送／配達ロボット）、及び／又は販売人／売主がＰＲＬに制御され、容易で、一貫性のある、文書化した手法でアクセス（ロック解除及び／又はロック）することができることがある、様々な電子機器を有し、特殊化したソフトウェアを利用することがある、所与の荷物受領ロッカーを提供することが本発明の別の目的である。
【００４４】
様々な電子機器を有することがある、所与の荷物受領ロッカーを提供することが本発明の更に別の目的であり、所与の荷物受領ロッカーのこれらの電子機器の少なくとも一部は、他の電子装置（例えば荷物受領ロッカーの様々なユーザのスマートフォンなど）と無線通信することがある。
【００４５】
本発明のこれら及び他の利点並びに特徴は、本発明の実行方法及び本発明の作成方法の両方に関して、特に本発明を当業者に理解可能にさせるように、本明細書に記載される。
【００４６】
図面の各図の簡単な説明
図の要素は、本発明のそれらの明瞭性を高め、これらの様々な要素及び実施形態の理解を向上させるために、必ずしも一定の縮尺で描かれてはいない。その上、一般に公知であり、当業者によく理解されている要素は、本発明の様々な実施形態の明瞭な図を提供するために描かれていない。
【図面の簡単な説明】
【００４７】
【図１Ａ】実質的に（又は完全に）展開した荷物受領ロッカーの正面左平面斜視（等角）図を描くことがある。
【図１Ｂ】図１Ａから展開した荷物受領ロッカーの背面左平面斜視図を描くことがある。
【図１Ｃ】図１Ａから展開した荷物受領ロッカーの平面図を描くことがある。
【図１Ｄ】図１Ａから展開した荷物受領ロッカーの底面図を描くことがある。
【図１Ｅ】図１Ａから展開した荷物受領ロッカーの正面図を描くことがある。
【図１Ｆ】図１Ａから展開した荷物受領ロッカーの背面図を描くことがある。
【図１Ｇ】図１Ａから展開した荷物受領ロッカーの左側面図を描くことがある。
【図１Ｈ】図１Ａから展開した荷物受領ロッカーの右側面図を描くことがある。
【図２Ａ】図１Ａから荷物受領ロッカーの背面左平面斜視図を描くことがあるが、今は実質的に（又は完全に）折り畳んだ構成に示されている。
【図２Ｂ】図２Ａから実質的に折り畳んだ荷物受領ロッカーの平面図を描くことがある。
【図２Ｃ】図２Ａから実質的に折り畳んだ荷物受領ロッカーの底面図を描くことがある。
【図２Ｄ】図２Ａから実質的に折り畳んだ荷物受領ロッカーの正面図を描くことがある。
【図２Ｅ】図２Ａから実質的に折り畳んだ荷物受領ロッカーの背面図を描くことがある。
【図２Ｆ】図２Ａから実質的に折り畳んだ荷物受領ロッカーの左側面図を描くことがある。
【図２Ｇ】図２Ａから実質的に折り畳んだ荷物受領ロッカーの右側面図を描くことがある。
【図３Ａ】図２Ａから実質的に折り畳んだ荷物受領ロッカーの正面左平面斜視図を描くことがある。図３Ａは図２Ａに比べて反対側の図であることがあり、どちらの図も同じ実質的に折り畳んだ構成に同じ荷物受領ロッカーを描くことがある。
【図３Ｂ】展開する準備で持ち上げられる荷物受領ロッカーの蓋を描くことがある。
【図３Ｃ】図３Ｂに比べて更に持ち上げた位置にある荷物受領ロッカーの蓋を描くことがある。
【図３Ｄ】荷物受領ロッカーの折畳式ロッカーから、後壁から引かれて離れる前壁及び２つの対向する側壁を示すことがある。
【図３Ｅ】折畳式ロッカーの後壁から完全に引かれて離れた前壁及び２つの対向する側壁を示すことがあり、床面は、下方に枢動して適所に降ろすことができ、床支持部によって支持される。
【図３Ｆ】蓋を開けた状態で、正面左平面斜視図から示した、その完全に展開した構成にある（荷物受領ロッカーの）折畳式ロッカーを示すことがある。
【図４Ａ】部分背面斜視図から（荷物受領ロッカーの）底面ドアブラケットを示すことがある。
【図４Ｂ】部分背面図から底面ドアブラケットを示すことがある。
【図４Ｃ】部分側面図から底面ドアブラケットを示すことがある。
【図４Ｄ】部分平面図から底面ドアブラケットを示すことがある。
【図４Ｅ】部分底面図から底面ドアブラケットを示すことがある。
【図４Ｆ】背面斜視図から示した、ドアの上に摺動する過程にある底面ドアブラケットを示すことがある。
【図４Ｇ】側面図から示した、ドアに取り外し可能に装着した（取り付けた）底面ドアブラケットを示すことがある。
【図４Ｈ】部分背面斜視図から示した、ドアに取り外し可能に装着した（取り付けた）底面ドアブラケットを示すことがある。
【図５Ａ】ドアに取り外し可能に取り付けるために、（荷物受領ロッカーの）２つの対向するＪフックを示す背面斜視図から、その完全に（又は実質的に）展開した構成にある荷物受領ロッカーを示すことがある。
【図５Ｂ】２つの対向するＪフックを示す背面斜視図から、その完全に（又は実質的に）展開した構成にある荷物受領ロッカーを示すことがある。
【図５Ｃ】背面斜視図から示した、ドアの上に摺動する過程にある底面ドアブラケットを示すことがある。
【図５Ｄ】ドアの内側を示す、背面斜視図から示した、（荷物受領ロッカーの）枢動Ｊフックによって取り外し可能に捕捉された（係合された）、ドアの非ヒンジ側面を示すことがある。
【図５Ｅ】ドアの外側を示す、正面斜視図から示した、（荷物受領ロッカーの）２つの対向するＪフックによって取り外し可能に捕捉される（係合される）、ドアの両方の対向する側面（例えばヒンジ側面及び非ヒンジ側面）を示すことがある。
【図５Ｆ】ドアの外側を示す正面斜視図から示した、２つの対向するＪフックによって取り外し可能に捕捉される、ドアの両方の対向する側面（例えばヒンジ側面及び非ヒンジ側面）を示すことがある。
【図６Ａ】荷物受領ロッカーの背面斜視分解図を描くことがある。
【図６Ｂ】荷物受領ロッカーの正面左斜視分解図を描くことがある。
【図７】（荷物受領ロッカーの）前壁の部分正面図と共に（蓋を開けた状態の）荷物受領ロッカーの蓋の裏側図を描くことがある。
【図８】蓋を開けた状態の荷物受領ロッカーの斜視図を描くことがある。
【図９Ａ】完全に（実質的に）展開した荷物受領ロッカーの正面左平面斜視（等角）図を描くことがある。注、図９Ａに示された荷物受領ロッカーは、上に描く図に記した荷物受領ロッカーと異なる実施形態であることがある。
【図９Ｂ】図９Ａから展開した荷物受領ロッカーの背面左平面斜視図を描くことがある。
【図９Ｃ】図９Ａから展開した荷物受領ロッカーの正面図を描くことがある。
【図９Ｄ】図９Ａから展開した荷物受領ロッカーの背面図を描くことがある。
【図９Ｅ】図９Ａから展開した荷物受領ロッカーの右側面図を描くことがある。
【図９Ｆ】図９Ａから展開した荷物受領ロッカーの左側面図を描くことがある。
【図９Ｇ】図９Ａから展開した荷物受領ロッカーの平面図を描くことがある。
【図９Ｈ】図９Ａから展開した荷物受領ロッカーの底面図を描くことがある。
【図９Ｉ】図９Ａから展開した荷物受領ロッカーの平面図を描くことがあるが、（荷物受領ロッカーの）蓋を取り外した状態で示しているので、（荷物受領ロッカーの）折畳式ロッカーの内部の少なくとも一部が見られることがある。
【図１０】図９Ａから荷物受領ロッカーの正面斜視分解図を描くことがある。
【図１１Ａ】図９Ａから実質的に（又は完全に）折り畳んだ荷物受領ロッカーの正面左平面斜視図を描くことがある。
【図１１Ｂ】図９Ａから荷物受領ロッカーの前壁、２つの対向する側壁、及び床面の展開を可能にするために、図９Ａから（又は図１１Ａから）上昇した荷物受領ロッカーの蓋を描くことがある。
【図１１Ｃ】実質的に（又は完全に）展開した構成を形成する過程で、（図９Ａから荷物受領ロッカーの）後壁から引かれて離れる（図９Ａから荷物受領ロッカーの）前壁及び２つの対向する側壁を示すことがある。
【図１２Ａ】ドアの外側から示した、ドアに取り外し可能に取り付けた、図９Ａから実質的に折り畳んだ荷物受領ロッカーの正面右斜視図を描くことがある。
【図１２Ｂ】ドアの内側から示した、ドアに取り外し可能に取り付けた、図９Ａから実質的に折り畳んだ荷物受領ロッカーの背面右斜視図を描くことがある。
【図１２Ｃ】ドアの外側から示した、ドアの２つの対向する縁部／側面（例えばヒンジ側面及び対向する非ヒンジ側面）に取り外し可能に固定する過程にある２つの対向するＪフックを備えた、図９Ａから実質的に折り畳んだ荷物受領ロッカーの正面右斜視図を描くことがある。
【図１３Ａ】比較的短い着床面及び／又はドアから傾斜して離れることがある着床面、及び／又はドアに比較的近いことがある段頂面のシナリオを使用する、（荷物受領ロッカーの）キックスタンド・アセンブリの正面左斜視図を描くことがある。
【図１３Ｂ】比較的短い着床面及び／又はドアから傾斜して離れることがある着床面、及び／又はドアに比較的近いことがある段頂面のシナリオを使用する、キックスタンド・アセンブリの正面右斜視図を描くことがある。
【図１４Ａ】典型的にヒンジ出入口及びその関連したドアのスイング機構の平面図形を示すことがある。
【図１４Ｂ】狭過ぎるロッカーがドアの非ヒンジ側面に近付き過ぎてドアに取り付けられることがある時に、ドアの開口に問題があることがある、狭過ぎるロッカーと連動する、典型的なヒンジ出入口及びその関連したドアのスイング機構の平面図形を示すことがある。
【図１４Ｃ】広過ぎるロッカー１４０７がドアの非ヒンジ側面に近付き過ぎてドアに取り付けられることがある時に、ドアの開口に問題があることがある、広過ぎるロッカーと連動する、典型的なヒンジ出入口及びその関連したドアのスイング機構の平面図形を示すことがある。
【図１４Ｄ】深過ぎるロッカーがドアの非ヒンジ側面に近付き過ぎてドアに取り付けられることがある時に、ドアの開口に問題があることがある、深過ぎるロッカーと連動する、典型的なヒンジ出入口及びその関連したドアのスイング機構の平面図形を示すことがある。
【図１４Ｅ】荷物受領ロッカーの容積を最大にするが、依然としてドアに対する適切な開口機構を可能にするために、最適な手法でサイズ化し、形状し、及び／又は置くことがある荷物受領ロッカーと連動する、典型的なヒンジ出入口及びその関連したドアのスイング機構の平面図形を示すことがある。
【図１５】所与の荷物受領ロッカーのハードウェア（電子）構成要素のブロック図を示すことがある。
【図１６】他のコンピューティングデバイスと無線（又は有線）通信する、荷物受領ロッカーを示すブロック図を描くことがある。
【図１７】所与の荷物受領ロッカーが所与のドアに取り外し可能に取り付けられることがある方法の少なくとも一部のステップを示す、流れ図であることがある。
【図１８】所与の荷物受領ロッカーが、その実質的に（又は完全に）折り畳んだ構成からその実質的に（又は完全に）展開した構成に、取り外し可能に展開することがある方法の少なくとも一部のステップを示す、流れ図であることがある。
【図１９】所与の荷物受領ロッカーが、その実質的に（又は完全に）展開した構成からその実質的に（又は完全に）折り畳んだ構成に、取り外し可能に折り畳むことがある方法の少なくとも一部のステップを示す、流れ図であることがある。図１８及び図１９は、互いに逆の過程であることがある。
【図２０】少なくとも１つの物体（例えば荷物）が、所与の荷物受領ロッカー（例えば荷物受領ロッカーが安全に荷物を降ろす場所であることがある）に受領されることがある方法の少なくとも一部のステップを示す流れ図であることがある。
【図２１】所与の荷物受領ロッカーが荷物を販売人／売主に返すために使用することがある（例えば荷物受領ロッカーは安全に荷物を取り上げる場所であることがある）方法の少なくとも一部のステップを示す流れ図であることがある。
【図２２Ａ】実質的に（又は完全に）展開した荷物受領ロッカーの正面左平面斜視（等角）図を描くことがある。
【図２２Ｂ】図２２Ａの荷物受領ロッカーの正面図を描くことがある。
【図２２Ｃ】図２２Ａの荷物受領ロッカーの裏面（背面）図を描くことがある。（図２２Ｃ及び図２２Ｂは反対の図であることがある。）
【図２２Ｄ】図２２Ａの荷物受領ロッカーの側面図（左又は右）を描くことがある。（側面図は実質的に類似又は同一であることがある。）
【図２２Ｅ】図２２Ａの荷物受領ロッカーの平面図を描くことがある。
【図２２Ｆ】図２２Ａの荷物受領ロッカーの底面図を描くことがある。（図２２Ｆ及び図２２Ｅは反対の図であることがある。）
【図２２Ｇ】図２２Ａの荷物受領ロッカーの斜視図を描くことがあり、外部カメラは荷物受領ロッカーの背面により接近して配置されることがある。
【図２３Ａ】図２２Ａの荷物受領ロッカーの正面左平面斜視（等角）図を描くことがあるが、荷物受領ロッカーの蓋は少なくとも一部が開いている。
【図２３Ｂ】図２３Ａの荷物受領ロッカーの正面図を描くことがある。
【図２３Ｃ】図２３Ａの荷物受領ロッカーの裏面（背面）図を描くことがある。（図２３Ｃ及び図２３Ｂは反対の図であることがある。）
【図２３Ｄ】図２３Ａの荷物受領ロッカーの側面図（左又は右）を描くことがある。（側面図は実質的に類似又は同一であることがある。）
【図２３Ｅ】図２３Ａの荷物受領ロッカーの平面図を描くことがある。
【図２４Ａ】図２２Ａの荷物受領ロッカーの正面左平面斜視（等角）図を描くことがあるが、一部が展開した（一部を折り畳んだ）構成が示されている。
【図２４Ｂ】図２４Ａの荷物受領ロッカーの正面図を描くことがある。
【図２４Ｃ】図２４Ａの荷物受領ロッカーの裏面（背面）図を描くことがある。（図２４Ｃ及び図２４Ｂは反対の図であることがある。）
【図２４Ｄ】図２４Ａの荷物受領ロッカーの側面図（左又は右）を描くことがある。（側面図は実質的に類似又は同一であることがある。）
【図２４Ｅ】図２４Ａの荷物受領ロッカーの平面図を描くことがある。
【図２５Ａ】図２２Ａ（すなわち図２５Ａは図２２Ｂに類似していることがある）の荷物受領ロッカーの正面図を描くことがあり、且つ図２５Ａには断面線２５Ｂ−２５Ｂも示されていることがある。断面線２５Ｂ−２５Ｂは、前から後ろに荷物受領ロッカーの中間／中心を通過することがある。
【図２５Ｂ】断面線２５Ｂ−２５Ｂを通る図２２Ａの荷物受領ロッカーの断面図であることがある。
【図２６Ａ】図２２Ａの荷物受領ロッカーの正面左平面斜視（等角）図を描くことがあるが、蓋は少なくとも一部が開いて示されており、図２２Ａの荷物受領ロッカーは、ドア取付構造に取り付けられることがあるように示されている。
【図２６Ｂ】図２６Ａの荷物受領ロッカーの正面図を描くことがある。
【図２６Ｃ】図２６Ａの荷物受領ロッカーの裏面（背面）図を描くことがある。（図２６Ｃ及び図２６Ｂは反対の図であることがある。）
【図２６Ｄ】図２６Ａの荷物受領ロッカーの側面図（左又は右）を描くことがある。（側面図は実質的に類似又は同一であることがある。）
【図２６Ｅ】図２６Ａの荷物受領ロッカーの平面図を描くことがある。
【図２７Ａ】図２２Ａの荷物受領ロッカーの正面左平面斜視（等角）図を描くことがあるが、少なくとも一部を展開した（一部を折り畳んだ）構成で示されており、図２２Ａの荷物受領ロッカーは、ドア取付構造に取り付けられることがあるように示されている。
【図２７Ｂ】図２７Ａの荷物受領ロッカーの正面図を描くことがある。
【図２７Ｃ】図２７Ａの荷物受領ロッカーの裏面（背面）図を描くことがある。（図２７Ｃ及び図２７Ｂは反対の図であることがある。）
【図２７Ｄ】図２７Ａの荷物受領ロッカーの側面図（左又は右）を描くことがある。（側面図は実質的に類似又は同一であることがある。）
【図２７Ｅ】図２７Ａの荷物受領ロッカーの平面図を描くことがある。
【図２８Ａ】図２２Ａの荷物受領ロッカーの正面左平面斜視（等角）図を描くが、蓋が閉じて示されており、図２２Ａの荷物受領ロッカーは、ドア取付構造に取り付けられることがあるように示されている。
【図２８Ｂ】図２８Ａの荷物受領ロッカーの正面図を描くことがある。
【図２８Ｃ】図２８Ａの荷物受領ロッカーの裏面（背面）図を描くことがある。（図２８Ｃ及び図２８Ｂは反対の図であることがある。）
【図２８Ｄ】図２８Ａの荷物受領ロッカーの側面図（左又は右）を描くことがある。（側面図は実質的に類似又は同一であることがある。）
【図２８Ｅ】図２８Ａの荷物受領ロッカーの平面図を描くことがある。
【図２９】図２２Ａの荷物受領ロッカーの正面左平面斜視（等角）図を描くことがあるが、図２２Ａの荷物受領ロッカーは分解して示されていることがある。
【図３０Ａ】ドア取付構造の斜視（等角）図を描くことがある。
【図３０Ｂ】図３０Ａのドア取付構造の別の斜視（等角）図を描くことがある。
【図３０Ｃ】図３０Ａのドア取付構造の分解斜視（等角）図を描くことがある。
【図３１Ａ】図２２Ａの荷物受領ロッカーの正面左平面斜視（等角）図を描くことがあるが、完全に折り畳んだ構成で示されている。
【図３１Ｂ】図３１Ａの荷物受領ロッカーの背面左底面斜視（等角）図を描くことがある。
【図３１Ｃ】図３１Ａの荷物受領ロッカーの正面図を描くことがある。
【図３１Ｄ】図３１Ａの荷物受領ロッカーの背面（裏面）図を描くことがある。（図３１Ｄ及び図３１Ｃ）は反対の図であることがある。）
【図３１Ｅ】図３１Ａの荷物受領ロッカーの側面図（左又は右）を描くことがある。（側面図は実質的に類似又は同一であることがある。）
【図３１Ｆ】図３１Ａの荷物受領ロッカーの平面図を描くことがある。
【図３１Ｇ】図３１Ａの荷物受領ロッカーの底面図を描くことがある。
【図３２Ａ】斜視図から示した、ドアに取り付けたドア取付構造を描くことがある。
【図３２Ｂ】正面図から示した、ドア（例えばドアの正面／外側を示す）に取り付けたドア取付構造を描くことがある。
【図３２Ｃ】別の斜視図から示した、ドア（例えばドアの背面／内側を示す）に取り付けたドア取付構造を描くことがある。
【図３２Ｄ】側面図から示した、ドア（例えばドアの正面／外側を示す）に取り付けたドア取付構造を描くことがある。
【図３３Ａ】ドアに取り付けたドア取付構造を描くことがあり、ドア取付構造は、斜視図から示した、図２２Ａの荷物受領ロッカー（その折り畳んだ構成に示した）に取り付けられることがある。
【図３３Ｂ】ドア（例えばドアの正面／外側を示す）に取り付けたドア取付構造を描くことがあり、ドア取付構造は、正面図から示した、図２２Ａの荷物受領ロッカーに取り付けられることがある。
【図３３Ｃ】ドア（例えばドアの背面／内側を示す）に取り付けたドア取付構造を描くことがあり、ドア取付構造は、別の斜視図から示した、図２２Ａの荷物受領ロッカーに取り付けられることがある。
【図３３Ｄ】ドア（例えばドアの正面／外側を示す）に取り付けたドア取付構造を描くことがあり、ドア取付構造は、側面図から示した、図２２Ａの荷物受領ロッカーに取り付けられることがある。
【図３４Ａ】ドアに取り付けたドア取付構造を描くことがあり、ドア取付構造は、斜視図から示した、図２２Ａの荷物受領ロッカー（その完全に展開した構成に示した）に取り付けられることがある。
【図３４Ｂ】ドア（例えばドアの正面／外側を示す）に取り付けたドア取付構造を描くことがあり、ドア取付構造は、正面図から示した、図２２Ａの荷物受領ロッカーに取り付けられることがある。
【図３４Ｃ】ドア（例えばドアの背面／内側を示す）に取り付けたドア取付構造を描くことがあり、ドア取付構造は、側面図から示した、図２２Ａの荷物受領ロッカーに取り付けられることがある。
【図３５Ａ】荷物受領ロッカーがドア取付構造を使用してドアに取り付けられる時に、図２２Ａの荷物受領ロッカーを通した断面図を描くことがある。図３５Ａは、図３５Ａにドア取付構造及びドアの両方にも示されていることがあることを除いて、図２５Ｂの断面図に類似していることがある。また図３５Ａは、詳細図３５Ｂとして示された詳細領域も描いていることがある。
【図３５Ｂ】詳細図３５Ｂの拡大図であることがある。
【図３６Ａ】完全に展開した構成に示された、荷物受領ロッカーの正面右平面斜視（等角）図を描くことがある。
【図３６Ｂ】図３６Ａの荷物受領ロッカーの裏面左平面斜視（等角）図を描くことがある。
【図３６Ｃ】図３６Ａの荷物受領ロッカーの正面図を描くことがある。
【図３６Ｄ】図３６Ａの荷物受領ロッカーの背面（裏面）図を描くことがある。（図３６Ｄ及び図３６Ｃ）は反対の図であることがある。）
【図３６Ｅ】図３６Ａの荷物受領ロッカーの平面図を描くことがある。
【図３６Ｆ】図３６Ａの荷物受領ロッカーの底面図を描くことがある。（図３６Ｆ及び図３６Ｅ）は反対の図であることがある。）
【図３６Ｇ】図３６Ａの荷物受領ロッカーの側面図（左又は右）を描くことがある。（側面図は実質的に類似又は同一であることがある。）
【図３７】所与の荷物受領ロッカーが所与のドアに取り外し可能に取り付けられることがある方法の少なくとも一部のステップを示す、流れ図であることがある。
【符号の説明】
【００４８】
参照符号の説明
１００  荷物受領ロッカー１００
１０１  折畳式ロッカー１０１
１０３  前壁１０３
１０５  側壁１０５
１０７  後壁により近い側壁パネル１０７
１０９  前壁に近い側壁パネル１０９
１１１  蓋１１１
１１３  蓋突出部１１３
１１５  外部インターフェース１１５
１１６  頂面パネル１１６
１１７  ハンドル１１７
１１９  後壁１１９
１２１  床面１２１
１２３  床面穴１２３
１２５  ロゴ表示領域１２５
１２７  床面支持部１２７
１５１  ドア取付構造１５１
１５３  底面ドアブラケット１５３
１５５  調節ネジ１５５
１５７  枢動Ｊフック１５７
１５９  摺動Ｊフック１５９
１６１  Ｊフック受け１６１
１６３  Ｊフック取付ハードウェア１６３
１６５  Ｊフックスロット１６５
３０１  前側面ヒンジ３０１
３０３  後側面ヒンジ３０３
３０５  蓋ヒンジ３０５
３０７  頂面後方ヒンジ３０７
３０９  側面ヒンジ３０９
３１１  ボルト３１１
３１３  筐体３１３
３１５  ボルト受け３１５
３２１  内部への開口３２１
４０１  離れる湾曲４０１
４０３  受容間隙４０３
４０５  保護被覆４０５
４０７  保護被覆４０７
４５１  ドア４５１
４５３  ドア内側４５３
４５５  ドア外側４５５
４５７  ドア底面４５７
４５９  非ヒンジ側面４５９
４６１  ヒンジ側面４６１
６０３  前壁内部６０３
６０５  側壁内部６０５
６０７  底面ヒンジ６０７
６１５  インターフェース筐体６１５
６１９  後壁内部６１９
６２１  キックスタンド６２１
６２３  キックスタンド筐体６２３
６２５  キックスタンド筐体受け６２５
６２７  バネ６２７
６２９  ピン６２９
７１１  蓋内部７１１
９００  荷物受領ロッカー９００
９０５  側面パネル９０５
９０６  隆起部９０６
９２１  遠位床面９２１
９２２  連結具９２２
９２３  底面パネル９２３
９５１  入力部９５１
１００５  側面パネル穴１００５
１００６  ロック１００６
１０２２  引手１０２２
１０２４  アンカー１０２４
１０２６  ブラケット１０２６
１１１５  ボルト受け１１１５
１３０１  キックスタンド・アセンブリ１３０１
１３１１  着床面１３１１
１３１５  段頂面１３１５
１４０１  非ヒンジ側壁１４０１
１４０３  ヒンジ側壁１４０３
１４０５  狭過ぎるロッカー１４０５
１４０７  広過ぎるロッカー１４０７
１４０９  深過ぎるロッカー１４０９
１５００  コンピューティングデバイス１５００
１５０１  処理装置１５０１
１５０３  メモリ１５０３
１５０５  外部通信用のＩ／Ｏ１５０５
１５０７  Ｉ／Ｏ手段１５０７
１５０９  電源１５０９
１５１１  ＧＰＳモジュール１５１１
１６０１  第１のユーザ・コンピューティングデバイス１６０１
１６０３  第２のユーザ・コンピューティングデバイス１６０３
１６０５  サーバ１６０５
１６０７  管理デバイス１６０７
１６０９  インターネット／ネットワーク／ＷＡＮ／ＬＡＮ１６０９
１７００  ＰＲＬ／ＳＢＬをドアに取り付ける方法１７００
１７０１  ドアを開くステップ１７０１
１７０３  底面ドアブラケットを開いたドアの底面に取り付けるステップ１７０３
１７０５  第１のＪフックを開いたドアの側面に取り付けるステップ１７０５
１７０７  第２のＪフックを開いたドアの側面に取り付けるステップ１７０７
１７０９  位置付けの調節が必要かどうかを判定するステップ１７０９
１７１１  ドア上でＰＲＬ／ＳＢＬの位置付けを調整するステップ１７１１
１７１３  ＰＲＬ／ＳＢＬをドアに固定するステップ１７１３
１８００  ＰＲＬ／ＳＢＬを展開する方法１８００
１８０１  ロックをロック解除するステップ１８０１
１８０３  蓋を開くステップ１８０３
１８０５  前壁を延ばして後壁から離すステップ１８０５
１８０７  床面を配列するステップ１８０７
１８０９  蓋を閉じるステップ１８０９
１９００  ＰＲＬ／ＳＢＬを折り畳む方法１９００
１９０１  ロックをロック解除するステップ１９０１
１９０３  蓋を開くステップ１９０３
１９０５  床面を後壁に向かって据えるステップ１９０５
１９０７  側面を互いに向かって押し、前壁を後壁に押すステップ１９０７
１９０９  蓋を閉じるステップ１９０９
２０００  物体を受領する方法２０００
２００１  一時アクセスコードを発生するステップ２００１
２００３  一時アクセスコードを送信するステップ２００３
２００５  一時アクセスコードを受信するステップ２００５
２００７  一時アクセスコードが有効かどうかを判定するステップ２００７
２００８  アクセス拒否メッセージを送信するステップ２００８
２００９  ＰＲＬ／ＳＢＬのロックをロック解除するステップ２００９
２０１１  ＰＲＬ／ＳＢＬの内側に物体を受領するステップ２０１１
２０１３  物体の受領を文書化するステップ２０１３
２０１５  物体の受領の証拠を送信するステップ２０１５
２０１７  マスターロック解除コマンドを受信するステップ２０１７
２０１９  マスターロック解除コマンドが有効かどうかを判定するステップ２０１９
２０２０  アクセス拒否メッセージを送信するステップ２０２０
２０２１  ＰＲＬ／ＳＢＬの内側から物体を取り除くステップ２０２１
２０２３  物体の取り除きを文書化するステップ２０２３
２０２５  物体の取り除きの証拠を送信するステップ２０２５
２１００  荷物を戻す方法２１００
２１０１  荷物をＰＲＬ／ＳＢＬの中に受領するステップ２１０１
２２００  荷物受領ロッカー２２００
２２０１  外部リブ２２０１
２２０３  レール２２０３
２２０５  穴２２０５
２３０１  内部リブ２３０１
２５０１  ポケット２５０１
２９０１  ＰＣＢ２９０１
２９０３  外部カメラ２９０３
２９０５  内部カメラ２９０５
２９０７  電子機器カバー２９０７
２９０９  外部電子機器カバー２９０９
３０００  ドア取付構造３０００
３００１  中心レール３００１
３００３  端部ブラケット３００３
３００５  挿入可能部３００５
３００７  ドア厚さ係合部３００７
３００９  孔３００９
３０１１  端部ブラケット受領スロット３０１１
３０１３  ＰＲＬ係合レール３０１３
３０２１  ストラップ３０２１
３０２３  カムラチェット３０２３
３１０１  カムロック３１０１
３１０３  後支持部３１０３
３４０１  ＳＢＬからヒンジ側面までの距離３４０１
３４０３  ＳＢＬから非ヒンジ側面までの距離３４０３
３６００  荷物受領ロッカー３６００
３６０１  ハンドルポケット３６０１
３７００  ＰＲＬ／ＳＢＬをドアに取り付ける方法３７００
３７０３  中心レール及び端部ブラケットを開いたドアに取り付けるステップ３７０３
３７０５  ＰＲＬ／ＳＢＬレールをＰＲＬ係合レールに取り付けるステップ３７０５
【発明を実施するための形態】
【００４９】
発明の詳細な説明
注、「ＰＲＬ」は、本明細書で使用する場合に荷物受領ロッカー１００又は荷物受領ロッカー９００のような「荷物受領ロッカー」を指すことがある。
【００５０】
注、「ＳＢＬ」は、本明細書で使用する場合に「スマートボックスロッカー」を指すことがあり、荷物受領ロッカー１００又は荷物受領ロッカー９００を指すことがある。すなわち「ＰＲＬ」及び「ＳＢＬ」は交換可能に使用されることがある。
【００５１】
注、「ＰＲＬ」、「荷物受領ロッカー」、「荷物受領ロッカー１００」、及び「荷物受領ロッカー９００」は、荷物のみに適用可能であると解釈されるべきではない。例えば本発明の範囲を限定することなく、「ＰＲＬ」、「荷物受領ロッカー」、「ＳＢＬ」、「スマートボックスロッカー」、「荷物受領ロッカー１００」、及び「荷物受領ロッカー９００」は、１つ又は複数の物体、荷物、小包、郵便物、箱、容器、物品、文書、袋、大袋、ポーチ、日用品、電子機器、衣類、食品、飲料、及び／又は同種のものを取り外し可能に保持し、保管し、及び／又は保管することがある。
【００５２】
注、「ＰＲＬ」、「荷物受領ロッカー」、「荷物受領ロッカー１００」、及び「荷物受領ロッカー９００」は、「受領」のみに適用可能であると解釈されるべきではない。例えば本発明の範囲を限定することなく、「ＰＲＬ」、「荷物受領ロッカー」、「ＳＢＬ」、「スマートボックスロッカー」、「荷物受領ロッカー１００」、及び「荷物受領ロッカー９００」は、積荷を受領するために安全に降ろす場所として、積荷を出荷するために安全に取り上げる場所として、安全に保存する場所として、及び／又は同種のものに使用されることがある。
【００５３】
本発明の多数の実施形態及び適用に対処する以下の検討では、本発明が実行されることがある特定の実施形態の例示として、描写がなされるその一部を形成する添付図面を参照する。本発明の範囲から逸脱することなく、他の実施形態を利用してもよく、変更を行ってもよいことを理解されたい。
【００５４】
図１Ａ〜図１Ｈは、様々な図から実質的に展開した構成の荷物受領ロッカー１００を示すことがある。一部の実施形態では、荷物受領ロッカー１００は４つの構成で存在することがある。図１Ａ〜図１Ｈは、所与の荷物受領ロッカー１００の折畳式ロッカー１０１のサブアセンブリのために実質的に（完全に）展開した構成、すなわちその様々な壁が完全に広げた（展開した）構成に開いた状態で、これらの４つの構成の１つにある荷物受領ロッカー１００を示すことがある。これらの壁は、少なくとも１つの壁として集合的に示されていることがあり、一部の実施形態では、少なくとも１つの壁は、硬質で、頑丈で、及び／又は概して可撓性でないことがあり、すなわちエラストマ状ではなく、若しくは織物状でもない。一部の実施形態では、折畳式ロッカー１０１は、実質的に折り畳んだ構成で存在することもある。この実質的に折り畳んだ構成は、図２Ａ〜図２Ｇに示されていることがある。一部の実施形態では、荷物受領ロッカー１００は、所与のドアに取り外し可能に取り付けられていることも、又は取り付けられていないこともある。従ってこれらの４つの構成は、完全に展開されている、実質的に（完全に）折り畳まれている、所与のドアに取り外し可能に取り付けられている、又は所与のドアに取り付けられていないことがある。一部の実施形態では、折畳式ロッカー１０１が展開又は折り畳まれていることがある時に、荷物受領ロッカー１００は所与のドアに取り外し可能に取り付けられている、又は取り付けられていないことがある。注、本明細書では、折畳式ロッカー１０１は、折畳式容器１０１と示されることもあり、すなわちこれらの２つの用語は、本明細書では交換可能に使用されることがある。
【００５５】
図１Ａは、展開した荷物受領ロッカー１００の正面左平面斜視（等角）図を描くことがある。一部の実施形態では、荷物受領ロッカー１００は、折畳式ロッカー１０１及びドア取付構造１５１を含むことがある。一部の実施形態では、折畳式ロッカー１０１は、その完全に展開した構成にある時に、ロックし、安全で、及び／又は確実な手法で少なくとも１つの荷物を取り除くことができ、及び／又は一時保管のためであることがある。一部の実施形態では、ドア取付構造１５１は、荷物受領ロッカー１００を所与のドアに取り外し可能に取り付けるために、物理的幾何形状、構造、構成要素、及び／又はハードウェアであることがある。一部の実施形態では、折畳式ロッカー１０１の少なくとも一部は、ドア取付構造１５１の少なくとも一部と通信することがある。一部の実施形態では、折畳式ロッカー１０１の少なくとも一部は、ドア取付構造１５１の少なくとも一部と物理的に接触することがある。一部の実施形態では、折畳式ロッカー１０１の少なくとも一部は、ドア取付構造１５１の少なくとも一部に物理的に取り付けられることがある。一部の実施形態では、折畳式ロッカー１０１の少なくとも一部は、ドア取付構造１５１の少なくとも一部に物理的に取り外し可能に取り付けられることがある。
【００５６】
図１Ａの検討を続けると、一部の実施形態では、折畳式ロッカー１０１は、完全に展開した時に、ロックし、安全で、及び／又は確実な手法で、少なくとも１つの荷物（物体）の取り除くことができ、及び／又は一時保管のために空である時に、実質的に空隙であることがある容積を確実に閉囲することがある。一部の実施形態では、折畳式ロッカー１０１は、側壁、床面、及び開口可能な／閉鎖可能な蓋から形成されることがある。一部の実施形態では、これらの側壁は、折畳式ロッカー１０１が展開されることがある時、及びドア取付構造１５１が所与のドアに取り外し可能に取り付けることがある時に、実質的に垂直であることがある、すなわち同じようにこの所与のドアは実質的に垂直であることがある。一部の実施形態では、これらの側壁は、前壁１０３、２つの対向する側壁１０５、及び前壁１０３に対向することがある後壁１１９（注、後壁１１９は図１Ａに示されていないことがあるが、図１Ｂに示されていることがある）であることがある。一部の実施形態では、この蓋は蓋１１１であることがある。一部の実施形態では、この床面は床面１２１であることがある（注、床面１２１は、図１Ａに示されていないことがあるが、図１Ｄに示されていることがある）。一部の実施形態では、所与の折畳式容器１０１の少なくとも１つの壁は、前壁１０３、２つの対向する側壁１０５、後壁１１９、蓋１１１、及び床面１２１であることがある。一部の実施形態では、前壁１０３、２つの対向する側壁１０５、後壁１１９、及び床面１２１は、折畳式ロッカー１０１が完全に展開したことがある時に、少なくとも１つの荷物（物体）を受領するための容積を画定し、周囲を囲み、閉囲し、及び／又は境界となることがある。この容積は、主要内部容積として示されることがあり、荷物（又は一時保存するための物体）がこの主要内部容積内にないことがある時に、次いでこの主要内部容積は、大部分が／実質的な空隙であることがあり、すなわち折畳式ロッカー１０１の内部は、折畳式ロッカー１０１がその実質的に（完全に）広げた（展開した）構成であることがある時に、大部分が（実質的に）中空であることがある。一部の実施形態では、この容積は、蓋１１１（少なくとも１つの蓋１１１）によって閉じ及び／又は密封されていることがあり、蓋１１１は、蓋１１１が閉じていることがある時に、この容積への開口を実質的に覆うことがある。一部の実施形態では、この開口は唯一の開口であることがあり、開口は、所与の折畳式ロッカー１０１の主要内部容積にアクセスするための単一の主要開口として示されることがあり、物体（荷物）は、この単一の主要開口を介して所与の折畳式ロッカー１０１に入出する。
【００５７】
一部の実施形態では、単一の主要開口へのアクセスは、少なくとも１つの蓋１１１によって制御されることがある。一部の実施形態では、少なくとも１つの蓋１１１は、少なくとも１つの壁（例えば後壁１１９）にヒンジで取り付けられることがある。一部の実施形態では、少なくとも１つの蓋１１１は、２つの作動式構成、閉じた構成、及び実質的に開いた構成のそれぞれで存在することがある。一部の実施形態では、少なくとも１つの蓋１１１がその閉じた構成にあることがある時に、少なくとも１つの蓋１１１は、単一の主要開口への意図しないアクセスを防ぐためにロック可能であることがある。
【００５８】
図１Ａの検討を続けると、一部の実施形態では、２つの対向する側壁１０５は、ほぼ前壁１０３の幅及び／又は後壁１１９の幅だけ互いから離れて配置されることがある。一部の実施形態では、前壁１０３は、ほぼ２つの対向する側壁１０５の幅だけ後壁１１９から反対側に離れて配置されることがある。一部の実施形態では、２つの対向する側壁１０５の幅並びに前壁１０３及び後壁１１９の幅は、実質的に同様であることがあり、ケース１０１は、完全に広げた（展開した）時に、実質的に立方体として形状されることがある。
【００５９】
図１Ａの検討を続けると、一部の実施形態では、２つの対向する側壁１０５から選択した各側壁１０５は、後壁１１９に及び前壁１０３に取り付けられることがある。一部の実施形態では、２つの対向する側壁１０５から選択した各側壁１０５は、後壁１１９に及び前壁１０３に枢動可能に（ヒンジで）取り付けられることがある。一部の実施形態では、このような枢動取付は、２つの隣接した壁部材に取り付けた１つ又は複数のヒンジを使用することによって達成されることがある。
【００６０】
図１Ａの検討を続けると、一部の実施形態では、前壁１０３は、２つの対向する側壁１０５から選択した各側壁１０５に取り付けられることがある。一部の実施形態では、前壁１０３は、２つの対向する側壁１０５から選択した各側壁１０５に枢動可能に（ヒンジで）取り付けられることがある。一部の実施形態では、このような枢動取付は、２つの隣接した壁部材に取り付けた１つ又は複数のヒンジを使用することによって達成されることがある。
【００６１】
図１Ａの検討を続けると、一部の実施形態では、２つの対向する側壁１０５から選択した各側壁１０５は、２つのパネル、後壁により近い側壁パネル１０７及び前壁により近い側壁パネル１０９から成ることがある。一部の実施形態では、後壁により近い側壁パネル１０７に前壁により近い側壁パネル１０９を加えると、２つの対向する側壁１０５から選択した所与の側壁１０５を一緒に形成することがある。一部の実施形態では、後壁により近い側壁パネル１０７は、側壁１０５のほぼ半分であることがある。一部の実施形態では、前壁により近い側壁パネル１０９は、側壁１０５のほぼ半分であることがある。一部の実施形態では、その名前が示唆するように、後壁により近い側壁パネル１０７は、前壁１０３より後壁１１９により近く配置されることがある。一部の実施形態では、その名前が示唆するように、前壁により近い側壁パネル１０９は、後壁１１９より前壁１０３により近く配置されることがある。一部の実施形態では、後壁により近い側壁パネル１０７は、前壁により近い側壁パネル１０９に（例えば垂直に配置されたヒンジによって）取り付けられることがある。一部の実施形態では、後壁により近い側壁パネル１０７は、後壁により近い側壁パネル１０７の縁部の１つに沿って後壁１１９に取り付けられることがあり、配置された反対側は、前壁により近い側壁パネル１０９に取り付けられることがある。一部の実施形態では、前壁により近い側壁パネル１０９は、前壁により近い側壁パネル１０９の縁部の１つに沿って前壁１０３に取り付けられることがあり、配置された反対側は、後壁により近い側壁パネル１０７に取り付けられることがある。
【００６２】
図１Ａの検討を続けると、一部の実施形態では、蓋１１１は、蓋突出部１１３を含むことがある。一部の実施形態では、蓋１１１の非ヒンジ側面の周囲（縁部及び／又は周辺）は、蓋突出部１１３であることがある。一部の実施形態では、蓋１１１が図１Ａに示されたように閉じていることがある時に、蓋突出部１１３は、２つの対向する側壁１０５の頂部の少なくとも一部に重なることがある。一部の実施形態では、蓋１１１が閉じていることがある時に、蓋突出部１１３は、前壁１０３の頂部に重なることがある。一部の実施形態では、蓋突出部１１３は、ロックされている時に蓋１１１を改ざん及び／又は押し開けることをより困難にすることがある。一部の実施形態では、蓋突出部１１３は、荷物受領ロッカー１００のあらゆる内容物を保護することがある。一部の実施形態では、蓋突出部１１３は、これに限定されないが、日光、風、水、雨、みぞれ、雹、雪、氷、及び／又は同種のものなどの、環境問題から荷物受領ロッカー１００のあらゆる内容物を保護することがある。一部の実施形態では、１１３は、蓋１１１の非ヒンジ周辺から下方に延在することがある（固定した所定の長さで下方に延在する）材料の長さであることがある。
【００６３】
図１Ａの検討を続けると、一部の実施形態では、蓋１１１の頂面上に外部インターフェース１１５を含むことがある。一部の実施形態では、外部インターフェース１１５は、所与のユーザが荷物受領ロッカー１００と相互作用することができることがある方法であることがある。一部の実施形態では、外部インターフェース１１５は、所与のユーザが蓋１１１をロック解除できることがある方法であることがある。一部の実施形態では、外部インターフェース１１５は、所与のユーザが蓋１１１をロックできることがある方法であることがある。一部の実施形態では、外部インターフェース１１５は、それによってユーザが蓋１１１のロック又はロック解除と外部に相互作用することがある手段であることがある。一部の実施形態では、外部インターフェース１１５は、それによってユーザが蓋１１１の開閉と外部に相互作用することがある手段であることがある。一部の実施形態では、外部インターフェース１１５は、様々な入力／出力（Ｉ／Ｏ）手段を含むことがある。一部の実施形態では、外部インターフェース１１５は、ユーザインターフェース、グラフィカル・ユーザインターフェース、タッチスクリーン、キーパッド、指紋スキャナ、ボタン、レバー、スイッチ、スライド、ダイヤル、ノブ、カメラ、ＲＦＩＤ／ＮＦＣリーダ（スキャナ）、マイクロフォン、スピーカ、照明、ブザー、ポート（通信及び／又は電力輸送用）、ハンドル、引手、及び／又は同種のものの１つ又は複数などの様々なアクセス制御を含むことがある。
【００６４】
図１Ａの検討を続けると、一部の実施形態では、折畳式ロッカー１０１の頂面に１つ又は複数のハンドル１１７を有することがある。一部の実施形態では、所与のハンドル１１７は、荷物受領ロッカー１００を持ち上げるように構成されることがある。一部の実施形態では、所与のハンドル１１７は、折畳式ロッカー１０１がいかなる荷物も保持しないことがある時に、荷物受領ロッカー１００を持ち上げるように構成されることがある。一部の実施形態では、所与のハンドル１１７は、少なくとも所定のレベルの負荷（例えば力又はトルク）を受領した時に壊れるように構成されることがある。一部の実施形態では、ハンドル１１７は、蓋１１１の頂面上に配置されることがある。一部の実施形態では、ハンドル１１７は、頂面パネル１１６の頂面上に配置されることがある。
【００６５】
一部の実施形態では、ハンドル１１７は、頂面パネル１１６、蓋１１１、前壁１０３、後壁１１９、及び／又は側壁１０５の中のスロット及び／又は窪みであることがある。
【００６６】
一部の実施形態では、このようなハンドル１１７がないことがある。
【００６７】
図１Ｂは、図１Ａから展開した荷物受領ロッカー１００の背面左平面斜視図を描くことがある。一部の実施形態では、後壁１１９は、２つの対向する側壁１０５から選択した各側壁１０５に取り付けられることがある。一部の実施形態では、後壁１１９は、２つの対向する側壁１０５から選択した各側壁１０５に枢動可能に（ヒンジで）取り付けられることがある。一部の実施形態では、このような枢動取付は、２つの隣接した壁部材に取り付けた１つ又は複数のヒンジを使用することによって達成されることがある。
【００６８】
図１Ｂの検討を続けると、一部の実施形態では、折畳式ロッカー１０１は頂面パネル１１６を含むことがある。一部の実施形態では、頂面パネル１１６は、実質的に平面であることがある細長い部材であることがある。一部の実施形態では、頂面パネル１１６は、折畳式ロッカー１０１の頂面上に後壁１１９に向かって配置されることがある。一部の実施形態では、頂面パネル１１６の１つの長さに沿って、頂面パネル１１６を後壁に固定して取り付けられることがあり、反対側の長さの上に頂面パネル１１６は、蓋１１１に取り付けられることがある。一部の実施形態では、頂面パネル１１６は、１つの長さに沿って頂面パネル１１６の後壁に固定して取り付けられることがあり、頂面パネル１１６は、反対側の長さの上に蓋１１１に枢動可能に（ヒンジで）取り付けられることがある。一部の実施形態では、ハンドル１１７は、頂面パネル１１６の頂面に取り付けられることがある。
【００６９】
図１Ｂの検討を続けると、一部の実施形態では、ドア取付構造１５１は後壁１１９に取り付けられることがある。一部の実施形態では、ドア取付構造１５１は、２つの独特の領域、下面又は底面領域及び上面領域を含むことがあり、このような各領域は、所与のドアに異なる種類の取り外し可能な取付のためにあることがある。一部の実施形態では、ドア取付構造１５１は、底面ドアブラケット１５３及び２つの対向するＪフック１５７／１５９を含むことがある。一部の実施形態では、下面又は底面領域は、底面ドアブラケット１５３を有することがある。一部の実施形態では、上面領域は、２つの対向するＪフック１５７／１５９を有することがある。
【００７０】
図１Ｂの検討を続けると、一部の実施形態では、底面ドアブラケット１５３は、所与のドアの底面に取り外し可能に取り付けるように構成されることがある。一部の実施形態では、底面ドアブラケット１５３は、種々のドア、具体的には所与の構造（住居、家、事務所、企業、建物、その他など）に立ち入るための外部ドアの幅に概ね適合するサイズ化された、１つ又は複数のブラケットであることがある。一部の実施形態では、底面ドアブラケット１５３は、１つ又は複数の調節ネジ１５５を更に含むことがあり、調節ネジ１５５は、締め付ける時にドアの底面に圧力を加えることがあり、ドアの底面は、底面ドアブラケット１５３のブラケット内に受領されることがある。一部の実施形態では、調節ネジ１５５は、底面ドアブラケット１５３の外部を通って直交して通過することがあり、底面ドアブラケット１５３は、後壁１１９から離れて配置されることがある。一部の実施形態では、底面ドアブラケット１５３の表面及び／又は調節ネジ１５５の表面は、所与のドアに物理的に接触することがあり、ドアの底面に対するあらゆる損傷を最小にするために詰め物をし、及び／又は緩衝剤を備えることがある。一部の実施形態では、このような詰め物をすること、及び／又は緩衝材を備えることは、ゴム、シリコン、エラストマ、それらの組合せ、及び／又は同種のものの使用によって達成されることがある。一部の実施形態では、ドア取付構造１５１（又はドア取付構造３０００）の使用は、ドア４５１を損傷しないことがある。
【００７１】
図１Ｂの検討を続けると、一部の実施形態では、２つの対向するＪフック１５７／１５９は、それらの名前が示唆するように、実質的に互いに反対側に配置されるように置かれることがある。一部の実施形態では、２つの対向するＪフック１５７／１５９は、それらの名前が示唆するように、フックのように形状されることがあり、フック部は、側面から見た時に文字「Ｊ」に実質的に類似している。一部の実施形態では、２つの対向するＪフック１５７／１５９のそれぞれは、実質的に平面であることがある実質的に細長い部材であることがあり、これは側面から見た時に文字「Ｊ」に類似するように構成され、及び／又は曲げられることがある。一部の実施形態では、２つの対向するＪフック１５７／１５９は、取り外し可能に取り付ける所与のドアの２つの対向する側面を取り外し可能に把持するように構成され、サイズ化され、及び／又は形状されることがある。一部の実施形態では、参照番号「１５７」は枢動Ｊフック１５７を指すことがある。一部の実施形態では、枢動Ｊフック１５７は、所与のドア４５１の非ヒンジ側面４５９を取り外し可能に把持することがある（例えば図５Ｅ参照）。一部の実施形態では、参照番号「１５９」は摺動Ｊフック１５９を指すことがある。一部の実施形態では、摺動Ｊフック１５９は、所与のドア４５１のヒンジ側面４６１を取り外し可能に把持することがある（例えば図５Ｅ参照）。
【００７２】
図１Ｂの検討を続けると、一部の実施形態では、２つの対向するＪフック１５７／１５９の一方又は両方は、異なる幅のドアを収容するために調節可能であることがある。一部の実施形態では、２つの対向するＪフック１５７／１５９の一方又は両方は、異なる幅のドアを収容するために摺動自在に調節可能であることがある。一部の実施形態では、２つの対向するＪフック１５７／１５９の一方又は両方は、Ｊフック受け１６１を介して後壁１１９に又は後壁１１９付近に摺動自在に取り付けられることがある。一部の実施形態では、Ｊフック受け１６１は、２つの対向するＪフック１５７／１５９の一方又は両方の実質的に細長い平坦部の少なくとも一部を受領することがある。一部の実施形態では、摺動Ｊフック１５９は、異なる幅のドアを収容するために摺動自在に調節可能であることがある。一部の実施形態では、摺動Ｊフック１５９は、Ｊフック受け１６１を介して１１９に又は後壁１１９付近に摺動自在に取り付けられることがある。一部の実施形態では、Ｊフック受け１６１は、Ｊフック１５９のヒンジ側面の実質的に細長い平坦部の少なくとも一部を受領することがある。
【００７３】
図１Ｂの検討を続けると、一部の実施形態では、２つの対向するＪフック１５７／１５９の一方又は両方は、ドア取付構造１５１を所与のドアに取り外し可能に取り付ける工程を収容するために調節可能であることがある。一部の実施形態では、２つの対向するＪフック１５７／１５９の一方又は両方は、ドア取付構造１５１を所与のドアに取り外し可能に取り付ける工程を収容するために枢動可能に調節可能であることがある。一部の実施形態では、２つの対向するＪフック１５７／１５９の一方又は両方は、Ｊフック取付ハードウェア１６３を介して１１９に又は後壁１１９付近に枢動可能に調節可能であることがある。一部の実施形態では、Ｊフック取付ハードウェア１６３は、ピン、ネジ、ボルト、リベット、及び／又は同種のものであることがある。一部の実施形態では、Ｊフック取付ハードウェア１６３は、フック端部から実質的に遠位にあることがある、所与のＪフック１５７／１５９の一部を通過することがある。一部の実施形態では、所与のＪフック１５７／１５９の遠位部は、Ｊフックスロット１６５と呼ばれるその長さに沿って走るスロットを含むことがある。一部の実施形態では、Ｊフック取付ハードウェア１６３は、Ｊフックスロット１６５を通過することがある。従って一部の実施形態では、所与のＪフック１５７／１５９は後壁１１９に枢動可能に取り付けられることがあるだけでなく、Ｊフックスロット１６５のために、一部の線形調節容量も存在することがある。
【００７４】
一部の実施形態では、ドア取付構造１５１は、２つの対向するＪフック１５７／１５９ではなく、底面ドアブラケット１５３を含むことがある。一部の実施形態では、ドア取付構造１５１は、底面ドアブラケット１５３ではなく、２つの対向するＪフック１５７／１５９を含むことがある。
【００７５】
図１Ｃは、図１Ａから展開した荷物受領ロッカー１００の平面図を描くことがある。一部の実施形態では、折畳式ロッカー１０１は、ロゴ表示領域１２５を含むことがある。一部の実施形態では、折畳式ロッカー１０１の外部上は、１つ又は複数のロゴ表示領域１２５であることがある。一部の実施形態では、蓋１１１の頂面は、ロゴ表示領域１２５を有することがある。一部の実施形態では、ロゴ表示領域１２５は、折畳式ロッカー１０１の側面上及び／又は正面上に置かれることがある。一部の実施形態では、ロゴ表示領域１２５は、ロゴ及び／又は商標が表示されることがある領域であることがある。
【００７６】
図１Ｄは、図１Ａから展開した荷物受領ロッカー１００の底面図を描くことがある。床面１２１は図１Ｄに示されることがある。一部の実施形態では、床面１２１は折畳式ロッカー１０１の床面であることがある。一部の実施形態では、床面１２１は、床面穴１２３と呼ばれる少なくとも１つの穴を有することがある。一部の実施形態では、床面１２１は、１つ又は複数の床面穴１２３を有することがある。一部の実施形態では、床面１２１は、複数の床面穴１２３を有することがある。一部の実施形態では、このような床面穴１２３は、荷物受領ロッカー１００の重量を低減するようにサイズ化され、及び／又は形状されることがある一方で、依然として床面１２１の構造的一体化を維持する。
【００７７】
図１Ｄの検討を続けると、折畳式ロッカー１０１は床面支持部１２７を含むことがある。一部の実施形態では、床面支持部１２７は、床面１２１を捉え及び／又は支持するための棚、締め具、及び／又は支持部であることがある。一部の実施形態では、床面支持部１２７は、折畳式ロッカー１０１の底面に向かって曲がることがある、前壁１０３の延長部であることがある。
【００７８】
図１Ｅは、図１Ａから展開した荷物受領ロッカー１００の正面図を描くことがある。図１Ｆは、図１Ａから展開した荷物受領ロッカー１００の背面図を描くことがある。図１Ｇは、図１Ａから展開した荷物受領ロッカー１００の左側面図を描くことがある。図１Ｈは、図１Ａから展開した荷物受領ロッカー１００の右側面図を描くことがある。
【００７９】
図２Ａ〜図２Ｇは、実質的に折り畳んだ構成にある荷物受領ロッカー１００を示すことがある。一部の実施形態では、荷物受領ロッカー１００がこの実質的に折り畳んだ構成であることがある時に、側壁１０５、床面１２１、及び前壁１０３は、蓋１１１と後壁１１９との間に配置されることがある。一部の実施形態では、荷物受領ロッカー１００がこの実質的に折り畳んだ構成であることがある時に、側壁１０５、床面１２１、及び前壁１０３は、蓋１１１と後壁１１９との間に挟まれることがある。この実質的に折り畳んだ構成は、荷物受領ロッカー１００が使用されていないかもしれない時に、荷物受領ロッカー１００の保管を促進することがある。例えば本発明の範囲を限定することなく、この実質的に折り畳んだ構成は（所与のドア４５１に取り付けられていない時）、ベッドの下及び／又はドア若しくは他の家具の背後、並びに概ね邪魔にならない所に荷物受領ロッカー１００の（及び荷物受領ロッカー１００／９００／２２００／３６００の）（一時的）保存を促進することがある。
【００８０】
図２Ａは、図１Ａから荷物受領ロッカー１００の背面左平面斜視図を描くことがあるが、今は実質的に折り畳んだ構成で示されている。一部の実施形態では、蓋突出部１１３の延長部の長さは、頂面パネル１１６の幅に実質的に類似していることがある。図２Ｂは、図２Ａから実質的に折り畳んだ荷物受領ロッカー１００の平面図を描くことがある。図２Ｃは、図２Ａから実質的に折り畳んだ荷物受領ロッカー１００の底面図を描くことがある。図２Ｄは、図２Ａから実質的に折り畳んだ荷物受領ロッカー１００の正面図を描くことがある。図２Ｅは、図２Ａから実質的に折り畳んだ荷物受領ロッカー１００の背面図を描くことがある。図２Ｆは、図２Ａから実質的に折り畳んだ荷物受領ロッカー１００の左側面図を描くことがある。図２Ｇは、図２Ａから実質的に折り畳んだ荷物受領ロッカー１００の右側面図を描くことがある。
【００８１】
図３Ａ〜図３Ｆは、実質的に折り畳んだ構成から実質的に展開した構成に展開する過程にある荷物受領ロッカー１００を示すことがある。図３Ａは、図２Ａから実質的に折り畳んだ荷物受領ロッカー１００の正面左平面斜視図を描くことがある。図３Ａは、図２Ａに比べて反対の図であることがあり、この場合、どちらの図も同じ実質的に折り畳んだ構成にある同じ荷物受領ロッカー１００を示すことがある。図３Ｂは、展開する準備で持ち上げられる荷物受領ロッカー１００の蓋１１１を描くことがある。図３Ｃは、図３Ｂに比べて更に持ち上げた位置にある荷物受領ロッカー１００の蓋１１１を描くことがある。図３Ｄは、折畳式ロッカー１０１から、後壁１１９から引かれて離れる前壁１０３及び２つの対向する側壁１０５を示すことがある。図３Ｅは、折畳式ロッカー１０１から、後壁１１９から完全に引かれて離れた前壁１０３及び２つの対向する側壁１０５を示すことがあり、床面１２１は、下方に適所に枢動することができ（例えばヒンジを介して）、床面支持部１２７によって支持される。図３Ｆは、蓋１１１を開けた状態で、正面左平面斜視図から示した、その完全に展開した構成にある折畳式ロッカー１０１を示すことがある。注、図３Ｆでは、蓋１１１の右上部は描いた図から切り取られて示されている（すなわち見えない）ことがある。
【００８２】
図３Ｂでは、２つの前側面ヒンジ３０１の一方の一部が見られることがある。一部の実施形態では、折畳式ロッカー１０１は、２つの対向して配置された前側面ヒンジ３０１を含むことがある。一部の実施形態では、前壁１０３は、前側面ヒンジ３０１を介して各側壁１０５（例えば前壁により近い側壁パネル１０９）に枢動可能に（ヒンジで）取り付けられることがある。一部の実施形態では、各前側面ヒンジ３０１は、折畳式ロッカー１０１の内部に置かれることがある。一部の実施形態では、各前側面ヒンジ３０１は、実質的に細長いヒンジであることがある。一部の実施形態では、この同じ前側面ヒンジ３０１の一部は、図３Ｃ及び図３Ｄにも見られることがある。
【００８３】
図３Ｂでは、２つの後側面ヒンジ３０３の一方の小さい部分が見られることがある。一部の実施形態では、折畳式ロッカー１０１は、２つの対向して配置された後側面ヒンジ３０３を含むことがある。一部の実施形態では、後壁１１９は、後側面ヒンジ３０３を介して各側壁１０５（例えば後壁により近い側壁パネル１０７）に枢動可能に（ヒンジで）取り付けられることがある。一部の実施形態では、各後側面ヒンジ３０３は、折畳式ロッカー１０１の内部に置かれることがある。一部の実施形態では、各後側面ヒンジ３０３は、実質的に細長いヒンジであることがある。一部の実施形態では、この同じ後側面ヒンジ３０３の一部は、図３Ｃにも見られることがある。図３Ｅ及び図３Ｆは、折畳式ロッカー１０１の保存容積内に置かれた他方の後側面ヒンジ３０３を示すことがある。
【００８４】
図３Ｃは、ボルト３１１の一部、筐体３１３、及びボルト受け３１５を示すことがある。一部の実施形態では、折畳式ロッカー１０１は、ボルト３１１、筐体３１３、及びボルト受け３１５を含むことがある。一部の実施形態では、ボルト受け３１５は、ボルト３１１の遠位終端を受領するために前壁１０３における穴であることがある。一部の実施形態では、ボルト３１１の遠位終端がボルト受け３１５の中に挿入されることがある時、荷物受領ロッカー１００は、蓋１１１が前壁１０３に固定されて（又は蓋１１１が側壁１０５に固定されて）ロックされることがある。一部の実施形態では、ボルト３１１の少なくとも一部は、筐体３１３内に収納されることがある。一部の実施形態では、筐体３１３は、蓋１１１の裏側に取り付けられることがある。一部の実施形態では、筐体３１３は、電子機器を収納することがある。一部の実施形態では、ボルト３１１は、ソレノイド、サーボモータ、ウォームドライブ、リニアモータ、磁石、及び／又は同種のものを介して開閉駆動されることがあり、ドライバは、所与の荷物受領ロッカーのコンピューティングデバイス１５００によって制御されることがある。一部の実施形態では、ボルト３１１は、金属及び／又は金属合金、非鉄金属、炭素繊維、（これに限定されないが、ガラス繊維などの充填材入り若しくは無しの）プラスチック、複合材料、セラミック、ラミネート、それらの組合せ、及び／又は同種のものの１つ或いは複数から実質的に構築されることがある。一部の実施形態では、ボルト３１１、筐体３１３、及びボルト受け３１５は、図３Ｄ、図３Ｅ、及び／又は図３Ｆにも見られることがある。
【００８５】
図３Ｃは蓋ヒンジ３０５を示すことがある。一部の実施形態では、折畳式ロッカー１０１は、１つ又は複数の蓋ヒンジ３０５を含むことがある。一部の実施形態では、蓋１１１は、１つ又は複数の蓋ヒンジ３０５を介して、頂面パネル１１６に枢動可能に（ヒンジで）取り付けられることがある。一部の実施形態では、蓋ヒンジ３０５は、折畳式ロッカー１０１内に置かれることがある。一部の実施形態では、蓋ヒンジ３０５は、実質的に細長いヒンジであることがある。一部の実施形態では、蓋ヒンジ３０５は、蓋１１１が開いた時、及び蓋１１１がその独自の負荷重量を受けることがある時に開いたままであり得るように、トルクヒンジ及び／又は摩擦ヒンジであることがある。これは、ユーザの指の上に蓋１１１が意図せずに閉じる指詰め問題を防ぐことがある。蓋ヒンジ３０５は、図３Ｄ、図３Ｅ、及び図３Ｆにも示されていることがある。
【００８６】
図３Ｄは内部への開口３２１を示すことがある。一部の実施形態では、折畳式ロッカー１０１が床面１２１から離れて配置された、その展開した構成にあることがある時に、前壁１０３、側壁１０５、及び後壁１１９の上縁（上唇）に置かれた内部への開口３２１であることがある。一部の実施形態では、折畳式ロッカー１０１がその展開した構成にあることがある時、また蓋１１１が開いていることがある時に、次いで内部への開口３２１の少なくとも一部は外部に見えることがある。一部の実施形態では、折畳式ロッカー１０１がその展開した構成にあることがある時、また蓋１１１が開いていることがある時に、内部への開口３２１は、折畳式ロッカー１０１の内部にアクセスさせることがある。一部の実施形態では、折畳式ロッカー１０１がその展開した構成にあることがある時、また蓋１１１が開いていることがある時に、内部への開口３２１は、折畳式ロッカー１０１の内部空隙容積（空間）にアクセスさせることがある。一部の実施形態では、折畳式ロッカー１０１のこの内部空隙容積は、これに限定されないが、荷物、小包、郵便物、箱、容器、物品、文書、袋、大袋、ポーチ、日用品、電子機器、衣類、食品、飲料、及び／又は同種のものなどの様々な物体を取り外し可能に保管し、及び／又は収納するために使用することがある。
【００８７】
図３Ｅは頂面後方ヒンジ３０７を示すことがある。一部の実施形態では、折畳式ロッカー１０１は、１つ又は複数の頂面後方ヒンジ３０７を含むことがある。一部の実施形態では、頂面パネル１１６は、１つ又は複数の頂面後方ヒンジ３０７を介して、後壁１１９に枢動可能に（ヒンジで）取り付けられることがある。一部の実施形態では、頂面後方ヒンジ３０７は、折畳式ロッカー１０１内に置かれることがある。一部の実施形態では、頂面後方ヒンジ３０７は、実質的に細長いヒンジであることがある。一部の実施形態では、頂面後方ヒンジ３０７は、蓋１１１が開いた時、且つ蓋１１１及び頂面パネル１１６がそれらのヒンジの重量を含むその独自の負荷重量を受けることがある時に開いたままであることがあるように、トルクヒンジ及び／又は摩擦ヒンジであることがある。これは、ユーザの指の上に蓋１１１が意図せずに閉じる指詰め問題を防ぐことがある。頂面後方ヒンジ３０７は、図３Ｆにも示されていることがある。図３Ｃ及び図３Ｄは、頂面後方ヒンジ３０７の頂部を示すことがある。
【００８８】
図３Ｄでは、側面ヒンジ３０９の一部が見られることがある。一部の実施形態では、折畳式ロッカー１０１は、２つの対向して配置された側面ヒンジ３０９を含むことがある。一部の実施形態では、後壁により近い側壁パネル１０７は、側面ヒンジ３０９を介して前壁により近い側壁パネル１０９に枢動可能に（ヒンジで）取り付けられることがある。一部の実施形態では、各側面ヒンジ３０９は、折畳式ロッカー１０１の内部に置かれることがある。一部の実施形態では、各側面ヒンジ３０９は、実質的に細長いヒンジであることがある。図３Ｅ及び図３Ｆも側面ヒンジ３０９の一部を示すことがある。
【００８９】
図４Ａ〜図４Ｈは、荷物受領ロッカー１００の底後部、詳細にはドア取付構造１５１の底面、底面ドアブラケット１５３を示して焦点を当てることがある。図４Ａは、部分背面斜視図から底面ドアブラケット１５３を示すことがある。図４Ｂは、部分背面図から底面ドアブラケット１５３を示すことがある。図４Ｃは、部分側面図から底面ドアブラケット１５３を示すことがある。図４Ｄは、部分平面図から底面ドアブラケット１５３を示すことがある。図４Ｅは、部分底面図から底面ドアブラケット１５３を示すことがある。図４Ｆは、斜視背面図から示した、ドア４５１の上に摺動する過程にある底面ドアブラケット１５３を示すことがある。図４Ｇは、側面図から示した、ドア４５１に取り外し可能に装着した（取り付けた）底面ドアブラケット１５３を示すことがある。図４Ｈは、部分背面斜視図から示した、ドア４５１に取り外し可能に装着した（取り付けた）底面ドアブラケット１５３を示すことがある。
【００９０】
一部の実施形態では、底面ドアブラケット１５３は、ドア４５１のドア底面４５７に取り外し可能に装着するように構成されることがある。例えば図４Ｆ、図４Ｇ、及び図４Ｈを参照されたい。一部の実施形態では、底面ドアブラケット１５３は、種々のドア４５１、具体的には所与の構造（住居、家、事務所、企業、建物、その他など）に立ち入るための外部ドア４５１の幅に概ね適合するサイズ化された、１つ又は複数のブラケットであることがある。一部の実施形態では、底面ドアブラケット１５３は、１つ又は複数の調節ネジ１５５を更に含むことがあり、調節ネジ１５５は、締め付ける時にドア４５１の底面に圧力を加えることがあり、ドア４５１の底面は、底面ドアブラケット１５３のブラケット内に受領されることがある。一部の実施形態では、調節ネジ１５５は、底面ドアブラケット１５３の外部を通って直交して通過することがあり、底面ドアブラケット１５３は、後壁１１９から離れて配置されることがある。例えば図４Ａ、図４Ｂ、図４Ｃ、図４Ｄ、図４Ｅ、図４Ｆ、図４Ｇ、及び図４Ｈを参照されたい。
【００９１】
一部の実施形態では、ドア４５１はスイングするヒンジドアであることがある。一部の実施形態では、ドア４５１は、スイングする側面ヒンジドアであることがある。一部の実施形態では、所与の構造（住居、家、事務所、企業、建物、その他など）に立ち入るためのドアであることがある。一部の実施形態では、ドア４５１は、外部ドア、アクセスドア、及び／又は入口ドアであることがある。一部の実施形態では、ドア４５１は所与の固定した長さ、幅、及び厚さを有する。一部の実施形態では、ドア４５１の幅は、２４インチ〜４２インチプラスマイナス１インチから選択されることがある。例えば米国では、多くのこのような外部ドアは、３６インチ、３２インチ、又は３０インチの幅を有するが、他の所定の幅が適合可能であることがある。ヒンジドアとして、ドア４５１は非ヒンジ側面４５９及び反対側のそのヒンジ側面４６１を有することがある。外部ドアとして、ドア４５１は、ドア内側４５３及び反対側のドア外側４５５の２つの対向する主要表面（主として平面／平らであることがある）を有することがある。ドア内側４５３は、ドア４５１が閉じていることがある時に、所与の建物の内側（内部）に面することがある。ドア外側４５５は、ドア４５１が閉じていることがある時に、所与の建物の外側（外部）に面することがある。ドア４５１の少なくとも一部は、図４Ｆ、図４Ｈ、図５Ｃ〜図５Ｆ、図１２Ａ〜図１２Ｃ、図１３Ａ、図１４Ａ〜図１４Ｅ、及び図３２Ａ〜図３５Ｂに示されていることがある。
【００９２】
一部の実施形態では、底面ドアブラケット１５３は、分離間隙４０３の空隙を形成することがあり、分離間隙４０３の距離は、ドア４５１の幅を取り外し可能に受領するように構成されることがある。一部の実施形態では、分離間隙４０３は、底面ドアブラケット１５３の対向する領域内に（から）形成されることがある。一部の実施形態では、底面ドアブラケット１５３は、曲がって底面ドアブラケット１５３の領域から離れることがある、離れる湾曲４０１の領域で終了することがあり、底面ドアブラケット１５３の領域は後壁１１９に取り付けられ、又は後壁１１９の一部であることがある。一部の実施形態では、この離れる湾曲４０１は、底面ドアブラケット１５３へのドア４５１の幅及び底面の負荷をより容易にさせることがある。一部の実施形態では、この離れる湾曲４０１は、離れる湾曲４０１の前は、後壁１１９に取り付けられ、又は後壁１１９の一部であることがある、底面ドアブラケット１５３に向かって戻って湾曲する底面ドアブラケット１５３の一部であることがあるので、ドア４５１の幅及び底面に対して底面ドアブラケット１５３を留める機能を促進することがある。例えば図４Ｃを参照されたい。
【００９３】
一部の実施形態では、所与のドア４５１と物理的に接触することがある、底面ドアブラケット１５３の表面及び／又は調節ネジ１５５の表面は、ドア４５１の底面へのあらゆる損傷を最小にするために詰め物をし、及び／又は緩衝材を備えることがある。一部の実施形態では、このような詰め物をすること、及び／又は緩衝材を備えることは、ゴム、シリコン、エラストマ、それらの組合せ、及び／又は同種のものの使用によって達成されることがある。例えば図４Ｃにおける保護被覆４０５及び保護被覆４０７を参照されたい。一部の実施形態では、保護被覆４０５は、ドア４５１の外部表面に接触することがある、調節ネジ１５５の表面上にあることがある。一部の実施形態では、保護被覆４０７は、ドア４５１の外部表面に接触することがある、底面ドアブラケット１５３の表面上にあることがある。例えば図４Ｃを参照されたい。
【００９４】
一部の実施形態では、荷物受領ロッカー１００をドア４５１に取り外し可能に取り付ける（若しくは分離する）時に、荷物受領ロッカー１００は、実質的に折り畳んだ構成又は実質的に展開した構成にあることがある。
【００９５】
一部の実施形態では、荷物受領ロッカー１００をドア４５１に取り外し可能に取り付ける時に、ドア底面４５７は、ドア４５１の非ヒンジ側面４５９から底面ドアブラケット１５３の底面の頂面で摺動することがある。例えば図４Ｆを参照されたい。一部の実施形態では、荷物受領ロッカー１００がドア４５１に取り外し可能に取り付けられることがある時に、調節ネジ１５５を含む底面ドアブラケット１５３の少なくとも一部は、ドア４５１が入室を許可することがある構造の内部に置かれることがあり、折畳式ロッカー１０１は、ドア４５１が入室を許可することがあるこの構造の外部に置かれることがある。
【００９６】
一部の実施形態では、荷物受領ロッカー１００がドア４５１に取り外し可能に取り付けられることがある時に、調節ネジ１５５を含む底面ドアブラケット１５３の少なくとも一部は、ドア４５１のドア外側４５５よりドア４５１のドア内側４５３に近く、ドア内側４５３付近に置かれることがあり、折畳式ロッカー１０１は、ドア４５１のドア内側４５３よりドア４５１のドア外側４５５に近く、ドア外側４５５付近に置かれることがある。例えば図４Ｇ及び図４Ｈを参照されたい。
【００９７】
一部の実施形態では、荷物受領ロッカー１００がドア４５１に取り外し可能に取り付けられることがある時に、ドア４５１に関して最終の意図した場所において、折畳式ロッカー１０１は、ドア４５１の非ヒンジ側面４５９よりドア４５１のヒンジ側面４６１に近く置かれることがある。例えば図４Ｈ、図５Ｅ、及び図５Ｆを参照されたい。折畳式ロッカー１０１をドア４５１上にこのように位置付けることは、荷物受領ロッカー１００がドア４５１に取り外し可能に取り付けられることがある時に、ドア４５１の意図した機能、すなわちドア４５１の開閉を保つために重要であることがある。
【００９８】
図５Ａ〜図５Ｆは、荷物受領ロッカー１００の上後部、詳細にはドア取付構造１５１の上部、２つの対向するＪフック１５７／１５９を示して焦点を当てることがある。図５Ａは、２つの対向するＪフック１５７／１５９を示す、背面斜視図からその完全に展開した構成にある荷物受領ロッカー１００を示すことがある。図５Ｂは、２つの対向するＪフック１５７／１５９を示す、背面斜視図からその完全に展開した構成にある荷物受領ロッカー１００を示すことがある。図５Ｂでは、摺動Ｊフック１５９は、そのＪフック受け１６１から完全に外れて摺動して示されていることがある。図５Ｃは、背面斜視図から示したドア４５１の上に摺動する過程にある底面ドアブラケット１５３を示すことがある。また一旦完全に摺動すると、ドア４５１の非ヒンジ側面４５９は、Ｊフック１５７を枢動することによって取り外し可能に係合（捕捉）されることがある。図５Ｄは、ドア内側４５３を示す背面斜視図から示した、Ｊフック１５７を枢動することによって取り外し可能に捕捉（係合）された、ドア４５１の非ヒンジ側面４５９を示すことがある。図５Ｄは、そのＪフック受け１６１から完全に外れて摺動したＪフック１５９を示すことがあり、次いでそのフック部がドア４５１のヒンジ側面４６１を取り外し可能に係合（捕捉）するまで、そのＪフック受け１６１に摺動して戻る摺動フック１５９により、ドア４５１のヒンジ側面４６１を摺動フック１５９と取り外し可能に係合（捕捉）するのを促進することがある。
【００９９】
図５Ｅ及び図５Ｆは、ドア外側４５５を示す前斜視図から示した、２つの対向するＪフック１５９／１５７によって取り外し可能に捕捉される、ドア４５１の対向する両方の側面（ヒンジ側面４６１及び非ヒンジ側面４５９）を示すことがある。一部の実施形態では、摺動Ｊフック１５９は、ドア４５１のヒンジ側面４６１を取り外し可能に捕捉（係合）することがある。一部の実施形態では、枢動Ｊフック１５７は、ドア４５１の非ヒンジ側面４５９を取り外し可能に捕捉（係合）することがある。
【０１００】
注、図５Ｅ及び図５Ｆは、これらの２つの斜視図のそれぞれに示されたドア４５１が、交代した、すなわち反対側にそのヒンジ側面４６１及び非ヒンジ側面４５９を有することがあるという点で異なる。一部の実施形態では、枢動Ｊフック１５７は、後壁１１９の左側に置かれることがあり、摺動Ｊフック１５９は反対側、後壁１１９の右側に置かれることがあり、例えば図５Ａを参照されたい。しかし他の実施形態では、この配置は交代することがあり、枢動Ｊフック１５７は後壁１１９の右側に置かれ、摺動Ｊフック１５９は後壁１１９の左側に置かれる。
【０１０１】
一部の実施形態では、両方の対向するＪフック１５７／１５９は、摺動Ｊフックであることがある。一部の実施形態では、両方の対向するＪフック１５７／１５９は、枢動Ｊフックであることがある。
【０１０２】
一部の実施形態では、上に論じたドア取付構造１５１では、ドア４５１が閉じていることがある時に、荷物受領ロッカー１００／９００は、ドア４５１から取り外されないことがある。一部の実施形態では、上に論じたドア取付構造１５１では、ドア４５１が開いていることがある時に、荷物受領ロッカー１００／９００は、ドア４５１から取り外されることがある。
【０１０３】
図６Ａ及び図６Ｂは、荷物受領ロッカー１００の２つの斜視分解図を描くことがある。図６Ａは、荷物受領ロッカー１００の背面斜視分解図を描くことがある。図６Ａでは、前壁内部６０３が部分的に見られることがある。一部の実施形態では、前壁内部６０３は、前壁１０３の表面に面する内部であることがある。図６Ｂは、荷物受領ロッカー１００の正面左斜視分解図を描くことがある。図６Ｂでは、側壁内部６０５が部分的に見られることがある。一部の実施形態では、側壁内部６０５は、側壁１０５の表面に面する内部であることがある。図６Ｂでは、後壁内部６１９が部分的に見られることがある。一部の実施形態では、後壁内部６１９は、後壁１１９の表面に面する内部であることがある。図６Ｂは、２つの底面ヒンジ６０７を示すことがある。一部の実施形態では、底面ヒンジ６０７は、後壁１１９の底面に対して床面１２１の枢動運動が可能であることがある。一部の実施形態では、底面ヒンジ６０７は、後壁１１９の底面に、及び床面１２１に取り付けられることがある。一部の実施形態では、折畳式ロッカー１０１は、１つ又は複数のこのような底面ヒンジ６０７を含むことがある。図６Ｂは、インターフェース筐体６１５を示すことがある。一部の実施形態では、外部インターフェース１１５の頂面は、インターフェース筐体６１５に取り付けられることがある。一部の実施形態では、インターフェース筐体６１５は、外部インターフェース１１５の電子機器を収納することがある。一部の実施形態では、折畳式ロッカー１０１は、インターフェース筐体６１５を含むことがある。一部の実施形態では、インターフェース筐体６１５は、蓋１１１上及び／又は蓋１１１内に置かれることがある。
【０１０４】
図６Ｂの検討を続けると、一部の実施形態では、折畳式ロッカー１０１は、キックスタンド・サブアセンブリを含むことがある。一部の実施形態では、キックスタンド・サブアセンブリは、キックスタンド６２１、キックスタンド筐体６２３、キックスタンド筐体受け６２５、バネ６２７、及びピン６２９を含むことがある。図１３Ａ及び図１３Ｂは、キックスタンド・サブアセンブリ１３０１の使用を示すことがある。一部の実施形態では、このキックスタンド・サブアセンブリの使用は、実質的に展開した構成で、実質的に床／地面の高さであることがある手法で、ドア４５１がそのドア４５１の着床に対して高い閾値を有することがあり、及び／又はステップがドア４５１付近に接近することがある状況で、荷物受領ロッカー１００を保管し／使用することができることがある。すなわちこのキックスタンド・サブアセンブリは、折畳式ロッカー１０１用のレベリング装置／ツールであることがある。図６Ｂの検討を続けると、一部の実施形態では、キックスタンド６２１は、実質的に硬質から半硬質であることがある、細長い部材であることがある。一部の実施形態では、キックスタンド６２１は、キックスタンド筐体６２３から必要に応じて伸びることがある。一部の実施形態では、キックスタンド６２１は、キックスタンド筐体６２３内に収納されることがある。一部の実施形態では、キックスタンド６２１は、キックスタンド筐体６２３の中に収縮されることがある。一部の実施形態では、キックスタンド筐体受け６２５は、キックスタンド筐体６２３を保持し、及び／又は受領するための折畳式ロッカー１０１上の場所であることがある。一部の実施形態では、キックスタンド筐体受け６２５は、キックスタンド筐体６２３を保持し、及び／又は受領するための前壁１０３上の場所であることがある。一部の実施形態では、キックスタンド筐体受け６２５は、キックスタンド筐体６２３を保持し、及び／又は受領するための折畳式ロッカー１０１上の刻み場所であることがある。一部の実施形態では、キックスタンド筐体受け６２５は、キックスタンド筐体６２３を保持し、及び／又は受領するための前壁１０３上の刻み場所であることがある。一部の実施形態では、キックスタンド筐体６２３は、バネ６２７を収納することがある。一部の実施形態では、バネ６２７は、キックスタンド６２１及びキックスタンド筐体６２３の両方に作動可能に連結されることがある。一部の実施形態では、バネ６２７は、ねじりバネであることがある。一部の実施形態では、バネ６２７は、展開したキックスタンド６２１がキックスタンド筐体６２３の中に戻って収縮するのを促進することがある。一部の実施形態では、キックスタンド筐体６２３は、ピン６２９を収納することがある。一部の実施形態では、ピン６２９は、キックスタンド６２１及びキックスタンド筐体６２３の両方に作動可能に連結されることがある。一部の実施形態では、ピン６２９は、キックスタンド６２１の枢動運動を促進することがある。注、一部の実施形態では、１０１は、このようなキックスタンド・サブアセンブリを持たないことがある。
【０１０５】
図７は、蓋１１１が開いた状態の荷物受領ロッカー１００の部分正面図であることがある。図７は、荷物受領ロッカー１００の蓋１１１の裏側図を描くことがある。図７は、蓋内部７１１を描くことがある。一部の実施形態では、蓋内部７１１は、蓋１１１の表面に面する内部であることがある。一部の実施形態では、筐体３１３は、蓋内部７１１に取り付けられることがある。
【０１０６】
図８は、蓋１１１が開いた状態の荷物受領ロッカー１００の斜視図を描くことがある。折畳式ロッカー１０１の表面に面する一部の内部は、側壁内部６０５、後壁内部６１９、及び蓋内部７１１などの、図８に一部が示されていることがある。
【０１０７】
図９Ａ〜図９Ｉは、様々な図から実質的に展開した構成にある荷物受領ロッカー９００を示すことがある。図９Ａは、展開した荷物受領ロッカー９００の正面左平面斜視（等角）図を描くことがある。図９Ｂは、図９Ａから展開した荷物受領ロッカー９００の背面左平面斜視図を描くことがある。図９Ｃは、図９Ａから展開した荷物受領ロッカー９００の正面図を描くことがある。図９Ｄは、図９Ａから展開した荷物受領ロッカー９００の背面図を描くことがある。図９Ｅは、図９Ａから展開した荷物受領ロッカー９００の右側面図を描くことがある。図９Ｆは、図９Ａから展開した荷物受領ロッカー９００の左側面図を描くことがある。図９Ｇは、図９Ａから展開した荷物受領ロッカー９００の平面図を描くことがある。図９Ｈは、図９Ａから展開した荷物受領ロッカー９００の底面図を描くことがある。図９Ｉは、図９Ａから展開した荷物受領ロッカー９００の平面図を描くことがあるが、蓋１１１が取り外されて示されているので、折畳式ロッカー１０１の内部の少なくとも一部を見られることがある。
【０１０８】
荷物受領ロッカー９００は、荷物受領ロッカー１００に対する追加実施形態又は代替実施形態であることがある。一部の実施形態では、荷物受領ロッカー９００は、荷物受領ロッカー１００と実質的に同じ目的を有することがある。一部の実施形態では、荷物受領ロッカー９００は、荷物受領ロッカー１００と実質的に同じ問題を解決することがある。一部の実施形態では、荷物受領ロッカー９００は、荷物受領ロッカー１００と実質的に同様に行うことがある。一部の実施形態では、荷物受領ロッカー９００は、荷物受領ロッカー１００と実質的に同様に機能することがある。一部の実施形態では、荷物受領ロッカー９００は、特徴、部品、構成要素、幾何形状、構造、機構、作動、それらの組合せ及び／又は同種のものの少なくとも１つに関して、荷物受領ロッカー１００に実質的に同様であることがある。従って図９Ａ〜図９Ｉは、同様又は同じ特徴、部品、構成要素、幾何形状、構造、機構、及び／又は作動に言及するために、荷物受領ロッカー１００と共に使用するのと同じ参照番号を示すことがある。例えば本発明の範囲を限定することなく、一部の実施形態では、荷物受領ロッカー９００は、折畳式ロッカー１０１及びドア取付構造１５１を含むことがある。一部の実施形態では、折畳式ロッカー１０１は、蓋１１１、２つの対向する側壁１０５、前壁１０３、後壁１１９、床面１２１、及びコンピューティングデバイス１５００を含むことがある。一部の実施形態では、ドア取付構造１５１は、底面ドアブラケット１５３及び２つの対向する摺動Ｊフック１５９を含むことがある。これらの構成要素は、荷物受領ロッカー１００について実質的に上に記載した通りであることがある。
【０１０９】
しかし荷物受領ロッカー１００と荷物受領ロッカー９００との間に若干違いがあることがあり、その一部は以下に論じられることがある。一部の実施形態では、折畳式ロッカー１０１は、荷物受領ロッカー９００が実質的に折り畳んだ構成であることがある時に、折畳式壁／パネルを収納するために後壁１１９の付近の、及び／又は後壁１１９に取り付けられた、実質的に中空の長方形のプリズム構造を更に含むことがある。この長方形のプリズム構造は、頂面パネル１１６により頂面に、２つの対向する側面パネル９０５によって両側に、底面パネル９２３（図１１Ｂに示されている）により底面に、また後壁１１９により裏面に束縛され、折畳式壁／パネルの入出のためにその正面が開くことがある。例えば図９Ａ、図９Ｂ、及び図１１Ｂを参照されたい。一部の実施形態では、頂面パネル１１６、側面パネル９０５、及び底面パネル９２３は、荷物受領ロッカー９００の背面に向かって置かれることがある。一部の実施形態では、側面パネル９０５は、頂面パネル１１６及び／又は底面パネル９２３により分離されて互いに対向することがある。一部の実施形態では、頂面パネル１１６は、底面パネル９２３に対向し、側面パネル９０５によって分離されることがある。一部の実施形態では、側面パネル９０５は、実質的に平行であることがある。一部の実施形態では、頂面パネル１１６及び底面パネル９２３は、実質的に平行であることがある。一部の実施形態では、頂面パネル１１６は、側面パネル９０５に実質的に垂直であることがある。一部の実施形態では、底面パネル９２３は、側面パネル９０５に実質的に垂直であることがある。一部の実施形態では、後壁により近い側壁パネル１０７は、ヒンジ（例えば後側面ヒンジ３０３）を介して側面パネル９０５に取り付けることがある。一部の実施形態では、側面パネル９０５は、後壁１１９の側面から垂直に離れて延在することがある。一部の実施形態では、底面パネル９２３は、後壁１１９の底面から垂直に離れて延在することがある。一部の実施形態では、頂面パネル１１６、側面パネル９０５、及び底面パネル９２３は、固定した構造であることがある。
【０１１０】
一部の実施形態では、折畳式ロッカー１０１は、１つ又は複数の入力部９５１を含むことがある。一部の実施形態では、入力部９５１は、折畳式ロッカー１０１の外部上及び／又は内部上に置かれることがある。一部の実施形態では、入力部９５１は、頂面パネル１１６、蓋１１１、前壁１０３、側壁１０５、後壁１１９、蓋内部７１１、前壁内部６０３、側壁内部６０５、及び／又は後壁内部６１９上に置かれることがある。一部の実施形態では、入力部９５１は、電源受信ポート、データ通信ポート、ボタン、スイッチ、カメラ、マイクロフォン、アンテナ、ＲＦＩＤタグ、ＮＦＣタグ、それらの組合せ、及び／又は同種のものの１つ又は複数であることがある。例えば図９Ａを参照されたい。
【０１１１】
一部の実施形態では、２つの対向する摺動Ｊフック１５９は、後壁１１９上に２つの異なる高さで置かれることがある。（一部の実施形態では、１つ又は複数の摺動Ｊフック１５９は、枢動Ｊフック１５７と交換されることがある。）一部の実施形態では、底面ドアブラケット１５３は、実質的に後壁１１９の幅に沿って延在することがある。一部の実施形態では、底面ドアブラケット１５３は、単一のブラケットであることがある。（一部の実施形態では、底面ドアブラケット１５３は、複数のブラケットであることがある。）例えば図９Ｂを参照されたい。
【０１１２】
一部の実施形態では、外部インターフェース１１５は、実質的に蓋１１１の上外部と同一平面であることがある。例えば図９Ａ及び図９Ｂを参照されたい。一部の実施形態では、外部インターフェース１１５は、蓋１１１の上外部から離れて延在（突出）することがある。例えば図１Ａを参照されたい。
【０１１３】
一部の実施形態では、床面１２１は、主要部（依然として床面１２１と指定されている）及び遠位床面９２１と指定された遠位部の２つの部分に分割されることがある。一部の実施形態では、遠位床面９２１は、床面１２１が後壁１１９に（ヒンジを介して）取り付けられ、又は底面パネル９２３に（ヒンジを介して）取り付けられた場所から離れて置かれることがある。一部の実施形態では、床面１２１が後壁１１９から離れて終了する場合、床面１２１は、連結具９２２を介して遠位床面９２１と通信することがある。一部の実施形態では、連結具９２２は、１つ又は複数のヒンジであることがある。一部の実施形態では、床面１２１及び／又は遠位床面９２１は、１つ又は複数の床面穴１２３を含むことがある。一部の実施形態では、床面穴１２３は、所定のパターンに配置されることがある。一部の実施形態では、各床面穴１２３は、所定の形状を有することがある。例えば図９Ｈ及び図９Ｉを参照されたい。
【０１１４】
図９Ｈは、２つの対向する隆起部９０６も示すことがあり、隆起部９０６は、２つの対向する後壁により近い側壁パネル１０７の対向する底面から互いに向かって内方に延在することがある。一部の実施形態では、隆起部９０６は固定されることがある。一部の実施形態では、隆起部９０６は、折畳式ロッカー１０１が完全に展開した構成にあることがある時に、床面１２１の対向する部分を支持して捕捉することがある。
【０１１５】
一部の実施形態では、荷物受領ロッカー９００の特徴、部品、構成要素、幾何形状、構造、機構、及び／又は作動は、荷物受領ロッカー１００の特徴、部品、構成要素、幾何形状、構造、機構、及び／又は作動と交換可能であり及び／又は混合されることがある。
【０１１６】
図１０は、荷物受領ロッカー９００の正面斜視分解図を描くことがある。一部の実施形態では、各（若しくはあらゆる）側面パネル１０５は、側面パネル穴１００５と指定された１つ又は複数の穴を含むことがある。一部の実施形態では、１つ又は複数の側面パネル穴１００５は、所与の側面パネル１０５の頂面に向かって置かれることがあり、折畳式ロッカー１０１の内部の換気を提供することがある。一部の実施形態では、１つ又は複数の側面パネル穴１００５は、所与の側面パネル１０５の頂面に向かって置かれることがあり、ユーザが折畳式ロッカー１０１を把持するための構造を提供することがあり、すなわちこのような側面パネル穴１００５は、ハンドルとして機能することがある。
【０１１７】
図１０の検討を続けると、一部の実施形態では、各（若しくはあらゆる）側面パネル１０５は、ロック１００６を含むことがある。一部の実施形態では、ロック１００６は、完全に展開した構成において側面ヒンジ３０９の適所で側面パネル１０５をロックすることがあり、側壁１０５が側面ヒンジ３０９で内側に折り畳まれるのを防ぐ。一部の実施形態では、ロック１００６は、側面パネル１０５の頂面に沿って摺動することがある摺動部材であることがある。一部の実施形態では、ロック１００６は、実質的に硬質から半硬質であることがある。
【０１１８】
図１０の検討を続けると、一部の実施形態では、折畳式ロッカー１０１は、キックスタンド・サブアセンブリ１３０１を含むことがある。一部の実施形態では、キックスタンド・サブアセンブリ１３０１は、キックスタンド６２１、キックスタンド筐体６２３、キックスタンド筐体受け６２５、引手１０２２、アンカー１０２４、及びブラケット１０２６を含むことがある。図１３Ａ及び図１３Ｂは、キックスタンド・サブアセンブリ１３０１の使用を示すことがある。一部の実施形態では、このキックスタンド・サブアセンブリ１３０１の使用は、実質的に展開した構成で、実質的に床／地面の高さであることがある手法で、ドア４５１がそのドア４５１の着床に対して高い閾値を有することがあり、及び／又はステップがドア４５１付近に近いことがある状況で、荷物受領ロッカー９００を保管／使用することができることがある。すなわちこのキックスタンド・サブアセンブリは、折畳式ロッカー１０１用のレベリング装置／ツールであることがある。図１０の検討を続けると、一部の実施形態では、キックスタンド６２１は、実質的に硬質から半硬質であることがある、細長い部材であることがある。一部の実施形態では、キックスタンド６２１は、固く巻かれた実質的に硬いバネであることがある、細長い部材であることがある。一部の実施形態では、キックスタンド６２１の終端は、床／地面に物理的に接触することがある一方で、その反対側の端部は、アンカー１０２４に捕捉される（取り付けられる）ことがある。一部の実施形態では、アンカー１０２４は、キックスタンド筐体６２３内で摺動して上下することがある。一部の実施形態では、アンカー１０２４に取り付けられるのは、ブラケット１０２６及び引手１０２２であることがある。一部の実施形態では、引手１０２２は、ハンドルを有することがあり、キックスタンド６２１を展開又は収縮するためにそれぞれ引き上げ又は引き下げるように構成されることがある。
【０１１９】
図１１Ａ〜図１１Ｃは、実質的に折り畳んだ構成から実質的に展開した構成まで展開する過程にある荷物受領ロッカー９００を示すことがある。
【０１２０】
図１１Ａは、実質的に折り畳んだ荷物受領ロッカー９００の正面左平面斜視図を描くことがある。一部の実施形態では、実質的に折り畳んだ構成において、前壁１０３、側面パネル１０５及び床面１２１は、後壁１１９、側面パネル９０５、頂面パネル１１６、及び底面パネル９２３から形成された細長いプリズム内に取り外し可能に保管されることがある。一部の実施形態では、実質的に折り畳んだ構成において、蓋１１１は見えることがあり、蓋１１１は、前壁１０３、側面パネル１０５及び床面１２１の上を覆うことがある。
【０１２１】
図１１Ｂは、前壁１０３、２つの対向する側壁１０５、及び床面１２１を展開できるために、上昇した荷物受領ロッカー９００の蓋１１１を描くことがある。図１１Ｂは、底面パネル９２３に置かれたボルト受け１１１５を示すことがある。一部の実施形態では、ボルト受け１１１５は、荷物受領ロッカー９００が実質的に閉じた構成であることがある時に、蓋１１１が底面パネル９２３にロックされることがあるように、遠位部ボルト３１１を受領することがある。一部の実施形態では、ボルト受け１１１５は、ロックするためにボルト３１１の遠位部を取り外し可能に受領するように構成された、底面パネル９２３内の穴であることがある。
【０１２２】
一部の実施形態では、折畳式ロッカー１０１が実質的に折り畳んだ構成にあることがある時に、少なくとも１つの蓋１１１は、折畳式ロッカー１０１が実質的に（完全に）広げた（展開した）構成に意図せず展開するのを防ぐためにロックできることがある。
【０１２３】
図１１Ｃは、実質的に展開した構成を形成する過程で、折畳式ロッカー１０１から、後壁１１９から引かれて離れる前壁１０３及び２つの対向する側壁１０５を示すことがある。一旦前壁１０３が後壁１１９から引かれて完全に離れることがあると、次いで側壁１０５は完全に適所にあることがあり、側壁１０５を内方に折り畳むのを防ぐために、ロック１００６を側面ヒンジ３０９の上に摺動することによりさらにロックされることがある。一旦前壁１０３が後壁１１９から引かれて完全に外れることがあると、次いで床面１２１は、下方に（例えばヒンジを介して）枢動して隆起部９０６及び／又は床面支持部１２７を捕捉することがある。
【０１２４】
図１２Ａ〜図１２Ｃは、ドア４５１の対向する側面４５９／４６１を取り外し可能に捕捉することがある、２つの対向するＪフック１５９を介して、ドア４５１に取り外し可能に取り付けられた荷物受領ロッカー９００を示すことがあり、またドア４５１のドア底面４５７の一部の周りの１５３の一部を示すことがある。図１２Ａ〜図１２Ｃでは、荷物受領ロッカー９００は、実質的に折り畳んだ構成にあることがあるが、荷物受領ロッカー９００は、その完全に展開した構成にあり、依然として図１２Ａ〜図１２Ｃに示されたようにドア４５１に取り外し可能に取り付けられることが可能である。
【０１２５】
図１２Ａは、ドア４５１に取り外し可能に取り付けられた、実質的に折り畳んだ荷物受領ロッカー９００の正面右斜視図を描くことがある。一部の実施形態では、折畳式ロッカー１０１が、展開を意図してドア４５１に取り外し可能に取り付けられることがある時に、次いで折畳式ロッカー１０１は、ドア内側４５３の反対のドア外側４５５上に置かれることがある。ドア外側４５５は図１２Ａに示されることがある。しかし荷物受領ロッカー９００が、その実質的に折り畳んだ構成で保管されるように意図した場合は、次いで折畳式ロッカー１０１は、折畳式ロッカー１０１がドア内側４５３上に置かれることがあるように、ドア４５１に装着されることがある。
【０１２６】
図１２Ｂは、ドア４５１に取り外し可能に取り付けられた、実質的に折り畳んだ荷物受領ロッカー９００の背面右斜視図を描くことがある。図１２Ｂのこの図は、ドア内側４５３からなることがある。図１２Ｂは、ドア４５１に取り外し可能に取り付けられた荷物受領ロッカー９００を示すことがあり、２つの対向するＪフック１５９は、ドア４５１の対向する側面（縁部）４５９／４６１を取り外し可能に捕捉（係合）する。図１２Ｂは、ドア４５１に取り外し可能に取り付けられた荷物受領ロッカー９００を示すことがあり、ドア底面４５７の一部は、底面ドアブラケット１５３上に着座し、調節ネジ１５５を介して適所に固定される。
【０１２７】
図１２Ｃは、実質的に折り畳んだ荷物受領ロッカー９００の正面右斜視図を描くことがあり、２つの対向するＪフック１５９は、ドア４５１の２つの対向する縁部４５９／４６１に取り外し可能に固定される過程にある。又は図１２Ｃは、ドア４５１の２つの対向する縁部４５９／４６１から取り外し可能に引き離す過程にある、２つの対向するＪフック１５９を示すことがある。一部の実施形態では、Ｊフック１５９は、後壁１１９の裏側に置かれたＪフック受け１６１を介して摺動して収納されることがある。
【０１２８】
注、一部の実施形態では、荷物受領ロッカー９００がドア４５１に適切に取り付けられることがある時に、荷物受領ロッカー９００は、非ヒンジ側面４５９よりヒンジ側面４６１に接近して置かれることがある。例えば図１２Ａ、図１２Ｂ、及び図１２Ｃを参照されたい。
【０１２９】
図１３Ａ及び図１３Ｂは、キックスタンド・アセンブリ１３０１の使用を示すことがある。図１３Ａは、比較的短い着床面１３１１及び／又はドア４５１から傾斜して離れることがある着床面１３１１、及び／又はドア４５１に比較的近いことがある段頂面１３１５のシナリオで使用する、キックスタンド・アセンブリ１３０１の正面左斜視図を描くことがある。図１３Ｂは、比較的短い着床面１３１１及び／又はドア４５１から傾斜して離れることがある着床面１３１１、及び／又はドア４５１に比較的近いことがある段頂面１３１５のシナリオで使用する、キックスタンド・アセンブリ１３０１の正面右斜視図を描くことがある。
【０１３０】
着床面１３１１が比較的狭い（短い）幅を有することがあるシナリオでは、着床面１３１１は水平でないことがあり（例えばドア４５１から傾斜して離れることがあり）、及び／又はドア４５１は、段頂面１３１５に比較的近いことがあり、次いでキックスタンド・アセンブリ１３０１の使用により、折畳式ロッカー１０１がキックスタンド６２１と水平であることができる、及び／又はキックスタンド６２１が折畳式ロッカー１０１の負荷の一部に耐えることができることがある。このようなシナリオでは、キックスタンド６２１は、広がる（展開する）ことがあるので、その終端は、着床面１３１１の頂面、又は段頂面１３１５の上に着座し、キックスタンド６２１は十分に広がる（展開する）ことがあるので、折畳式ロッカー１０１は実質的に水平を維持することがある。例えば図１３Ａ及び図１３Ｂを参照されたい。一部の実施形態では、荷物受領ロッカー９００が、ドア４５１に取り外し可能に取り付けられることがある時、またドア４５１が内方に開く（着床面１３１１及び段頂面１３１５から離れる）ことがある時に、キックスタンド６２１が、着床面１３１１又は段頂面１３１５の上に展開することがある時、次いでキックスタンド６２１は、このドア４５１が内方に開く動きを妨げないように曲がる及び／又は枢動することがあり、更に一部の実施形態では、このドア４５１の内方に開く動きは、キックスタンド６２１をそのキックスタンド筐体６２３の中に戻って収縮させることもある。
【０１３１】
一部の実施形態では、荷物受領ロッカー１００／９００／２２００／３６００が、その完全に（又は実質的に）展開した構成にあり、ドア４５１に取り外し可能に取り付けられることがある時、荷物受領ロッカー１００／９００／２２００／３６００は、ドア４５１の垂直方向に対して、ドア４５１の中間より地面／床面に近いことがある。これにより、蓋１１１を保ち、地面／床面に比較的近い荷物受領ロッカー１００／９００／２２００／３６００にアクセスすることがあり、これは、ユーザ２（若しくはユーザ１）が背が低い及び／又は脆弱であることがある時に望ましいことがある。これは、通り／縁石から荷物受領ロッカー１００／９００／２２００／３６００が見えることを低減する助けともなることがあり、これは次いで窃盗犯／玄関海賊が気付くのを避ける助けとなることがある。例えば図１３Ａ、図１３Ｂ、図４Ｇ、図４Ｈ、図５Ｅ、及び図５Ｆを参照されたい。
【０１３２】
図１４Ａ〜図１４Ｅは、典型的なヒンジ出入口機構の平面図を示すことがある。
【０１３３】
図１４Ａは、典型的なヒンジ出入口及びその関連した機構の平面図形を示すことがある。一部の実施形態では、ドア４５１は、ヒンジ側壁１４０３に近いドア枠にヒンジを介して側面が装着されることがある。一部の実施形態では、ヒンジ側壁１４０３に少なくともドア４５１の幅だけ反対側に、非ヒンジ側壁１４０１が配置されることがある。一部の実施形態では、非ヒンジ側壁１４０１とヒンジ側壁１４０３との間に、典型的なヒンジ出入口が配置されることがある。一部の実施形態では、ドア４５１が閉じていることがある時に、非ヒンジ側面４５９は、ヒンジ側壁１４０３より非ヒンジ側壁１４０１に近いことがあり、ヒンジ側面４６１は、非ヒンジ側壁１４０１よりヒンジ側壁１４０３に近いことがある。一部の実施形態では、ドア４５１が閉じていることがある時に、ドア内側４５３は、所与の構造の内部に面することがある（例えば所与の構造は、家庭、住居、企業、事務所、その他であることがある）。一部の実施形態では、ドア４５１が閉じていることがある時に、ドア外側４５５は、所与の構造の外部に面することがある。
【０１３４】
図１４Ｂは、典型的なヒンジ出入口及びその関連した機構の平面図形を狭過ぎるロッカー１４０５と合わせて示すことがあり、狭過ぎるロッカー１４０５は、狭過ぎるロッカー１４０５が非ヒンジ側面４５９に近付き過ぎてドア４５１に取り付けられることがある時に、ドア４５１の開口に問題があることがある。従って所与のロッカーが比較的小さい時であっても、そのロッカーが非ヒンジ側面４５９に近付き過ぎて取り付けられる場合、そのロッカーがドア４５１に取り付けられることがある時、次いでドア４５１を開こうと試みることがある時に、狭過ぎるロッカー１４０５の一部は、非ヒンジ側壁１４０１に衝突し、ドア４５１が適切に開くのを妨げることがある。これは、苛立たしく及び／又は安全問題であることがある。一部の実施形態では、適切なドア４５１の開口機能が望ましい又は必要であることがある時には、所与のロッカーは、非ヒンジ側面４５９よりヒンジ側面４６１の近くでドア４５１に取り付けるべきであり、この要件は、次いでドア４５１に取り付ける所与のロッカーの大きさ及び形状の制限（並びに配列／場所の制限）を加えることがある。
【０１３５】
図１４Ｃは、典型的なヒンジ出入口及びその関連した機構の平面図形を広過ぎるロッカー１４０７と合わせて示すことがあり、広過ぎるロッカー１４０７は、広過ぎるロッカー１４０７が非ヒンジ側面４５９に近付き過ぎてドア４５１に取り付けられることがある時に、ドア４５１の開口に問題があることがある。広過ぎるロッカー１４０７が広過ぎる場合、ドア４５１へのその取付は、広過ぎるロッカー１４０７を非ヒンジ側面４５９に近付き過ぎて置くことがあるので、次いでドア４５１を開こうと試みることがある時に、広過ぎるロッカー１４０７の一部は、非ヒンジ側壁１４０１に衝突し、ドア４５１が適切に開くのを妨げることがある。これは、苛立たしく及び／又は安全問題であることがある。一部の実施形態では、適切なドア４５１の開口機能が望ましい又は必要であることがある時には、所与のロッカーは、非ヒンジ側面４５９よりヒンジ側面４６１の近くでドア４５１に取り付けるべきであり、この要件は、次いでドア４５１に取り付ける所与のロッカーの大きさ及び形状の制限（並びに配列／場所の制限）を加えることがある。
【０１３６】
図１４Ｄは、典型的なヒンジ出入口及びその関連した機構の平面図形を深過ぎるロッカー１４０９と合わせて示すことがあり、深過ぎるロッカー１４０９は、深過ぎるロッカー１４０９が非ヒンジ側面４５９に近付き過ぎてドア４５１に取り付けられることがある時に、ドア４５１の開口に問題があることがある。深過ぎるロッカー１４０９が深過ぎる場合、ドア４５１へのその取付は、深過ぎるロッカー１４０９を非ヒンジ側面４５９に近付き過ぎて置くことがあるので、次いでドア４５１を開こうと試みることがある時に、深過ぎるロッカー１４０９の一部は、非ヒンジ側壁１４０１に衝突し、ドア４５１が適切に開くのを妨げることがある。これは、苛立たしく及び／又は安全問題であることがある。一部の実施形態では、適切なドア４５１の開口機能が望ましい又は必要であることがある時には、所与のロッカーは、非ヒンジ側面４５９よりヒンジ側面４６１の近くでドア４５１に取り付けるべきであり、この要件は、次いでドア４５１に取り付ける所与のロッカーの大きさ及び形状の制限（並びに配列／場所の制限）を加えることがある。
【０１３７】
図１４Ｅは、典型的なヒンジ出入口、及びその関連した機構の平面図形を荷物受領ロッカー１００／９００／２２００／３６００と合わせて示すことがあり、荷物受領ロッカー１００／９００／２２００／３６００は、荷物受領ロッカー１００／９００／２２００／３６００の容積を最大にするために最適な手法でサイズ化され、形状され、置かれるが、依然としてドア４５１の適切な開口機構が可能であることがある。所与の出入口が広いほど、より大きいサイズの荷物受領ロッカー１００／９００／２２００／３６００が利用され、依然としてドア４５１の適切な開口機構が可能であることがある。一部の実施形態では、適切なドア４５１の開口機能が望ましい又は必要であることがある時には、荷物受領ロッカー１００／９００／２２００／３６００は、非ヒンジ側面４５９よりヒンジ側面４６１の近くでドア４５１に取り付けるべきである。
【０１３８】
図１５は、所与の荷物受領ロッカー１００／９００／２２００／３６００のハードウェア（電子）構成要素のブロック図を示すことがある。図１５は、コンピューティングデバイス１５００のための一部の主要サブハードウェア要素を示すブロック図を描くことがある。一部の実施形態では、荷物受領ロッカー１００／９００／２２００／３６００は、コンピューティングデバイス１５００を含むことがある。一部の実施形態では、コンピューティングデバイス１５００の少なくとも一部のアスペクトは蓋１１５の下に置かれることがある。一部の実施形態では、コンピューティングデバイス１５００の少なくとも一部のアスペクトは、これに限定されないが、蓋１１５（例えば蓋内部７１１）などの折畳式ロッカー１０１のパネル及び／又は壁のあらゆる内部に面する表面に置かれることがある。一部の実施形態では、コンピューティングデバイス１５００の少なくとも一部のアスペクトは、これに限定されないが、蓋１１５（例えば蓋内部７１１）などの折畳式ロッカー１０１のパネル及び／又は壁のあらゆる内部に面する表面上、又は表面の少なくとも一部の中にあることがある。一部の実施形態では、コンピューティングデバイス１５００の少なくとも一部のアスペクトは、これに限定されないが、蓋１１５（例えば蓋内部７１１）などの折畳式ロッカー１０１のパネル及び／又は壁のあらゆる外部に面する表面上に、又は表面の少なくとも一部の中にあることがある。一部の実施形態では、コンピューティングデバイス１５００の少なくとも一部の構成要素は、外部インターフェース１１５の下に置かれることがある。一部の実施形態では、コンピューティングデバイス１５００の少なくとも一部の構成要素は、ボルト受け３１３内に置かれることがある。一部の実施形態では、コンピューティングデバイス１５００の少なくとも一部の構成要素は、インターフェース筐体６１５内に置かれることがある。
【０１３９】
一部の実施形態では、コンピューティングデバイス１５００は、コンピュータであることがある。一部の実施形態では、コンピューティングデバイス１５００は、コンピュータ、スマートフォン、タブレット・コンピューティングデバイス、ラップトップ・コンピュータ、デスクトップ・コンピュータ、タワー型コンピュータ、サーバコンピュータ（サーバ）、ワークステーション・コンピュータ（ワークステーション）、及び／又は同種のものの１つ又は複数から選択されることがある。例えば本発明の範囲を限定することなく、一部の実施形態では、第１のユーザ・コンピューティングデバイス１６０１（図１６参照）は、コンピューティングデバイス１５００であることがある。例えば本発明の範囲を限定することなく、一部の実施形態では、第２のユーザ・コンピューティングデバイス１６０３（図１６参照）は、コンピューティングデバイス１５００であることがある。例えば本発明の範囲を限定することなく、一部の実施形態では、サーバ１６０５（図１６参照）は、コンピューティングデバイス１５００であることがある。例えば本発明の範囲を限定することなく、一部の実施形態では、管理デバイス１６０７（図１６参照）は、コンピューティングデバイス１５００であることがある。
【０１４０】
図１５の検討を続けると、一部の実施形態では、コンピューティングデバイス１５００は、１つ又は複数の回路であることがある。一部の実施形態では、コンピューティングデバイス１５００は、プリント回路基板（ＰＣＢ）であることがあり、又は１つ又は複数のこのようなＰＣＢを含むことがある。一部の実施形態では、コンピューティングデバイス１５００は、１つ又は複数の以下のサブハードウェア要素（構成要素）、すなわち処理装置１５０１、１つ又は複数のメモリ１５０３、外部通信用の１つ又は複数のＩ／Ｏ１５０５、Ｉ／Ｏ手段１５０７、及び電源１５０９を含むことがある。本明細書では「Ｉ／Ｏ」は、コンピュータ及び電子機器業界で一般に公知であるように「入力／出力」を指すことがある。一部の実施形態では、１つ又は複数の処理装置１５０１は、１つ又は複数のメモリ１５０３、外部通信用の１つ又は複数のＩ／Ｏ１５０５、Ｉ／Ｏ手段１５０７、及び電源１５０９と電気的及び／又は光学的に接続される（例えば有線、ケーブル、バス、及び／又は同種のものを介して）ことがある。一部の実施形態では、少なくとも一部の処理装置１５０１、１つ又は複数のメモリ１５０３、外部通信用の１つ又は複数のＩ／Ｏ１５０５、Ｉ／Ｏ手段１５０７、及び／又は電源１５０９は、電線接続などを介して互いに作動可能に繋がることがある。
【０１４１】
図１５では、処理装置１５０１は、１つ若しくは複数の中央処理装置及び／又は１つ若しくは複数のグラフィック用処理装置を含む、１つ若しくは複数の処理装置であることがある。一部の実施形態では、処理装置１５０１は、メモリ１５０３と通信することがある。一部の実施形態では、処理装置１５０１は、外部通信用のＩ／Ｏ１５０５と通信することがある。一部の実施形態では、処理装置１５０１は、Ｉ／Ｏ手段１５０７と通信することがある。一部の実施形態では、処理装置１５０１は、電源１５０９と通信することがある。一部の実施形態では、このような通信は、電気的（及び／又は光学的）通信のために有線接続を介して促進することがある。一部の実施形態では、処理装置１５０１は、電源１５０９からの作動のために必要な電力を受領することがある。
【０１４２】
一部の実施形態では、所与のコンピューティングデバイス１５００のＩ／Ｏ手段１５０７の入力は、外部インターフェース１１５からの入力、外部インターフェース１１５上の指紋スキャナからの入力、外部インターフェース１１５上のキーパッドからの入力、蓋１１１の開／閉センサ（例えばマイクロスイッチ）、外部モーションセンサ、内部運動センサ（例えば加速度計、ＧＰＳモジュール１５１１、若しくは同種のもの）、コンピューティングデバイス１５００のタッチスクリーン（例えば外部インターフェース１１５）、コンピューティングデバイス１５００のボタン、コンピューティングデバイス１５００のスイッチ、コンピューティングデバイス１５００のキーボード、コンピューティングデバイス１５００のスタイラス、コンピューティングデバイス１５００のマウス、コンピューティングデバイス１５００のトラックボール、コンピューティングデバイス１５００のタッチパッド、コンピューティングデバイス１５００のレバー、コンピューティングデバイス１５００のスライド、コンピューティングデバイス１５００のダイヤル、コンピューティングデバイス１５００のカメラ（外部及び／又は内部）、コンピューティングデバイス１５００の近接検出器（例えばＲＦＩＤ／ＮＦＣリーダ／受信機／スキャナ）、コンピューティングデバイス１５００のモーション検出器、コンピューティングデバイス１５００の結線電力ポート（例えばＵＳＢポート若しくは同種のもの）、コンピューティングデバイス１５００の結線データポート（例えばＵＳＢポート若しくは同種のもの）、コンピューティングデバイス１５００の外部通信用のＩ／Ｏ１５０５を介して受信した着信通信、コンピューティングデバイス１５００のマイクロフォン、及び／又は同種のものから選択された１つ又は複数の入力であることがある。一部の実施形態では、Ｉ／Ｏ手段１５０７は、コンピューティングデバイス１５００の位置を決定するためのＧＰＳチップセット（例えばＧＰＳモジュール１５１１）及び／又は同種のものを含むことがある。
【０１４３】
一部の実施形態では、所与の荷物受領ロッカーの所与のコンピューティングデバイス１５００のＩ／Ｏ手段１５０７の入力は、折畳式ロッカー１０１内から内部の／内側の画像、静止画、動画、及び／又は音声を捕捉するように構成された少なくとも１つのカメラを含むことがある。一部の実施形態では、所与の荷物受領ロッカーの所与のコンピューティングデバイス１５００のＩ／Ｏ手段１５０７の入力は、折畳式ロッカー１０１の外部から外部の／外側の画像、静止画、動画、及び／又は音声を捕捉するように構成された少なくとも１つのカメラを含むことがある。一部の実施形態では、このようなカメラは、光（例えば画像捕捉を支援するフラッシュ又は常時点灯）を放つことがある。一部の実施形態では、このようなカメラはデジタルであることがある。一部の実施形態では、このようなカメラから発生した及び／又は捕捉したこのようなデータは、メモリ１５０３内に非一時的に記憶されることがある。一部の実施形態では、このようなカメラは、赤外線通過能及び／又は低可視光作動画像捕捉能力を有することがある。
【０１４４】
一部の実施形態では、Ｉ／Ｏ手段１５０７の出力は、蓋１１１用のロックの状態（例えばロックし若しくはロック解除した）（このロックは、１つ又は複数のボルト３１１、一部の実施形態ではサーボモータ・アクチュエータ、一部の実施形態ではソレノイド・アクチュエータ、及び／又は他の実施形態では磁気ロック）、折畳式ロッカー１０１の内部対向照明、折畳式ロッカー１０１の外部対向照明、バックライティング、モニタ上に表示した情報、画面（タッチスクリーンを含む）、又はコンピューティングデバイス１５００の表示装置、コンピューティングデバイス１５００の読み出し、コンピューティングデバイス１５００のスピーカ、コンピューティングデバイス１５００のブザー、コンピューティングデバイス１５００のベル、コンピューティングデバイス１５００の笛、コンピューティングデバイス１５００の照明（ＬＥＤ）、コンピューティングデバイス１５００の警報、コンピューティングデバイス１５００のスキャナ及び／又はコンピューティングデバイス１５００と通信するスキャナ、コンピューティングデバイス１５００のプリンタ及び／又はコンピューティングデバイス１５００と通信するプリンタ、コンピューティングデバイス１５００の結線ポート（例えばＵＳＢポート若しくは同種のもの）を介して送信した出力情報、外部通信用のＩ／Ｏ１５０５を介して送信した出力情報、及び／又は同種のものから選択された１つ又は複数の出力であることがある。
【０１４５】
図１５の検討を続けると、一部の実施形態では、処理装置１５０１は、他のコンピュータ・プログラム（例えば一部の実施形態では「ＰＲＬ／ＳＢＬソフトウェア」のような様式のコンピュータ・プログラムを含む、アプリケーション・プログラム）の実行を制御することがあり、スケジューリング、入力／出力（Ｉ／Ｏ）及び他のデバイスの制御、会計、編集、記憶域指定、データ管理、メモリ管理、通信、及び／又はデータフロー制御を提供することがある、オペレーティングシステム（例えばマイクロソフトウインドウズ・オペレーティングシステム、リナックス・オペレーティングシステム、アップル及び／又はマッキントッシュ・オペレーティングシステム、携帯情報機器のオペレーティングシステム、あらゆる他の適切なオペレーティングシステム、及び／又はそれらの組合せ）として公知のコンピュータ・プログラムを実行することがある。まとめると、処理装置１５０１及びそのオペレーティングシステムは、そのためにアプリケーション・プログラム及び他のコンピュータ・プログラム言語が書き込まれることがあるコンピュータプラットフォームを画定することがある。一部の実施形態では、処理装置１５０１は、本発明の１つの主要アスペクトであることがあるＰＲＬ／ＳＢＬソフトウェアなどの、本発明の様々な機能及び／又は方法を実施するために１つ若しくは複数のコンピュータ・プログラムも実行することがある。これらのコンピュータ・プログラムは、これに限定されないが、手続き型プログラミング言語、オブジェクト指向プログラミング言語、マクロ言語、及び／又はそれらの組合せを含む、あらゆる型のコンピュータ・プログラム言語で書き込まれることがある。
【０１４６】
オペレーティングシステム及び／又はＰＲＬ／ＳＢＬソフトウェアを含む、これらのコンピュータ・プログラムは、メモリ１５０３に記憶される（例えば非一時的に記憶される）ことがある。メモリ１５０３は、揮発性若しくは非揮発性媒体上の情報を記憶（保持）することがあり、固定及び／又は取り外し可能であることがある。メモリ１５０３は、有形コンピュータ読み取り可能及びコンピュータ書き込み可能な非揮発性記録媒体を含むことがあり、その上にコンピュータ・プログラムによって使用されるコンピュータ・プログラム又は情報を画定する信号が記憶される。記録媒体は、例えばディスクメモリ、フラッシュメモリ、及び／又は情報を（非揮発性様式で）記録及び記憶するために使用可能な製造のあらゆる他の物品であることがある。一部の実施形態では、作動中に処理装置１５０１は、データ（これに限定されないが、ユーザアカウントデータ、ユーザプロファイルデータ、ユーザ嗜好データ、配達確認ログ、使用ログ、アクセスログ、キーストロークログ、カメラキャプチャ（例えば写真及び／又は動画）、マイクロフォンキャプチャ（例えば音声キャプチャ）、ＧＰＳ／位置情報、動き／翻訳情報、指紋スキャン、指紋参照ファイル、ユーザ名、パスワード、パスコード、環境データログ、その他など）を非揮発性記録媒体から揮発性メモリ（例えばランダムアクセスメモリ、すなわちＲＡＭ）に読み取らせることがあり（読み取らせ）、揮発性メモリは、非揮発性記録媒体に対するのに比べて、処理装置１５０１によって情報により有効に（すなわちより速く）アクセスできることがある。このようなＲＡＭメモリは、メモリ１５０３内／上、及び／又は処理装置１５０１内／上に置かれることがある。例えば図１５を参照されたい。処理装置１５０１は、データを集積回路メモリ内で操作することがあり（操作し）、次いで処理が完了し得る後、データを非揮発性記録媒体にコピーすることがある。種々の機構は、非揮発性記録媒体と集積回路メモリ要素との間でデータの動きを管理することが知られており、本発明は、現在公知であるにしろ後に開発されるにしろ、あらゆる機構に制限されない。本発明は、特定の処理装置（例えば処理装置１５０１）又は記憶装置（例えばメモリ１５０３）にも限定されない。
【０１４７】
注、本明細書に論じた、並びに図に描かれたような、ありとあらゆる方法及び／又はステップは、処理装置１５０１などの処理装置により実行可能なコードを含む、非一時的コンピュータ可読媒体として実施することがある。すなわち、このような非一時的コンピュータ可読媒体は、１つ又は複数のメモリ１５０３の記憶装置であることがある。すなわちこのような処理装置は処理装置１５０１であることがあり、又は別法として処理装置１５０１はこのような処理装置を含むことがある。
【０１４８】
ＰＲＬ／ＳＢＬソフトウェアは、メモリ１５０３に非一時的に記憶されることがある。一部の実施形態では、ＰＲＬ／ＳＢＬソフトウェアは、単一のコンピューティングデバイス１５００の数個の異なるメモリ１５０３にわたって分配されることがある。一部の実施形態では、ＰＲＬ／ＳＢＬソフトウェアは、数個の異なるコンピューティングデバイス１５００の数個の異なるメモリ１５０３にわたって分配されることがある。一部の実施形態では、ＰＲＬ／ＳＢＬソフトウェアの一部（例えばユーザＧＵＩ若しくはユーザクッキー、ユーザのデータ、又はそれらの一部）は、第１のユーザ・コンピューティングデバイス１６０１及び／又は第２のユーザ・コンピューティングデバイス１６０３などの、コンピューティングデバイス１５００のメモリ１５０３内に非一時的に記憶されることがあり、ＰＲＬ／ＳＢＬソフトウェアの他の部分（例えばユーザアカウントデータ、ユーザプロファイルデータ、ユーザ嗜好データ、配達確認ログ、使用ログ、アクセスログ、キーストロークログ、カメラキャプチャ（例えば写真及び／又は動画）、マイクロフォンキャプチャ（例えば音声キャプチャ）、ＧＰＳ／位置情報、動き／翻訳情報、指紋スキャン、指紋参照ファイル、ユーザ名、パスワード、パスコード、環境データログ、その他）は、サーバ１６０５であるコンピューティングデバイス１５００のメモリ１５０３に非一時的に記憶されることがある。ＰＲＬ／ＳＢＬソフトウェアの尚更に他の部分（例えば管理ＧＵＩ若しくは管理クッキー）は、管理デバイス１６０７であるコンピューティングデバイス１５００のメモリ１５０３に非一時的に記憶されることがある。
【０１４９】
新しい及び／又は更新したコード、プログラム、ソフトウェア・アプリケーション、オペレーティングシステム、ファームウェア、及び／又はＰＲＬ／ＳＢＬソフトウェアは、Ｉ／Ｏ手段１５０７から、及び／又は外部通信用のＩ／Ｏ１５０５を介してメモリ１５０３上に非一時的に保存されることがある。
【０１５０】
図１５の検討を続けると、一部の実施形態では、処理装置１５０１は、外部通信用のＩ／Ｏ１５０５と通信することもある。処理装置１５０１は、処理装置１５０１が処理する／実行することがある命令に依存して、外部通信用のＩ／Ｏ１５０５を制御することがある。外部通信用のＩ／Ｏ１５０５は、第１のユーザ・コンピューティングデバイス１６０１及び／又は第２のユーザ・コンピューティングデバイス１６０３の間で通信できることがある（例えば図１６を参照されたい）。外部通信用のＩ／Ｏ１５０５は、所与のコンピューティングデバイス１５００（例えば第１のユーザ・コンピューティングデバイス１６０１及び／又は第２のユーザ・コンピューティングデバイス１６０３）と、他のコンピューティングデバイス（例えばサーバ１６０５及び／又は管理デバイス１６０７）との間で通信できることがあり、他のコンピューティングデバイスは、所与のコンピューティングデバイス１５００の部品であり、若しくは部品ではなく、及び／又は所与のコンピューティングデバイス１５００の制御を受けないことがある。外部通信用のＩ／Ｏ１５０５は、所与のコンピューティングデバイス１５００と別のコンピューティングデバイス１５００との間で通信できることがある。外部通信用のＩ／Ｏ１５０５は、所与のコンピューティングデバイス１５００とサーバ１６０５との間で通信できることがある。外部通信用のＩ／Ｏ１５０５は、所与のコンピューティングデバイス１５００と管理デバイス１６０７との間で通信できることがある。
【０１５１】
一部の実施形態では、外部通信用のＩ／Ｏ１５０５は、WiFi（Wi-Fi）、Bluetooth、ZigBee、携帯電話、ＲＦＩＤ、ＮＦＣ、所定の無線通信プロトコル、それらの組合せ、及び／又は同種のものなどの無線通信を促進するために、１つ又は複数の無線装置及び／又はアンテナを含むことがある。一部の実施形態では、外部通信用のＩ／Ｏ１５０５は、少なくとも１つのBluetoothチップセット及び／又は同種のものを含むことがある。一部の実施形態では、外部通信用のＩ／Ｏ１５０５は、ネットワークカード及び／又はネットワークアダプタを含むことがある。一部の実施形態では、外部通信用のＩ／Ｏ１５０５は、ネットワークカード及び／又はネットワークアダプタであることがある。一部の実施形態では、外部通信用のＩ／Ｏ１５０５は、インターネット、ＷＡＮ（広域ネットワーク）、ＬＡＮ（ローカルエリアネットワーク）（例えば図１６のインターネット／ネットワーク／ＷＡＮ／ＬＡＮ１６０９を参照されたい）と有線及び／又は無線通信することがある。外部通信用のＩ／Ｏ１５０５を頼りにすることがある所与のコンピューティングデバイス１５００と、別のコンピューティングデバイス１５００、第１のユーザ・コンピューティングデバイス１６０１、第２のユーザ・コンピューティングデバイス１６０３、サーバ１６０５、及び／又は管理デバイス１６０７の１つ又は複数との間の通信は、このようなネットワークを通して経路を取ることがある（例えば図１６のインターネット／ネットワーク／ＷＡＮ／ＬＡＮ１６０９を参照されたい）。一部の実施形態では、外部通信用のＩ／Ｏ１５０５は、ＲＦＩＤタグ（及び／又はＮＦＣタグ）の読取り、問合せ、及び／又は走査を促進するために１つ又は複数の無線装置及び／又はアンテナを含むことがあり、「ＲＦＩＤ」は、無線周波数識別を指すことがあり、「ＮＦＣ」は近距離無線通信を指すことがある。
【０１５２】
一部の実施形態では、電源１５０９は、電力をコンピューティングデバイス１５００の主要サブハードウェア要素及び／又は電子機器に提供することがある。一部の実施形態では、電源１５０９は、１つ又は複数の電池であることがある。一部の実施形態では、電源１５０９は、１つ又は複数の再充電可能な電池であることがある。一部の実施形態では、電源１５０９は、１つ又は複数のバックアップ電池であることがある。一部の実施形態では、電源１５０９の電池は、グラフェン、リチウム、それらの組合せ、及び／又は同種のものを含むことがある。一部の実施形態では、電源１５０９は、コンピューティングデバイス１５００が有線電源から標準のＡＣ電力を受領することができる、１つ又は複数のＡＣ／ＤＣアダプタ若しくは電源調整器であることがある。一部の実施形態では、電源１５０９は、電力を発生するための１つ又は複数のソーラーパネルを含むことがあり、このような１つ又は複数のソーラーパネルは、荷物受領ロッカー１００／９００／２２００／３６００の外部表面（これに限定されないが、蓋１１１など）上に置かれることがある。
【０１５３】
所与のコンピューティングデバイス１５００の主要サブハードウェア要素は、それらの作用及び構成を含み、関連したコンピューティング及び電子業界に周知であり、このような情報は参照により本明細書に組み込まれる。
【０１５４】
図１６は、所与の荷物受領ロッカー１００／９００／２２００／３６００のための通信のブロック図を示すことがある。図１６は、他のコンピューティングデバイスと無線（又は有線）通信する荷物受領ロッカー１００／９００／２２００／３６００を示すブロック図を描くことがある。図１６は、それ自体と及び他のデバイス（他のコンピューティングデバイスなど）と通信するＰＲＬ／ＳＢＬソフトウェアのアスペクトの方法を示すブロック図であることがある。一部の実施形態では、第１のユーザ・コンピューティングデバイス１６０１は、コンピューティングデバイス１５００の型であることがある。一部の実施形態では、第１のユーザ・コンピューティングデバイス１６０１は、ユーザ１と関連することがある。一部の実施形態では、ユーザ１は、１つ又は複数の品物を所与の荷物受領ロッカー１００／９００／２２００／３６００に配達することがある配達人（及び／又は配達ロボット）であることがある。一部の実施形態では、１つ又は複数の第１のユーザ・コンピューティングデバイス１６０１が存在することがある。一部の実施形態では、第２のユーザ・コンピューティングデバイス１６０３は、コンピューティングデバイス１５００の型であることがある。一部の実施形態では、第２のユーザ・コンピューティングデバイス１６０３は、ユーザ２と関連することがある。一部の実施形態では、ユーザ２は、所与の荷物受領ロッカー１００／９００／２２００／３６００に配達されて受領した１つ又は複数の品物の意図した受領者（例えば購入者、企業、組織、又は同種のもの）であることがある。一部の実施形態では、ユーザ２は、荷物受領ロッカー１００／９００／２２００／３６００の所有者であることがある。一部の実施形態では、ユーザ２は、荷物受領ロッカー１００／９００／２２００／３６００の借主（貸主）であることがある。一部の実施形態では、ユーザ２は、荷物受領ロッカー１００／９００／２２００／３６００を実質的に制御する及び／又は所有することがある。
【０１５５】
一部の実施形態では、１つ又は複数の第２のユーザ・コンピューティングデバイス１６０３が存在することがある。一部の実施形態では、第１のユーザ・コンピューティングデバイス１６０１及び第２のユーザ・コンピューティングデバイス１６０３は、異なるコンピューティングデバイスであることがあるが、同じ型のコンピューティングデバイス（これに限定されないが、スマートフォン、ラップトップ、タブレット・コンピューティングデバイス、及び／又は同種のものなど）であることが可能である。一部の実施形態では、サーバ１６０５は、コンピューティングデバイス１５００の型であることがある。一部の実施形態では、１つ又は複数のサーバ１６０５が存在することがある。一部の実施形態では、１つ又は複数のサーバ１６０５は、ＰＲＬ／ＳＢＬソフトウェアのバックエンド・オペレーションと、及び／又はこのようなサーバ１６０５上に維持されたデータベースと関連することがある。一部の実施形態では、管理デバイス１６０７は、コンピューティングデバイス１５００の型であることがある。一部の実施形態では、インターネット／ＷＡＮ／ＬＡＮ１６０９は、様々なネットワーク・スイッチ、ルータ、ハブ、ゲートウェイ、モデム、ホットスポット、信号増幅器、及び／又はデータフローを促進する同種のものを含むことがある。一部の実施形態では、これらのネットワーク・スイッチ、ルータ、ハブ、ゲートウェイ、モデム、ホットスポット、及び信号増幅器、及び／又は同種のものは、コンピューティングデバイス１５００の型であることがある。一部の実施形態では、ＷＡＮは広域ネットワークを指すことがある。一部の実施形態では、ＬＡＮはローカルエリアネットワークを指すことがある。
【０１５６】
図１６の検討を続けると、一部の実施形態では、第１のユーザ・コンピューティングデバイス１６０１は、インターネット／ＷＡＮ／ＬＡＮ１６０９と通信することがある。一部の実施形態では、第１のユーザ・コンピューティングデバイス１６０１は、インターネット／ＷＡＮ／ＬＡＮ１６０９と無線及び／又は有線通信することがある。
【０１５７】
図１６の検討を続けると、一部の実施形態では、第１のユーザ・コンピューティングデバイス１６０１は、荷物受領ロッカー１００／９００／２２００／３６００のコンピューティングデバイス１５００と通信することがある。一部の実施形態では、第１のユーザ・コンピューティングデバイス１６０１と荷物受領ロッカー１００／９００／２２００／３６００との間の通信は、インターネット／ＷＡＮ／ＬＡＮ１６０９を介する（例えば通す及び／又は経由する）ことがある。一部の実施形態では、第１のユーザ・コンピューティングデバイス１６０１と荷物受領ロッカー１００／９００／２２００／３６００との間の通信は、インターネット／ＷＡＮ／ＬＡＮ１６０９を通して経路を取ることがある。一部の実施形態では、第１のユーザ・コンピューティングデバイス１６０１は、荷物受領ロッカー１００／９００／２２００／３６００と直接通信することがある。一部の実施形態では、このような直接通信は無線であることがある。一部の実施形態では、ユーザ１は、第１のユーザ・コンピューティングデバイス１６０１を介して、配達確認及び／又は配達証明情報を受信することがある。一部の実施形態では、このように受信した配達確認及び／又は配達証明情報は、テキストメッセージ（警報若しくは通知）、ＳＭＳメッセージ（警報若しくは通知）、電子メール、通話、音声メール、ポップアップメッセージ（警報若しくは通知）、ポップアップ通知、第１のユーザ・コンピューティングデバイス１６０１上を走るＰＲＬ／ＳＢＬソフトウェア内のメッセージ（警報若しくは通知）、及び／又は同種のものの１つ又は複数を介することがある。一部の実施形態では、警報、通知、及び／又はメッセージは、本明細書では交換可能に使用されることがある。一部の実施形態では、第１のユーザ・コンピューティングデバイス１６０１は、ＲＦＩＤ及び／又はＮＦＣタグ及び／又は荷物受領ロッカー１００／９００／２２００／３６００の蓋１１１を開く、ロックする、ロック解除する、及び／又は閉じるために、ＲＦＩＤ及び／又はＮＦＣを使用するための読取機を有することがある。
【０１５８】
図１６の検討を続けると、一部の実施形態では、第１のユーザ・コンピューティングデバイス１６０１は、１つ又は複数のサーバ１６０５と通信することがある。一部の実施形態では、第１のユーザ・コンピューティングデバイス１６０１と１つ又は複数のサーバ１６０５との間の通信は、インターネット／ＷＡＮ／ＬＡＮ１６０９を介する（例えば通す及び／又は経由する）ことがある。一部の実施形態では、第１のユーザ・コンピューティングデバイス１６０１と１つ又は複数のサーバ１６０５との間の通信は、インターネット／ＷＡＮ／ＬＡＮ１６０９を通して経路を取ることがある。
【０１５９】
図１６の検討を続けると、一部の実施形態では、第２のユーザ・コンピューティングデバイス１６０３は、インターネット／ＷＡＮ／ＬＡＮ１６０９と通信することがある。一部の実施形態では、第２のユーザ・コンピューティングデバイス１６０３は、インターネット／ＷＡＮ／ＬＡＮ１６０９と無線及び／又は有線通信することがある。
【０１６０】
図１６の検討を続けると、一部の実施形態では、第２のユーザ・コンピューティングデバイス１６０３は、荷物受領ロッカー１００／９００／２２００／３６００のコンピューティングデバイス１５００と通信することがある。一部の実施形態では、第２のユーザ・コンピューティングデバイス１６０３と荷物受領ロッカー１００／９００／２２００／３６００との間の通信は、インターネット／ＷＡＮ／ＬＡＮ１６０９を介する（例えば通す及び／又は経由する）ことがある。一部の実施形態では、第２のユーザ・コンピューティングデバイス１６０３と荷物受領ロッカー１００／９００／２２００／３６００との間の通信は、インターネット／ＷＡＮ／ＬＡＮ１６０９を通して経路を取ることがある。一部の実施形態では、第２のユーザ・コンピューティングデバイス１６０３は、荷物受領ロッカー１００／９００／２２００／３６００と直接通信することがある。一部の実施形態では、このような直接通信は無線であることがある。一部の実施形態では、ユーザ２は、第２のユーザ・コンピューティングデバイス１６０３を介して、配達確認及び／又は配達証明情報を受信することがある。一部の実施形態では、このように受信した配達確認及び／又は配達証明情報は、テキストメッセージ（警報若しくは通知）、ＳＭＳメッセージ（警報若しくは通知）、電子メール、通話、音声メール、ポップアップメッセージ（警報若しくは通知）、ポップアップ通知、第２のユーザ・コンピューティングデバイス１６０３上を走るＰＲＬ／ＳＢＬソフトウェア内のメッセージ（警報若しくは通知）、及び／又は同種のものの１つ又は複数を介することがある。一部の実施形態では、警報、通知、及び／又はメッセージは、本明細書では交換可能に使用されることがある。一部の実施形態では、第２のユーザ・コンピューティングデバイス１６０３は、ＲＦＩＤ及び／又はＮＦＣタグ及び／又は荷物受領ロッカー１００／９００／２２００／３６００の蓋１１１を開く、ロックする、ロック解除する、及び／又は閉じるために、ＲＦＩＤ及び／又はＮＦＣを使用するための読取機を有することがある。
【０１６１】
一部の実施形態では、ユーザ１及び／又はユーザ２は、荷物受領ロッカー１００／９００／２２００／３６００の折畳式ロッカー１０１の蓋１１１にアクセスする（例えばロック解除する及び／又は開く）ために、外部インターフェース１１５を使用することがある。
【０１６２】
一部の実施形態では、ユーザ１及び／又はユーザ２は、荷物受領ロッカー１００／９００／２２００／３６００の折畳式ロッカー１０１の蓋１１１をロックするために、外部インターフェース１１５を使用することがある。
【０１６３】
図１６の検討を続けると、一部の実施形態では、第２のユーザ・コンピューティングデバイス１６０３は、１つ又は複数のサーバ１６０５と通信することがある。一部の実施形態では、第２のユーザ・コンピューティングデバイス１６０３と１つ又は複数のサーバ１６０５との間の通信は、インターネット／ＷＡＮ／ＬＡＮ１６０９を介する（例えば通す及び／又は経由する）ことがある。一部の実施形態では、第２のユーザ・コンピューティングデバイス１６０３と１つ又は複数のサーバ１６０５との間の通信は、インターネット／ＷＡＮ／ＬＡＮ１６０９を通して経路を取ることがある。
【０１６４】
図１６の検討を続けると、一部の実施形態では、管理デバイス１６０７は、インターネット／ＷＡＮ／ＬＡＮ１６０９と通信することがある。一部の実施形態では、管理デバイス１６０７は、インターネット／ＷＡＮ／ＬＡＮ１６０９と無線及び／又は有線通信することがある。
【０１６５】
図１６の検討を続けると、一部の実施形態では、管理デバイス１６０７は、荷物受領ロッカー１００／９００／２２００／３６００のコンピューティングデバイス１５００と通信することがある。一部の実施形態では、管理デバイス１６０７と荷物受領ロッカー１００／９００／２２００／３６００との間の通信は、インターネット／ＷＡＮ／ＬＡＮ１６０９を介する（例えば通す及び／又は経由する）ことがある。一部の実施形態では、管理デバイス１６０７と荷物受領ロッカー１００／９００／２２００／３６００との間の通信は、インターネット／ＷＡＮ／ＬＡＮ１６０９を通して経路を取ることがある。一部の実施形態では、管理デバイス１６０７は、荷物受領ロッカー１００／９００／２２００／３６００と直接通信することがある。一部の実施形態では、このような直接通信は無線であることがある。一部の実施形態では、管理デバイス１６０７は、ＲＦＩＤ及び／又はＮＦＣタグ及び／又は荷物受領ロッカー１００／９００／２２００／３６００の蓋１１１を開く、ロックする、ロック解除する、及び／又は閉じるために、ＲＦＩＤ及び／又はＮＦＣを使用するための読取機を有することがある。
【０１６６】
図１６の検討を続けると、一部の実施形態では、管理デバイス１６０７は、１つ又は複数のサーバ１６０５と通信することがある。一部の実施形態では、管理デバイス１６０７は、１つ又は複数のサーバ１６０５と直接通信することがある。一部の実施形態では、管理デバイス１６０７と１つ又は複数のサーバ１６０５との間の通信は、インターネット／ＷＡＮ／ＬＡＮ１６０９を介する（例えば通す及び／又は経由する）ことがある。一部の実施形態では、管理デバイス１６０７と１つ又は複数のサーバ１６０５との間の通信は、インターネット／ＷＡＮ／ＬＡＮ１６０９を通して経路を取ることがある。
【０１６７】
一部の実施形態では、ＰＲＬ／ＳＢＬソフトウェアの少なくとも一部は、荷物受領ロッカー１００／９００／２２００／３６００のコンピューティングデバイス１５００、第１のユーザ・コンピューティングデバイス１６０１、第２のユーザ・コンピューティングデバイス１６０３、及び／又は１つ又は複数のサーバ１６０５上を走る及び／又は非一時的に記憶されることがある。
【０１６８】
一部の実施形態では、１つ又は複数のサーバ１６０５上を走ることがある、ＰＲＬ／ＳＢＬソフトウェアの少なくとも一部は、荷物受領ロッカー１００／９００／２２００／３６００のコンピューティングデバイス１５００、第１のユーザ・コンピューティングデバイス１６０１、及び／又は第２のユーザ・コンピューティングデバイス１６０３のメモリ１５０３の上にロードされるＰＲＬ／ＳＢＬソフトウェアの更新を指示する（引き起こす）ことがある。
【０１６９】
図１６の検討を続けると、一部の実施形態では、第１のユーザ・コンピューティングデバイス１６０１は、１つ又は複数の管理デバイス１６０７と通信することがある。一部の実施形態では、第１のユーザ・コンピューティングデバイス１６０１は、１つ又は複数の管理デバイス１６０７と無線及び／又は有線通信することがある。一部の実施形態では、第１のユーザ・コンピューティングデバイス１６０１と１つ又は複数の管理デバイス１６０７との間の通信は、インターネット／ＷＡＮ／ＬＡＮ１６０９を通して経路を取ることがある。
【０１７０】
図１６の検討を続けると、一部の実施形態では、第２のユーザ・コンピューティングデバイス１６０３は、１つ又は複数の管理デバイス１６０７と通信することがある。一部の実施形態では、第２のユーザ・コンピューティングデバイス１６０３は、１つ又は複数の管理デバイス１６０７と無線及び／又は有線通信することがある。一部の実施形態では、第２のユーザ・コンピューティングデバイス１６０３と１つ又は複数の管理デバイス１６０７との間の通信は、インターネット／ＷＡＮ／ＬＡＮ１６０９を通して経路を取ることがある。
【０１７１】
図１６の検討を続けると、一部の実施形態では、荷物受領ロッカー１００／９００／２２００／３６００のコンピューティングデバイス１５００は、１つ又は複数の管理デバイス１６０７と通信することがある。一部の実施形態では、荷物受領ロッカー１００／９００／２２００／３６００のコンピューティングデバイス１５００は、１つ又は複数の管理デバイス１６０７と無線及び／又は有線通信することがある。一部の実施形態では、荷物受領ロッカー１００／９００／２２００／３６００のコンピューティングデバイス１５００と１つ又は複数の管理デバイス１６０７との間の通信は、インターネット／ＷＡＮ／ＬＡＮ１６０９を通して経路を取ることがある。
【０１７２】
図１６の検討を続けると、一部の実施形態では、１つ又は複数のサーバ１６０５は、１つ又は複数の管理デバイス１６０７と通信することがある。一部の実施形態では、１つ又は複数のサーバ１６０５は、１つ又は複数の管理デバイス１６０７と無線及び／又は有線通信することがある。一部の実施形態では、１つ又は複数のサーバ１６０５と１つ又は複数の管理デバイス１６０７との間の通信は、インターネット／ＷＡＮ／ＬＡＮ１６０９を通して経路を取ることがある。一部の実施形態では、ＰＲＬ／ＳＢＬソフトウェアの少なくとも一部は、１つ又は複数の管理デバイス１６０７上を走ることがある。一部の実施形態では、１つ又は複数の管理デバイス１６０７上を走り、証明書に適切にログインすることがあるＰＲＬ／ＳＢＬソフトウェアの少なくとも一部は、ＰＲＬ／ＳＢＬソフトウェアの一部及び／又は１つ又は複数のサーバ１６０５のメモリ１５０３内に置かれたデータにアクセスし、編集し、制御し、及び／又は無効にすることがある。一部の実施形態では、１つ又は複数の管理デバイス１６０７上を走り、証明書に適切にログインすることがあるＰＲＬ／ＳＢＬソフトウェアの少なくとも一部は、ＰＲＬ／ＳＢＬソフトウェアの一部及び／又は第１のユーザ・コンピューティングデバイス１６０１のメモリ１５０３内に置かれたデータにアクセスし、編集し、制御し、及び／又は無効にすることがある。
【０１７３】
一部の実施形態では、１つ又は複数の管理デバイス１６０７上を走り、証明書に適切にログインすることがあるＰＲＬ／ＳＢＬソフトウェアの少なくとも一部は、ソフトウェアの一部及び／又は第２のユーザ・コンピューティングデバイス１６０３のメモリ１５０３内に置かれたデータにアクセスし、編集し、制御し、及び／又は無効にすることがある。
【０１７４】
一部の実施形態では、１つ又は複数の管理デバイス１６０７上を走り、証明書に適切にログインすることがあるＰＲＬ／ＳＢＬソフトウェアの少なくとも一部は、ＰＲＬ／ＳＢＬソフトウェアの一部及び／又は荷物受領ロッカー１００／９００／２２００／３６００のコンピューティングデバイス１５００のメモリ１５０３内に置かれたデータにアクセスし、編集し、制御し、及び／又は無効にすることがある。
【０１７５】
一部の実施形態では、コンピューティングデバイス１５００、第１のユーザ・コンピューティングデバイス１６０１、及び／又は第２のユーザ・コンピューティングデバイス１６０３は、所与の荷物受領ロッカー１００／９００／２２００／３６００の画像、動画及び／又は音声が捕捉され得るように、所与の荷物受領ロッカー１００／９００／２２００／３６００に向けた（配向した）レンズ視野を持つネットワークが可能なスタンドアロン・デジタルカメラであることがある。
【０１７６】
図１７は、所与の荷物受領ロッカー１００／９００が所与のドア４５１に取り外し可能に取り付けられることがある方法のステップを示す、流れ図であることがある。一部の実施形態では、図１７は、方法１７００の少なくとも一部のステップを描くことがある。一部の実施形態では、方法１７００は、所与の荷物受領ロッカー１００／９００を所与のドア４５１に取り付ける方法であることがある。一部の実施形態では、所与の荷物受領ロッカー１００／９００を所与のドア４５１へのこのような可能性がある取付は、取り外し可能な取付であることがある。一部の実施形態では、方法１７００は、図５Ａ〜図５Ｆ及び／又は図１２Ａ〜図１２Ｃによって支持されることもある。一部の実施形態では、方法１７００は、１７０１、１７０３、１７０５、１７０７、１７０９、１７１１、及び１７１３のステップを含むことがある。一部の実施形態では、これらのステップの少なくとも１つは任意であることがある。
【０１７７】
図１７の検討を続けると、一部の実施形態では、ステップ１７０１は、ドア４５１を開くステップであることがある。一部の実施形態では、荷物受領ロッカー１００／９００をドア４５１に取り外し可能に取り付けることは、ドア４５１を少なくとも部分的に開く必要があることがある。一部の実施形態では、ドア４５１は、荷物受領ロッカー１００／９００をドア４５１に取り外し可能に取り付けることができるために、閉じた状態から少なくとも３０度開く必要があることがある。一部の実施形態では、ドア４５１は、荷物受領ロッカー１００／９００をドア４５１に取り外し可能に取り付けることができるために、閉じた状態から少なくとも４５度開く必要があることがある。一部の実施形態では、ドア４５１は、荷物受領ロッカー１００／９００をドア４５１に取り外し可能に取り付けることができるために、閉じた状態から少なくとも６０度開く必要があることがある。一部の実施形態では、ドア４５１は、荷物受領ロッカー１００／９００をドア４５１に取り外し可能に取り付けることができるために、閉じた状態から少なくとも７０度開く必要があることがある。一部の実施形態では、ステップ１７０１はステップ１７０３に進むことがある。
【０１７８】
図１７の検討を続けると、一部の実施形態では、ステップ１７０３は、底面ドアブラケット１５３を開いたドア４５１のドア底面４５７に取り外し可能に取り付けるステップであることがある。一部の実施形態では、ステップ１７０３は、底面ドアブラケット１５３を開いたドア４５１のドア底面４５７上に摺動することによって達成することがある。折畳式ロッカー１０１をドア外側４５５上に置くことが望ましいことがある場合は、ステップ１７０３を実行することは、ドア外側４５５が折畳式ロッカー１０１に面することがあり、ドア内側４５３が調節ネジ１５５に面することがあるように行うべきである。換言すると、折畳式ロッカー１０１をドア４５１の外部に置く場合は、ステップ１７０３は、折畳式ロッカー１０１がドア４５１の外部に置かれ、調節ネジ１５５がドア４５１の内部に置かれるように実行するべきである。注、ステップ１７０３の実行を促進するために、調節ネジ１５５を緩める必要があることがある。一部の実施形態では、ステップ１７０３はステップ１７０５に進むことがある。
【０１７９】
図１７の検討を続けると、一部の実施形態では、ステップ１７０５は、第１のＪフックを開いたドア４５１の側面に取り付けるステップであることがある。一部の実施形態では、第１のＪフックは、枢動Ｊフック１５７又は摺動Ｊフック１５９であることがある。一部の実施形態では、開いたドア４５１の側面は、非ヒンジ側面４５９又はヒンジ側面４６１であることがある。一部の実施形態では、第１のＪフックは枢動Ｊフック１５７であることがあり、開いたドア４５１の側面は非ヒンジ側面４５９であることがある。一部の実施形態では、枢動Ｊフック１５７は、枢動Ｊフック１５７を非ヒンジ側面４５９に取り外し可能に取り付けることが、荷物受領ロッカー１００／９００をドア４５１に対して適切な場所／位置に付ける（例えば非ヒンジ側面４５９よりヒンジ側面４６１の近くに置く）ことがあるように、ドア４５１の所与の幅に対して固定した所定の長さを有することがある。このような実施形態では、ステップ１７０９は必要ないことがある。一部の実施形態では、第１のＪフックは摺動Ｊフック１５９であることがあり、開いたドア４５１の側面はヒンジ側面４６１であることがある。一部の実施形態では、ステップ１７０５はステップ１７０７に進むことがある。
【０１８０】
図１７の検討を続けると、一部の実施形態では、ステップ１７０７は、第２のＪフックを開いたドア４５１の反対側の側面に取り付けるステップであることがある。一部の実施形態では、第２のＪフックは、２つのＪフックの他方であることがあり、すなわち残りのＪフックはステップ１７０５で使用されないことがある。こうして第１のＪフックが枢動Ｊフック１５７であることがある場合は、第２のＪフックは摺動Ｊフック１５９であることがあり、又は第１のＪフックが摺動Ｊフック１５９であることがある場合は、第２のＪフックは枢動Ｊフック１５７であることがある。同様に、非ヒンジ側面４５９がステップ１７０５で使用した側面であった場合は、ステップ１７０７で反対の側面がヒンジ側面４６１であることがあり、又はヒンジ側面４６１がステップ１７０５で使用した側面であった場合は、ステップ１７０７で反対の側面が非ヒンジ側面４５９であることがある。一部の実施形態では、ステップ１７０７はステップ１７０９に進むことがある。
【０１８１】
図１７の検討を続けると、一部の実施形態では、ステップ１７０９は、ドア４５１上で荷物受領ロッカー１００／９００の位置調整が必要又は望ましいことがあるかどうかを判定するステップであることがある。一部の実施形態では、ドア４５１上の荷物受領ロッカー１００／９００の適正な位置／場所は、図１４Ｅに示されていることがあり、荷物受領ロッカー１００／９００は、非ヒンジ側面４５９よりヒンジ側面４６１の近くに置かれている。ドア４５１上で荷物受領ロッカー１００／９００の位置／場所の調整が必要ない又は望ましくないことがある場合は、ステップ１７０９はステップ１７１３に進むことがある。ドア４５１上で荷物受領ロッカー１００／９００の位置／場所の調整が必要又は望ましいことがある場合は、ステップ１７０９はステップ１７１１に進むことがある。
【０１８２】
図１７の検討を続けると、一部の実施形態では、ステップ１７１３は、ドア４５１上に適正に位置付けられた荷物受領ロッカー１００／９００を取り外し可能に固定する（例えば締め付ける）ステップであることがある。一部の実施形態では、ステップ１７１３は、底面ドアブラケット１５３が摩擦（締付）によりドア４５１にしっかりと（しかし取り外し可能に）取り付けられることがあるように、調節ネジ１５５をドア４５１に対して締め付けることに関与することがある。
【０１８３】
図１７の検討を続けると、一部の実施形態では、ステップ１７１１は、荷物受領ロッカー１００／９００をドア４５１上の所望の位置／場所に調節するステップであることがある。一部の実施形態では、調節ステップ１７１１は、底面ドアブラケット１５３をドア４５１のドア底面４５７上に摺動することに関与することがあり、これには調節ネジ１５５を緩めること及び／又は第１若しくは第２のＪフックを緩めることが必要であることがある。一部の実施形態では、ステップ１７１１は、ステップ１７０９に戻ることがある。
【０１８４】
一部の実施形態では、方法１７００は、折畳式ロッカー１０１を展開又は折り畳んで実行することがある。
【０１８５】
図１８は、所与の荷物受領ロッカー１００／９００／２２００／３６００が、その実質的に折り畳んだ構成からその実質的に展開した構成に取り外し可能に展開することがある方法のステップを示す流れ図であることがある。一部の実施形態では、図１８は、方法１８００の少なくとも一部のステップを描くことがある。一部の実施形態では、方法１８００は、所与の荷物受領ロッカー１００／９００／２２００／３６００をその実質的に折り畳んだ構成からその実質的に展開した構成に展開する方法であることがある。一部の実施形態では、方法１８００は、図３Ａ〜図３Ｆによって、及び／又は図１１Ａ〜図１１Ｃによって支持されることもある。一部の実施形態では、方法１８００は、ステップ１８０１、１８０３、１８０５、１８０７、及び１８０９を含むことがある。一部の実施形態では、これらのステップの少なくとも１つ、例えばステップ１８０９は、方法１８００において省略され、任意選択であり、及び／又は実施されないことがある。
【０１８６】
図１８の検討を続けると、一部の実施形態では、ステップ１８０１は、所与の荷物受領ロッカー１００／９００／２２００／３６００のロックをロック解除するステップであることがある。所与の荷物受領ロッカー１００／９００／２２００／３６００をロック解除することは、ボルト３１１をそのボルト受け（例えばボルト受け１１１５）から収縮されることに関与することがある。一部の実施形態では、荷物受領ロッカー９００が実質的に折り畳んだ構成にあることがある時に、蓋１１１は、ボルト受け１１１５を通過するボルト３１１の遠位部により、底面パネル９２３にロックされることがある。一部の実施形態では、所与の荷物受領ロッカー１００／９００／２２００／３６００をロック解除することは、図２０に示したステップ２００５及び／又はステップ２０１７によって対処されることがある。一部の実施形態では、ステップ１８０１は、ステップ１８０３に進むことがある。
【０１８７】
図１８の検討を続けると、一部の実施形態では、ステップ１８０３は、蓋１１１を開くステップであることがある。一部の実施形態では、蓋１１１は、ステップ１８０５及び１８０７を妨害しないように十分に開く必要があることがある。一部の実施形態では、ステップ１８０３は、折畳式ロッカー１０１が実質的に折り畳まれることがある時に、蓋１１１を蓋１１１の位置から少なくとも９０度開く必要があることがある。一部の実施形態では、ステップ１８０３は、折畳式ロッカー１０１が実質的に折り畳まれることがある時に、蓋１１１を蓋１１１の位置から９０度を超えて開く必要があることがある。一部の実施形態では、ステップ１８０３は、ステップ１８０５に進むことがある。
【０１８８】
図１８の検討を続けると、一部の実施形態では、ステップ１８０５は、２つの対向する側壁１０５が互いに実質的に平行になるように、前壁１０３を延ばして後壁１１９から離すステップであることがある。一部の実施形態では、ステップ１８０５は、前壁１０３を引いて後壁１１９から離すことによって達成されることがある。一部の実施形態では、ステップ１８０５は、前壁１０３が重力によって引っ張られて後壁１１９から離れることがあるように、折畳式ロッカー１０１を傾けることによって達成されることがあり、次いで荷物受領ロッカー１００／９００／２２００／３６００はまだドア４５１に取り外し可能に取り付けられていないことがあることを意味することがある。一部の実施形態では、ステップ１８０５は、ステップ１８０７に進むことがある。
【０１８９】
図１８の検討を続けると、一部の実施形態では、ステップ１８０７は、床面１２１が前壁１０３、側壁１０５、及び後壁１１９と実質的に垂直であることがあるように、床面１２１を配列するステップであることがある。一部の実施形態では、ステップ１８０７は、床面１２１を押して後壁１１９から離すことによって促進されることがある。一部の実施形態では、ステップ１８０７は、床面１２１を下方に枢動して（例えばヒンジを介して）後壁１１９から離すように促す重力によって促進されることがある。一部の実施形態では、ステップ１８０７はステップ１８０９に進むことがある。一部の実施形態では、ステップ１８０７の完成は方法１８００を完成することがあり、すなわちこのような実施形態では、ステップ１８０９は任意選択され又は省略されることがある。
【０１９０】
図１８の検討を続けると、一部の実施形態では、ステップ１８０９は、ボルト３１１がボルト受け３１５を取り外し可能に係合することがあるように、蓋１１１を閉じるステップであることがある。一部の実施形態では、荷物受領ロッカー１００／９００／２２００／３６００のデフォルト状態はロックされることがあり、すなわち蓋１１１が閉じることがある時に、ボルト３１１の遠位部は、ボルト受け３１５内に取り外し可能に捕捉されることがある。一部の実施形態では、サーボモータ、ソレノイド、励起した磁石、及び／又はボルト３１１に若しくはボルト受け３１５に作動可能に連結される同種のものは、蓋１１１のこのようなロック（及びロック解除）を促進することがある。一部の実施形態では、ステップ１８０９は省略され又は任意選択されることがある。
【０１９１】
一部の実施形態では、方法１８００は、荷物受領ロッカー１００／９００／２２００／３６００がドア４５１に取り外し可能に取り付けられことがあるかどうかに拘わらず、実施されることがある。
【０１９２】
図１９は、所与の荷物受領ロッカー１００／９００／２２００／３６００が、その実質的に展開した構成からその実質的に折り畳んだ構成に、取り外し可能に折り畳まれることがある方法のステップを示す流れ図であることがある。一部の実施形態では、図１９は、方法１９００の少なくとも一部のステップを描くことがある。一部の実施形態では、方法１９００は、所与の荷物受領ロッカー１００／９００／２２００／３６００をその実質的に展開した構成からその実質的に折り畳んだ構成に折り畳む方法であることがある。一部の実施形態では、方法１９００は、図３Ａ〜図３Ｆ及び／又は図１１Ａ〜図１１Ｃによって支持されることもある。一部の実施形態では、方法１９００は、ステップ１９０１、１９０３、１９０５、１９０７、及び１９０９を含むことがある。一部の実施形態では、これらのステップの少なくとも１つは、方法１９００において省略され、任意選択され、及び／又は実施されないことがある。
【０１９３】
図１９の検討を続けると、ステップ１９０１は、所与の荷物受領ロッカー１００／９００／２２００／３６００のロックをロック解除するステップであることがある。所与の荷物受領ロッカー１００／９００／２２００／３６００をロック解除することは、ボルト３１１をそのボルト受け（例えばボルト受け３１５）から収縮されることに関与することがある。一部の実施形態では、荷物受領ロッカー９００が実質的に展開した構成にあることがある時に、蓋１１１は、ボルト受け３１５を通過するボルト３１１の遠位部によって、前壁１０３に（及び／又は側面パネル１０５に）ロックされることがある。一部の実施形態では、所与の荷物受領ロッカー１００／９００／２２００／３６００をロック解除することは、図２０に示されたステップ２００５によって、及び／又はステップ２０１７によって対処されることがある。一部の実施形態では、ステップ１９０１は、ステップ１９０３に進むことがある。
【０１９４】
図１９の検討を続けると、ステップ１９０３は、蓋１１１を開くステップであることがある。一部の実施形態では、ステップ１９０３は、内部への開口３２１を明らかにするために蓋１１１を開くステップであることがある。一部の実施形態では、ステップ１９０３は、ステップ１９０５に進むことがある。一部の実施形態では、ステップ１９０５及びステップ１９０７を実行するために、蓋１１１を十分に開かなければならない。一部の実施形態では、蓋１１１を２０度以上（だが２７０度未満）開くことが十分であることがある。
【０１９５】
図１９の検討を続けると、ステップ１９０５は、床面１２１を後壁１１９に向かって据えるステップであることがある。一部の実施形態では、ステップ１９０５は、床面１２１が折畳式ロッカー１０１内の床面として作用することがある時に、床面１２１をその展開した構成から、床面１２１が最終的に後壁１１９と実質的に平行になることがある真っ直ぐな垂直壁の配向に上方に枢動する（例えばヒンジを介して）ステップであることがある。一部の実施形態では、ステップ１９０５は、ステップ１９０７に進むことがある。
【０１９６】
図１９の検討を続けると、ステップ１９０７は、側面（例えば２つの対向する側壁１０５）を互いに向かって押し、及び前壁１０３を後壁１１９に向かって押すステップであることがある。一部の実施形態では、２つの対向する側壁１０５が互いに向かって押されるほど、前壁１０３は後壁１１９に向かって内方に引かれる。一部の実施形態では、２つの対向する側壁１０５を互いに向かって押すために、２つの対向する側壁１０５の頂面の内部への開口３２１に沿ってロック解除構成に、すなわちロック１００６が側面ヒンジ３０９の枢動を妨げないように、ロック１００６を摺動する必要があることがある。一部の実施形態では、ステップ１９０７は、ステップ１９０９に進むことがある。
【０１９７】
図１９の検討を続けると、ステップ１９０９は、蓋を閉じるステップ１９０９であることがある。一部の実施形態では、折畳式ロッカー１０１がその実質的に折り畳んだ構成にあることがある時に、蓋１１１は、前壁１０３を全体的に覆い、並びに２つの対向する側壁１０５（２つの対向する側壁１０５は前壁１０３の背後にあることがある）を全体的に覆い、並びに床面１２１（床面１２１は２つの対向する側壁１０５の背後にあることがある）を全体的に覆うことがある。一部の実施形態では、折畳式ロッカー１０１がその実質的に折り畳んだ構成にあることがある時に、蓋１１１は、（例えばボルト３１１の遠位部がボルト受け１１１５の中に挿入されて）底面パネル９２３にロックされることがある。一部の実施形態では、ステップ１９０９の一部として蓋１１１を底面パネル９２３にロックすることは、方法１９００において省略され又は任意選択されることがある。
【０１９８】
一部の実施形態では、方法１９００は、荷物受領ロッカー１００／９００／２２００／３６００がドア４５１に取り外し可能に取り付けられことがあるかどうかに拘わらず、実施されることがある。
【０１９９】
図２０は、少なくとも１つの物体が、所与の荷物受領ロッカー１００／９００／２２００／３６００の中に受領されることがある方法のステップを示す流れ図であることがある。一部の実施形態では、図２０は、方法２０００の少なくとも一部のステップを描くことがある。一部の実施形態では、方法２０００は、物体（少なくとも１つの物体）を一時的な保存のために所与の荷物受領ロッカー１００／９００／２２００／３６００の中に受領する方法であることがある。一部の実施形態では、方法２０００は、以下のステップ、すなわち２００１、２００３、２００５、２００７、２００８、２００９、２０１１、２０１３、２０１５、２０１７、２０１９、２０２０、２００９、２０２１、２０２３、及び２０２５の少なくとも一部を含むことがある。一部の実施形態では、これらのステップの少なくとも１つは、方法２０００において省略され、任意選択され、及び／又は実施されないことがある。一部の実施形態では、方法２０００は、所与の荷物受領ロッカー１００／９００／２２００／３６００の中に受領した配達された物体が、次いで所与の荷物受領ロッカー１００／９００／２２００／３６００からその後回収されることがある方法の少なくとも一部のステップを含むことがある。一部の実施形態では、方法２０００のステップの実行は、折畳式ロッカー１０１が図１Ａ及び／又は図９Ａに示されることがあるように、その完全に及び／又は実質的に展開した構成にある必要があることがある。
【０２００】
例えば本発明の範囲を限定することなく、方法２０００は、所与の折畳式ロッカー１０１がその完全に又は実質的に展開した構成であることがある時に、配達人（若しくはロボット）が所与の折畳式ロッカー１０１内に一時的に保管するために少なくとも１つの物体を配達することがある時に実行されることがある。この配達人（又はロボット）はユーザ１であることがある。また配達した少なくとも１つの物体の意図した受領者であるユーザ２は、次いで完全に又は実質的に展開した折畳式ロッカー１０１から配達した少なくとも１つの物体を回収する人であることがある。このシナリオでは、配達（ユーザ１を介して）は、完全に又は実質的に展開した折畳式ロッカー１０１が、ドア４５１の外部に取り外し可能に取り付けられることがあり、すなわちドア外側４５５に取り外し可能に取り付けられることがある時に起きることがある。しかし一部の実施形態では、完全に又は実質的に展開した折畳式ロッカー１０１から配達した少なくとも１つの物体の回収（ユーザ２によって）は、完全に若しくは実質的に展開した折畳式ロッカー１０１が、ドア４５１がアクセスさせる所与の構造の内側若しくは外側であることがある場合に起きることがある。例えば本発明の範囲を限定することなく、このような回収（ユーザ２によって）は、完全に又は実質的に展開した折畳式ロッカー１０１が、依然としてドア４５１に取り外し可能に取り付けられるが、ドア４５１が内方に開いた状態にある時に起きることがある。また回収するこの少なくとも１つの物体は、荷物、小包、郵便物、箱、容器、物品、文書、袋、大袋、ポーチ、日用品、電子機器、電気製品、衣類、食品、飲料、それらの組合せ、及び／又は同種のものの１つ又は複数であることがある。意図した受領者であるユーザ２は、ユーザ２に関連した他の実行課題を有することがあることにも留意されたい。
【０２０１】
図２０の検討を続けると、一部の実施形態では、ステップ２００１は、一時アクセスコードを発生するステップであることがある。一部の実施形態では、一時アクセスコードは、ロックされた折畳式ロッカー１０１をロック解除するためのコード（パスワードなど）（又はコマンド）であることがある。すなわち一旦所与の一時アクセスコードが所与のロックされた折畳式ロッカー１０１に提供されることがあると、その折畳式ロッカー１０１は、提供された一時アクセスコードが有効であった場合にロック解除されることがある。一部の実施形態では、その一時アクセスコードは、１つの一時アクセスコード、すなわち使用時に折畳式ロッカー１０１にロック解除を提供するようにもはや作用しない、１回使用のアクセスコードであることがある。一部の実施形態では、一時アクセスコードは、数字、アルファベット（一部の実施形態では大文字小文字を区別し、及び／又は一部の実施形態では特殊文字を利用する）、ＲＦＩＤタグに組み込まれ、ＮＦＣタグに組み込まれ、及び／又は同種のものであることがある。一部の実施形態では、一時アクセスコードはピン番号であることがある。一部の実施形態では、一時アクセスコードは、３〜１２字の長さであることがある。一部の実施形態では、一時アクセスコードは、１つ又は複数の一時アクセスコードを発生することがあるＰＲＬ／ＳＢＬソフトウェアであることがある。例えば本発明の範囲を限定することなく、ユーザ２は、ユーザ２の第２のユーザ・コンピューティングデバイス１６０３（第２のユーザ・コンピューティングデバイス１６０３は、例えばスマートフォンであることが可能である）との相互作用を介して、１つ又は複数の一時アクセスコードを発生するようにＰＲＬ／ＳＢＬソフトウェアに入力する（命令する）ことがある。一部の実施形態では、ＰＲＬ／ＳＢＬソフトウェアの少なくとも一部は、第２のユーザ・コンピューティングデバイス１６０３上のモバイルアプリとして動作することがある。一部の実施形態では、ＰＲＬ／ＳＢＬソフトウェアの少なくとも一部は、リモートサーバ（例えばサーバ１６０５）上で動作し、第２のユーザ・コンピューティングデバイス１６０３上で動作するウェブブラウザを介してアクセスされることがある。一部の実施形態では、ユーザ２は、第２のユーザ・コンピューティングデバイス１６０３を介してＰＲＬ／ＳＢＬソフトウェアとの係合を通して、１つ又は複数の一時アクセスコードを発生することがあり、これに限定されないが、配達用の特定の購買などの特定の目的を持つ、それぞれの所与の発生した一時アクセスコードと関連することがある。一部の実施形態では、ステップ２００１は、ステップ２００３に進むことがある。
【０２０２】
図２０の検討を続けると、一部の実施形態では、ステップ２００３は、発生した一時アクセスコードを送信するステップであることがある。一部の実施形態では、ステップ２００３は、第２のユーザ・コンピューティングデバイス１６０３から発生した一時アクセスコードを、折畳式ロッカー１０１のコンピューティングデバイス１５００のメモリ１５０３内にこの一時アクセスコードを非一時保管するために、折畳式ロッカー１０１に送信するステップであることがあるので、ユーザ１（配達人又は配達ロボット）がこの一時アクセスコードを折畳式ロッカー１０１に提供するのであれば、その折畳式ロッカー１０１は、ユーザ１から提供された一時アクセスコードを確認し、次いで折畳式ロッカー１０１をロック解除することができる。第２のユーザ・コンピューティングデバイス１６０３と折畳式ロッカー１０１のコンピューティングデバイス１５００との間の通信は、インターネット／ネットワーク／ＷＡＮ／ＬＡＮ１６０９の少なくとも一部を直接的又は間接的のいずれかで使用して、互いに無線通信することがある。一部の実施形態では、ステップ２００３は、発生した一時アクセスコードをユーザ１に送信する（又は提供する）ステップであることがある。例えば本発明の範囲を限定することなく、ユーザ２が係合することがある（オンライン若しくは人と直接）購入取引中に、ユーザ２は、その購買のための一時アクセスコードを発生することがあり、次いで発生した一時アクセスコードを販売人に提供する（送信する）ことがあるので、次いで販売人はその発生した一時アクセスコードをユーザ１に提供することがある。例えば本発明の範囲を限定することなく、販売人は、ユーザ１によって使用されたＲＦＩＤタグ若しくはＮＦＣタグに組み込んだ、購入品目の出荷ラベル上に提供された、又は組み込まれたこの発生した一時アクセスコードを有することにより、発生した一時アクセスコードを提供することがある。一部の実施形態では、ステップ２００３は、ステップ２００５に進むことがある。
【０２０３】
図２０の検討を続けると、一部の実施形態では、ステップ２００５は、一時アクセスコードを受信するステップであることがある。一部の実施形態では、ステップ２００５は、第２のユーザ・コンピューティングデバイス１６０３から発生した一時アクセスコードを折畳式ロッカー１０１のコンピューティングデバイス１５００のメモリ１５０３内に受信するステップであることがあるので、ユーザ１（配達人又は配達ロボット）がこの一時アクセスコードを折畳式ロッカー１０１に提供するのであれば、その折畳式ロッカー１０１は、ユーザ１から提供された一時アクセスコードを検証し、次いで折畳式ロッカー１０１をロック解除することができる。一部の実施形態では、ステップ２００５は、ロック解除目的でユーザ１から、又は第１のユーザ・コンピューティングデバイス１６０１から発生した一時アクセスコードを受信するステップであることがある。例えば本発明の範囲を限定することなく、ユーザ１は、出荷ラベル上に印刷した一時アクセスコードを見て、この一時アクセスコードを折畳式ロッカー１０１のコンピューティングデバイス１５００の外部インターフェース１１５（外部インターフェース１１５はキーパッド又はキーパッド機能を備えたタッチスクリーンであることがある）に入力することがある。例えば本発明の範囲を限定することなく、ユーザ１は、一時アクセスコードが第１のユーザ・コンピューティングデバイス１６０１から送信され、ＲＦＩＤ／ＮＦＣを介して折畳式ロッカー１０１のコンピューティングデバイス１５００で受信されるように、ＲＦＩＤ／ＮＦＣの無線通信ができるために第１のユーザ・コンピューティングデバイス１６０１を折畳式ロッカー１０１のコンピューティングデバイス１５００の非常に近くに運ぶことがある。例えば本発明の範囲を限定することなく、ユーザ１は、一時アクセスコードが第１のユーザ・コンピューティングデバイス１６０１から送信され、このような無線通信を介して折畳式ロッカー１０１のコンピューティングデバイス１５００で受信されるように、無線通信ができるために第１のユーザ・コンピューティングデバイス１６０１を折畳式ロッカー１０１のコンピューティングデバイス１５００の非常に近くに、又はインターネット／ネットワーク／ＷＡＮ／ＬＡＮ１６０９の非常に近くに運ぶことがある。一部の実施形態では、ステップ２００５は、ステップ２００７に進むことがある。
【０２０４】
図２０の検討を続けると、一部の実施形態では、ステップ２００７は、折畳式ロッカー１０１でユーザ１から受信した、又は第１のユーザ・コンピューティングデバイス１６０１から受信した一時アクセスコードが有効であり得るかどうかを判定するステップであることがある。一部の実施形態では、ユーザ１から受信した、又は第１のユーザ・コンピューティングデバイス１６０１から受信した一時アクセスコードが、第２のユーザ・コンピューティングデバイス１６０３（ステップ２００３で折畳式ロッカー１０１に提供された）から提供された一時アクセスコードと一致する場合は、ユーザ１から受信した、又は第１のユーザ・コンピューティングデバイス１６０１から受信した一時アクセスコードは有効であることがある。一部の実施形態では、ユーザ１から受信した、又は第１のユーザ・コンピューティングデバイス１６０１から受信した一時アクセスコードが、第２のユーザ・コンピューティングデバイス１６０３（ステップ２００３で提供された）から提供された一時アクセスコードと一致しない（又は失効している）場合は、ユーザ１から受信した、又は第１のユーザ・コンピューティングデバイス１６０１から受信した一時アクセスコードは有効でないことがある。一部の実施形態では、ステップ２００７は、一時アクセスコードが有効でなかった場合に、ステップ２００８に進むことがある。一部の実施形態では、ステップ２００７は、一時アクセスコードが有効であった場合に、ステップ２００９に進むことがある。
【０２０５】
図２０の検討を続けると、一部の実施形態では、ステップ２００８は、アクセス拒否メッセージを送信するステップであることがある。一部の実施形態では、ステップ２００７の結果が否定であるとステップ２００８になることがある。一部の実施形態では、ステップ２００８は、折畳式ロッカー１０１からユーザ２にアクセス拒否メッセージを送信するステップであることがある。一部の実施形態では、ステップ２００８は、折畳式ロッカー１０１からＰＲＬ／ＳＢＬソフトウェアにアクセス拒否メッセージを送信するステップであることがある（及びＰＲＬ／ＳＢＬソフトウェアのＧＵＩから見える）。一部の実施形態では、この送信したアクセス拒否メッセージは、第２のユーザ・コンピューティングデバイス１６０３上でユーザ２によってアクセスされることがある。一部の実施形態では、ステップ２００８は、折畳式ロッカー１０１からユーザ１にアクセス拒否メッセージを送信するステップであることがある。一部の実施形態では、この送信したアクセス拒否メッセージは、第１のユーザ・コンピューティングデバイス１６０１上でユーザ１によってアクセスされることがある。一部の実施形態では、このような送信したアクセス拒否メッセージは、テキストメッセージ（警報若しくは通知）、ＳＭＳメッセージ（警報若しくは通知）、電子メール、通話、音声メール、ポップアップメッセージ（警報若しくは通知）、ポップアップ通知、メッセージ（警報若しくは通知）、及び／又は同種のものの１つ又は複数であることがある。一部の実施形態では、ステップ２００８は、ユーザ１などの折畳式ロッカー１０１付近の誰かに通知するために、折畳式ロッカー１０１のＩ／Ｏ手段１５０７からアクセス拒否メッセージを送信するステップであることがある。一部の実施形態では、このアクセス拒否メッセージは、折畳式ロッカー１０１のスピーカからの音声メッセージ、折畳式ロッカー１０１からのブザー音、折畳式ロッカー１０１の光源からの所定の光パターン（例えば赤色光若しくは点滅する赤色光）、及び／又は同種のものの１つ又は複数としてＩ／Ｏ手段１５０７から通信することがある。一部の実施形態では、ステップ２００８は、ステップ２００１に進むことがある。
【０２０６】
図２０の検討を続けると、一部の実施形態では、ステップ２００９は、折畳式ロッカー１０１のロックをロック解除するステップであることがある。一部の実施形態では、ステップ２００９の実行は、ステップ２００７から、肯定の結果、すなわち折畳式ロッカー１０１でユーザ１から受信した一時アクセスコードの成功検証を必要があることがある。一部の実施形態では、ステップ２００９で、蓋１１１は前壁１０３からロック解除される、及び／又は側壁１０５からロック解除されることがある。一部の実施形態では、ステップ２００９で、ボルト３１１の遠位部は、ボルト受け３１５から収縮されることがある。一部の実施形態では、ボルト３１１の収縮は、サーボモータ及び／又はソレノイド、及び／又は同種のものによって達成することがある。一部の実施形態では、このロック解除するステップ２００９の実行は、磁石のロック解除を励起すること又は磁石のロックを無励磁にすることによって達成することがある。一部の実施形態では、ステップ２００９は、ステップ２０１１に進むことがある。
【０２０７】
図２０の検討を続けると、一部の実施形態では、ステップ２０１１は、所定の折畳式ロッカー１０１の内部の内側に少なくとも１つの物体を受領するステップであることがある。例えば本発明の範囲を限定することなく、一旦ステップ２００９が実行され、折畳式ロッカー１０１がロック解除されることがあると、次いでユーザ１は蓋１１１を開き、少なくとも１つの物体を折畳式ロッカー１０１の中（内側）に置くことがある。一部の実施形態では、蓋１１１を開くことは、折畳式ロッカー１０１の内部に照明を提供するために１つ又は複数の照明を起動する（活性化する）ことがあり、このような照明はＩ／Ｏ手段１５０７の一部であることがある。一部の実施形態では、次いでユーザ１は蓋１１１を閉じることがあり、折畳式ロッカー１０１は次いで自動的にロックすることがある。一部の実施形態では、次いで蓋１１１は自閉することがあり、折畳式ロッカー１０１は次いで自動的にロックすることがある。一部の実施形態では、ステップ２０１１はステップ２０１３に進むことがある。一部の実施形態では、Ｉ／Ｏ手段１５０７は、蓋１１１が開く又は閉じることがあるかどうかを検証するために、１つ又は複数のセンサを含むことがある。蓋１１１が閉じたことをこのようなセンサが検証する時に、そのセンサの入力は折畳式ロッカー１０１の出力を指示することがある。
【０２０８】
図２０の検討を続けると、一部の実施形態では、ステップ２０１３は、少なくとも１つの物体の折畳式ロッカー１０１の中への受領を文書化するステップであることがある。一部の実施形態では、Ｉ／Ｏ手段１５０７は、少なくとも１つの物体が折畳式ロッカー１０１の中に受領されたことを検証するために１つ又は複数のセンサを含むことがある。一部の実施形態では、Ｉ／Ｏ手段１５０７は、少なくとも１つの物体が折畳式ロッカー１０１の中に受領されたことを検証するために、折畳式ロッカー１０１の内側に置かれた１つ又は複数のセンサを含むことがある。一部の実施形態では、このようなセンサは、内部に置かれた画像カメラ、内部に置かれた動画カメラ、内部に置かれたレーダ／ソナー、内部に置かれた距離計、折畳式ロッカー１０１又は床面１２１の重量を計測するための計測器、床面１２１上の圧力センサの１つ又は複数であることがある。一部の実施形態では、このようなセンサは、少なくとも１つの物体が折畳式ロッカー１０１の中に置かれたかどうかを文書化及び／又は検証することがある。一部の実施形態では、Ｉ／Ｏ手段１５０７は、少なくとも１つの物体が折畳式ロッカー１０１の中に受領されたことを検証するために、折畳式ロッカー１０１の外部に置かれた１つ又は複数のセンサを含むことがある。一部の実施形態では、Ｉ／Ｏ手段１５０７の一部であることがある、１つ又は複数のカメラなどの、このような外部に置かれたセンサは、折畳式ロッカー１０１の外部表面に置かれることがあり、これらの１つ又は複数のカメラは、折畳式ロッカー１０１に所定の近さの範囲内で近づく又は離れる人々／物体の画像、動画、及び／又は音声を捕捉するために配向されることがある。一部の実施形態では、Ｉ／Ｏ手段１５０７の一部であることがある、１つ又は複数のカメラなどの、このような外部に置かれたセンサは、（取り付けられていない）折畳式ロッカー１０１から分離して置かれることがあり、これらの１つ又は複数のカメラは、折畳式ロッカー１０１に所定の近さの範囲内で近づく又は離れる人々／物体の画像、動画、及び／又は音声を捕捉するために配向されることがある。一部の実施形態では、これらのカメラは、折畳式ロッカー１０１の近位のセンサ（センサはＩ／Ｏ手段１５０７の一部であることがある）によって活性化され、蓋１１１を開くことによって活性化され、及び／又は蓋１１１を閉じることによって活性化されることがある。一部の実施形態では、ステップ２０１３はステップ２０１５に進むことがある。
【０２０９】
図２０の検討を続けると、一部の実施形態では、ステップ２０１５は、ステップ２０１３から受領して収集した／発生した物体の証拠を送信する（又は収集した証拠からの結論を送信する）ステップであることがある。一部の実施形態では、この送信するステップ２０１５は、折畳式ロッカー１０１からユーザ２に向けられることがある。一部の実施形態では、この送信するステップ２０１５は、折畳式ロッカー１０１からＰＲＬ／ＳＢＬソフトウェアに向けられ、ＰＲＬ／ＳＢＬソフトウェアのＧＵＩ（グラフィカル・ユーザインターフェース）からアクセス可能である（見ることができる）ことがある。一部の実施形態では、この送信するステップ２０１５は、折畳式ロッカー１０１から第２のユーザ・コンピューティングデバイス１６０３に向けられることがある。一部の実施形態では、この送信するステップ２０１５は、折畳式ロッカー１０１からユーザ１に向けられることがある。一部の実施形態では、この送信するステップ２０１５は、折畳式ロッカー１０１から第１のユーザ・コンピューティングデバイス１６０１に向けられることがある。一部の実施形態では、この送信するステップ２０１５は、ユーザ２のための配達確認及びユーザ１のための配達証明として機能することがある。一部の実施形態では、ステップ２０１５の実行は、少なくとも１つの物体を所与の折畳式ロッカー１０１の中に受領する方法に係るような方法２０００を完結することがある。一部の実施形態では、ステップ２０１７〜２０２５などの図２０の残りのステップは、所与の折畳式ロッカー１０１の内側から少なくとも１つの物体を回収するユーザ２に対処することがある。一部の実施形態では、ステップ２０１５はステップ２０１７に進むことがある。
【０２１０】
図２０の検討を続けると、一部の実施形態では、ステップ２０１７は、所与のロックした折畳式ロッカー１０１をロック解除するためのマスターロック解除コマンドを受信するステップであることがある。一部の実施形態では、マスターロック解除コマンドは、ロックした折畳式ロッカー１０１をロック解除するためのコード（パスワードなど）（又はコマンド）であることがある。一部の実施形態では、このマスターロック解除コマンドはユーザ２からくることがある。一部の実施形態では、一時アクセスコードと異なり、マスターロック解除コマンドは、１回使用後に失効しないことがある。一部の実施形態では、マスターロック解除コマンドは、数字、アルファベット（一部の実施形態では大文字小文字を区別し、及び／又は一部の実施形態では特殊文字を利用する）、ＲＦＩＤタグに組み込む、ＮＦＣタグに組み込む、及び／又は同種のものであることがある。一部の実施形態では、マスターロック解除コマンドは、ピン番号であることがある。一部の実施形態では、マスターロック解除コマンドは、３〜１２字の長さであることがある。一部の実施形態では、マスターロック解除コマンドは、一時アクセスコードより長い（多い文字）及び／又はより複雑（文字の多様性が大きい）であることがある。一部の実施形態では、マスターロック解除コマンドは、所与の折畳式ロッカー１０１をロック解除するためにその所与の折畳式ロッカー１０１で受信することがある。一部の実施形態では、マスターロック解除コマンドは、（１）外部インターフェース１１５上に手動で入力する、及び／又は（２）ＲＦＩＤ通信、ＮＦＣ通信、WiFi通信、Bluetooth通信、ZigBee通信、及び／又は同種のものなどの、第２のユーザ・コンピューティングデバイス１６０３から折畳式ロッカー１０１に無線通信する、２つの方法の一方で所与の折畳式ロッカー１０１をロック解除するために、その所与の折畳式ロッカー１０１で受信することがある。一部の実施形態では、ユーザ２は、第２のユーザ・コンピューティングデバイス１６０３上を動作するＰＲＬ／ＳＢＬソフトウェアのＧＵＩを介して、ロック解除ボタン（ＧＵＩ上）を係合することがあり、次いでロック解除ボタンは、マスターロック解除コマンドを第２のユーザ・コンピューティングデバイス１６０３から無線通信を介して折畳式ロッカー１０１に送信させることがある。一部の実施形態では、ステップ２０１７はステップ２０１９に進むことがある。
【０２１１】
一部の実施形態では、ＰＲＬ／ＳＢＬソフトウェアは、ＰＲＬ／ＳＢＬソフトウェアに関連した１つ又は複数のユーザプロファイルを有し、例えば複数のユーザ２が存在することがある。一部の実施形態では、所定のＰＲＬ／ＳＢＬソフトウェア・ライセンス／シート上の各ユーザ２のプロファイルは、その独自の関連したマスターロック解除コマンドを有することがある。
【０２１２】
一部の実施形態では、サーバ１６０５、ＰＲＬ／ＳＢＬソフトウェア、及び／又は荷物受領ロッカー１００／９００／２２００／３６００を作動及び／又は保守する従業員若しくは代理店は、所与の折畳式ロッカー１０１を無効にしてロック解除するために、管理デバイス１６０７を介して使用可能なそれらの独自のマスターロック解除コマンドを有することがある。
【０２１３】
図２０の検討を続けると、一部の実施形態では、ステップ２０１９は、ステップ２０１７で受信したマスターロック解除コマンドが有効であり得るかどうかを判定するステップであることがある。一部の実施形態では、ステップ２０１９のマスターロック解除コマンドの確認／検証目的で、様々なマスターロック解除コマンドは、ＰＲＬ／ＳＢＬソフトウェアを操作する／動作する所与の第２のユーザ・コンピューティングデバイス１６０３と対であることがある、折畳式ロッカー１０１のメモリ１５０３の１つ又は複数のレジスタ内に非一時的に記憶することがある。一部の実施形態では、マスターロック解除コマンドがロック解除目的で折畳式ロッカー１０１に受信されることがある時に、折畳式ロッカー１０１のメモリ１５０３の１つ又は複数のレジスタ内に非一時的にすでに記憶することがあるマスターロック解除コマンドは、次いで確認／検証のために比較されることがある。一致した場合は、ステップ２０１９はステップ２００９に進むことがある。一致しない場合は、ステップ２０１９はステップ２０２０に進むことがある。
【０２１４】
図２０の検討を続けると、一部の実施形態では、ステップ２０２０は、アクセス拒否メッセージを送信するステップであることがある。一部の実施形態では、ステップ２０１９の結果が否定であるとステップ２０２０になることがある。一部の実施形態では、ステップ２０２０は、折畳式ロッカー１０１からユーザ２にアクセス拒否メッセージを送信するステップであることがある。一部の実施形態では、ステップ２０２０は、折畳式ロッカー１０１からＰＲＬ／ＳＢＬソフトウェアにアクセス拒否メッセージを送信するステップであることがある（及びＰＲＬ／ＳＢＬソフトウェアのＧＵＩから見える）。一部の実施形態では、この送信したアクセス拒否メッセージは、第２のユーザ・コンピューティングデバイス１６０３上でユーザ２によってアクセスされることがある。一部の実施形態では、このような送信したアクセス拒否メッセージは、テキストメッセージ（警報若しくは通知）、ＳＭＳメッセージ（警報若しくは通知）、電子メール、通話、音声メール、ポップアップメッセージ（警報若しくは通知）、ポップアップ通知、メッセージ（警報若しくは通知）、及び／又は同種のものの１つ又は複数であることがある。一部の実施形態では、ステップ２０２０は、ユーザ２などの折畳式ロッカー１０１付近の誰かに通知するために、折畳式ロッカー１０１のＩ／Ｏ手段１５０７からアクセス拒否メッセージを送信するステップであることがある。一部の実施形態では、このアクセス拒否メッセージは、折畳式ロッカー１０１のスピーカからの音声メッセージ、折畳式ロッカー１０１からのブザー音、折畳式ロッカー１０１の光源からの所定の光パターン（例えば赤色光若しくは点滅する赤色光）、及び／又は同種のものの１つ又は複数としてＩ／Ｏ手段１５０７から通信することがある。一部の実施形態では、ステップ２０２０は、ステップ２００１に進むことがある。
【０２１５】
図２０の検討を続けると、一部の実施形態では、ステップ２００９は、前壁１０３からロック解除し、及び／又は側壁１０５からロック解除する蓋１１１のステップであることがある。一部の実施形態では、ステップ２００９は、ステップ２０１９における成功確認／検証に続くことがある。一部の実施形態では、ステップ２００９は、ステップ２０２１に進むことがある。
【０２１６】
図２０の検討を続けると、一部の実施形態では、ステップ２０２１は、所与の折畳式ロッカー１０１の内側から少なくとも１つの物体を取り除くステップであることがある。すなわち折畳式ロッカー１０１をロック解除した状態で、ユーザ２は、蓋１１１を開け、折畳式ロッカー１０１から少なくとも１つの物体を取り除くことがある。一部の実施形態では、ユーザ２が折畳式ロッカー１０１から少なくとも１つの物体を取り除いたかもしれない後に、ユーザ２は蓋１１１を閉じることがある。一部の実施形態では、ユーザ２が折畳式ロッカー１０１から少なくとも１つの物体を取り除いたかもしれない後に、蓋１１１は自閉することがある。この時点で、ユーザ２は、今や少なくとも１つの物体を物理的に所有していることがある。一部の実施形態では、ステップ２０２１は、ステップ２０２３に進むことがある。
【０２１７】
図２０の検討を続けると、一部の実施形態では、ステップ２０２３は、折畳式ロッカー１０１から少なくとも１つの物体の除去を文書化するステップであることがある。一部の実施形態では、Ｉ／Ｏ手段１５０７は、少なくとも１つの物体が折畳式ロッカー１０１から取り除かれたことを検証するために、１つ又は複数のセンサを含むことがある。一部の実施形態では、Ｉ／Ｏ手段１５０７は、少なくとも１つの物体が折畳式ロッカー１０１から取り除かれたことを検証するために、折畳式ロッカー１０１の内側に置かれた１つ又は複数のセンサを含むことがある。一部の実施形態では、このようなセンサは、内部に置かれた画像カメラ、内部に置かれた動画カメラ、内部に置かれたレーダ／ソナー、内部に置かれた距離計、折畳式ロッカー１０１又は床面１２１の重量を計測するための計測器、床面１２１上の圧力センサの少なくとも１つ又は複数であることがある。一部の実施形態では、このようなセンサは、少なくとも１つの物体が折畳式ロッカー１０１から取り除かれたかどうかを文書化及び／又は検証することがある。一部の実施形態では、Ｉ／Ｏ手段１５０７は、少なくとも１つの物体が折畳式ロッカー１０１から取り除かれたことを検証するために、折畳式ロッカー１０１の外部に置かれた１つ又は複数のセンサを含むことがある。一部の実施形態では、Ｉ／Ｏ手段１５０７の一部であることがある、１つ又は複数のカメラなどの、このような外部に置かれたセンサは、折畳式ロッカー１０１の外部表面に置かれることがあり、これらの１つ又は複数のカメラは、折畳式ロッカー１０１に所定の近さの範囲内で折畳式ロッカー１０１に近づく又は離れる人々／物体の画像、動画、及び／又は音声を捕捉するために配向されることがある。一部の実施形態では、Ｉ／Ｏ手段１５０７の一部であることがある、１つ又は複数のカメラなどの、このような外部に置かれたセンサは、（取り付けられていない）折畳式ロッカー１０１から分離して置かれることがあり、これらの１つ又は複数のカメラは、折畳式ロッカー１０１に所定の近さの範囲内で折畳式ロッカー１０１に近づく又は離れる人々／物体の画像、動画、及び／又は音声を捕捉するために配向されることがある。一部の実施形態では、これらのカメラは、折畳式ロッカー１０１の近位のセンサ（センサはＩ／Ｏ手段１５０７の一部であることがある）によって活性化され、蓋１１１を開くことによって活性化され、及び／又は蓋１１１を閉じることによって活性化されることがある。一部の実施形態では、ステップ２０２３はステップ２０２５に進むことがある。
【０２１８】
図２０の検討を続けると、一部の実施形態では、ステップ２０２５は、ステップ２０２３で収集した／発生した折畳式ロッカー１０１から取り除いた少なくとも１つの物体の証拠を送信する（又はこのように収集した／発生した証拠からの結論を送信する）ステップであることがある。一部の実施形態では、この送信するステップ２０２５は、折畳式ロッカー１０１からユーザ２に向けられることがある。一部の実施形態では、この送信するステップ２０２５は、折畳式ロッカー１０１からＰＲＬ／ＳＢＬソフトウェアに向けられ、ＰＲＬ／ＳＢＬソフトウェアのＧＵＩ（グラフィカル・ユーザインターフェース）からアクセス可能である（見ることができる）ことがある。一部の実施形態では、この送信するステップ２０２５は、折畳式ロッカー１０１から第２のユーザ・コンピューティングデバイス１６０３に向けられることがある。一部の実施形態では、この送信するステップ２０２５は、折畳式ロッカー１０１からユーザ１に向けられることがある。一部の実施形態では、この送信するステップ２０２５は、折畳式ロッカー１０１から第１のユーザ・コンピューティングデバイス１６０１に向けられることがある。一部の実施形態では、この送信するステップ２０２５は、ユーザ２が少なくとも１つの物体の物理的所有者であり得ることの確認として機能することがある。一部の実施形態では、ステップ２０２５の実行は方法２０００を完結することがある。
【０２１９】
一部の実施形態では、Ｉ／Ｏ手段１５０７は、折畳式ロッカー１０１の内部に置かれた、及び／又は折畳式ロッカー１０１の外部に置かれた、１つ又は複数の近接センサ及び／又はモーション検出器を含むことがある。このような近接センサ及び／又はモーション検出器を起動（活性化）すると、Ｉ／Ｏ手段１５０７の他の構成要素は、内部に置かれた画像カメラ、内部に置かれた動画カメラ、内部に置かれたレーダ／ソナー、内部に置かれた距離計、折畳式ロッカー１０１又は床面１２１の重量を計測するための計測器、床面１２１上の圧力センサ、外部に置かれたカメラ、マイクロフォン、照明、及び／又は同種のものの１つ又は複数などを起動する（活性化する）ことがある。
【０２２０】
一部の実施形態では、Ｉ／Ｏ手段１５０７は、折畳式ロッカー１０１の内部に置かれた、及び／又は折畳式ロッカー１０１の外部に置かれた、又はそれらの組合せの、１つ若しくは複数のＧＰＳモジュール１５１１及び／又は加速度計を含むことがある。所定のモーション閾値を超えるこのようなＧＰＳモジュール１５１１及び／又は加速度計を起動すると、Ｉ／Ｏ手段１５０７の他の構成要素は、内部に置かれた画像カメラ（例えば内部カメラ２９０５）、内部に置かれた動画カメラ（例えば内部カメラ２９０５）、内部に置かれたレーダ／ソナー、内部に置かれた距離計、折畳式ロッカー１０１の重量を計測するため若しくは床面１２１上の負荷を計測するための計測器、床面１２１上の圧力センサ、外部に置かれたカメラ（例えばカメラ２９０３）、マイクロフォン、照明、及び／又は同種のものの１つ又は複数などを起動する（活性化する）ことがある。
【０２２１】
一部の実施形態では、本発明は、荷物を受領するためのシステムであることがあり、システムは、少なくとも１つの荷物受領ロッカー１００／９００／２２００／３６００及びＰＲＬ／ＳＢＬソフトウェアを含むことがある。
【０２２２】
図２１は、所与の荷物受領ロッカー１００／９００／２２００／３６００が、荷物を販売人／売主に戻すために使用することがある方法のステップを示す流れ図であることがある。一部の実施形態では、図２１は、方法２１００の少なくとも一部のステップを描くことがある。一部の実施形態では、方法２１００は、荷物を戻す方法２１００であることがある。一部の実施形態では、方法２１００は、以下のステップ、２１０１、２００１、２００３、２００５、２００７、２００８、２００９、２０２１、２０２３、及び２０２５の少なくとも一部を含むことがある。一部の実施形態では、これらのステップの少なくとも１つは、方法２１００において省略され、任意選択され、及び／又は実施されないことがある。一部の実施形態では、方法２１００のステップの実行は、折畳式ロッカー１０１が、図１Ａ及び／又は図９Ａに示されることがあるような、その完全に及び／又は実質的に展開した構成であることが必要であることがある。
【０２２３】
図２１の検討を続けると、一部の実施形態では、ステップ２００１、２００３、２００５、２００７、２００８、２００９、２０２１、２０２３、及び２０２５などの方法２１００のステップは、方法２０００について実質的に記載されたようであることがある。但しユーザ１（荷送人）がこの荷物を販売人／売主に戻すために配達することがあるように、荷物を折畳式ロッカー１０１から取り外すのはユーザ１であり得る、方法２１００のステップ２０２１を除く。一部の実施形態では、方法２１００においてステップ２００５が実行される前に、ステップ２１０１は実行されなければならない。一部の実施形態では、ステップ２１０１は、方法２１００においてステップ２００１、ステップ２００３、又はステップ２００５に進むことがある。一部の実施形態では、ステップ２１０１は、所与の折畳式ロッカー１０１に戻された荷物を受領するステップであることがある。一部の実施形態では、ステップ２１０１において所与の折畳式ロッカー１０１の中に戻される荷物を置くのは、ユーザ２であることがある。ステップ２１０１を達成するために、ユーザ２（又はユーザ２の代理店）は、ステップ２０１７を実行することがあり、ステップ２０１７はステップ２０１９及びステップ２００９に繋がることがあり、すなわち一旦ユーザ２がステップ２００９を引き起こすと、ユーザ２は、戻す荷物を折畳式ロッカー１０１の中に置くことがある。
【０２２４】
一部の実施形態では、方法２１００においてステップ２００３の前又は現在ステップ２００３で、ユーザ２は、返品確認（ＲＭＡ）を獲得するために販売人／売主に連絡することがある。ユーザ２が販売人／売主と連絡／通信することがある時に、ユーザ１のための一時アクセスコード（ステップ２００１から）は、ステップ２００３の少なくとも一部として販売人／売主に提供されることがあり、次いで販売人／売主は、ユーザ１がステップ２００５を開始することがあるように、この一時アクセスコードをユーザ１に通信することがある。
【０２２５】
図２２Ａ〜図２２Ｆは、荷物受領ロッカー２２００を描くことがあり、この荷物受領ロッカー２２００が、その蓋１１１を閉じ、実質的に（又は完全に）展開した（広げた）構成で示されることがある。図２２Ａは、荷物受領ロッカー２２００の正面左平面斜視（等角）図を描くことがある。図２２Ｂは、荷物受領ロッカー２２００の正面図を描くことがある。図２２Ｃは、荷物受領ロッカー２２００の裏面（背面）図を描くことがある。（注、図２２Ｃ及び図２２Ｂは対向する図であることがある。）図２２Ｄは、荷物受領ロッカー２２００の側面図（左又は右）を描くことがある。（荷物受領ロッカー２２００の側面図は、実質的に類似又は同一であることがある。）図２２Ｅは、荷物受領ロッカー２２００の平面図を描くことがある。図２２Ｆは、荷物受領ロッカー２２００の底面図を描くことがある。（注、図２２Ｆ及び図２２Ｅは、対向する図であることがある。）
【０２２６】
荷物受領ロッカー２２００は、荷物受領ロッカー１００に対する（及び／又は荷物受領ロッカー９００に関する）追加実施形態又は代替実施形態であることがある。一部の実施形態では、荷物受領ロッカー２２００は、荷物受領ロッカー１００／９００と実質的に同じ目的を有することがある。一部の実施形態では、荷物受領ロッカー２２００は、荷物受領ロッカー１００／９００と実質的に同じ問題を解決することがある。一部の実施形態では、荷物受領ロッカー２２００は、荷物受領ロッカー１００／９００と実質的に同様に実行することがある。一部の実施形態では、荷物受領ロッカー２２００は、荷物受領ロッカー１００／９００と実質的に同様に機能することがある。一部の実施形態では、荷物受領ロッカー２２００は、特徴、部品、構成要素、幾何形状、構造、機構、作動、それらの組合せ、及び／又は同種のものの少なくとも１つに関して荷物受領ロッカー１００／９００と実質的に同様であることがある。従って荷物受領ロッカー２２００を示す図（例えば図２２Ａ〜図２５Ｂ）は、同様又は同じ特徴、部品、構成要素、幾何形状、構造、機構、及び／又は作動を参照するために、荷物受領ロッカー１００と共に使用するのと同じ参照番号を示すことがある。例えば本発明の範囲を限定することなく、一部の実施形態では、荷物受領ロッカー２２００は、折畳式ロッカー１０１を含むことがある。一部の実施形態では、折畳式ロッカー１０１は、蓋１１１、２つの対向する側壁１０５、前壁１０３、後壁１１９、床面１２１、及びコンピューティングデバイス１５００を含むことがある。これらの構成要素は、荷物受領ロッカー１００について実質的に上に記載した通りであることがある。
【０２２７】
しかし荷物受領ロッカー１００と荷物受領ロッカー２２００との間に若干違いがあることがあり、その一部は以下に記載されて論じられることがある。例えば本発明の範囲を限定することなく、一部の実施形態では、荷物受領ロッカー２２００は、少なくとも１つの外部リブ２２０１、少なくとも１つのレール２２０３、少なくとも１つの穴２２０５、少なくとも１つの内部リブ２３０１、少なくとも１つのカムロック３１０１、少なくとも１つの後支持部３１０３、及び／又は少なくとも１つのドア取付構造３０００を含むことがある。
【０２２８】
一部の実施形態では、蓋１１１、側壁１０５、前壁１０３、後壁１１９、及び／又は床面１２１は、構造強度を提供するために１つ又は複数の外部リブ２２０１を含むことがある。一部の実施形態では、外部リブ２２０１は、実質的に水平に、垂直に、斜めに、及び／又は同種のものに走ることがある。例えば本発明の範囲を限定することなく、図２２Ａは、実質的に水平であることがある外部リブ２２０１を示すことがある。例えば本発明の範囲を限定することなく、図２２Ｃは、実質的に垂直であることがある外部リブ２２０１を示すことがある。一部の実施形態では、外部リブ２２０１は、実質的にハニカム形状及び／又は同種のものであることがある。例えば本発明の範囲を限定することなく、図２２Ｆは、実質的にハニカム形状であることがある外部リブ２２０１を示すことがある。
【０２２９】
一部の実施形態では、後壁１１９の外部上に１つ又は複数のレール２２０３があることがある。一部の実施形態では、これらのレール２２０３は、後壁１１９の外部に取り付けられることがある。一部の実施形態では、これらのレール２２０３は、後壁１１９の外部に一体化することがある。一部の実施形態では、これらのレール２２０３は、後壁１１９の外部に成形されることがある。一部の実施形態では、レール２２０３は、後壁１１９と同じ材料であることがある。一部の実施形態では、レール２２０３は、後壁１１９と同じ剛性を有することがある。一部の実施形態では、レール２２０３は、荷物受領ロッカー２２００の重量を支持することがある。一部の実施形態では、レール２２０３は、荷物受領ロッカー２２００及び荷物受領ロッカー２２００内の物体の重量を支持することがある。一部の実施形態では、レール２２０３は、４０ポンド〜２００ポンドの範囲の重量を支持することがある。一部の実施形態では、レール２２０３は、６０ポンドまでの重量を支持することがある。一部の実施形態では、レール２２０３は、後壁１１９の外部を実質的に水平にわたって走ることがある。一部の実施形態では、後壁１１９の外部を実質的に水平にわたって走ることがあるレール２２０３の１つ又は複数の列が存在することがある。一部の実施形態では、レール２２０３の所与の列は、レール２２０３のその列内に１つ又は複数の隙間（割れ目）を有することがある。一部の実施形態では、所与のレール２２０３の断面は、所与のレール２２０３が「Ｌ」字形ブラケットを有することがあることを示すことがある。一部の実施形態では、レール２２０３への開口は、上方、下方、又は上方及び下方の両方に面することがある。一部の実施形態では、所与のレール２２０３は、ドア取付構造３０００の所与のレールを係合することがあり、ドア取付構造３０００の所与のレールは、ＰＲＬ係合レール３０１３として示されることがある。すなわち所与のレール２２０３は、所与のＰＲＬ係合レール３０１３に称賛して取り付けられることがある。一部の実施形態では、この係合／称賛する取付けの性質は、摺動係合／取付けであることがある、すなわち所与のＰＲＬ係合レール３０１３は所与のレール２２０３の上に摺動することがある。一部の実施形態では、所与のＰＲＬ係合レール３０１３は、所与のレール２２０３に取り外し可能に摺動して取り付けることがある。一部の実施形態では、ＰＲＬ係合レール３０１３とレール２２０３との間の取り外し可能な取付けは、１つ又は複数の磁石の使用によって更に促進されることがある。例えば図２２Ｃ、図２２Ｄ、図２５Ｂ、図２７Ｄ、図３１Ｂ、及び図３５Ｂを参照されたい。
【０２３０】
一部の実施形態では、蓋１１１、側壁１０５、前壁１０３、後壁１１９、及び／又は床面１２１は、１つ又は複数の穴２２０５を含むことがある。一部の実施形態では、このような穴２２０５は貫通穴であることがある。一部の実施形態では、このような穴２２０５は、換気、排水、重量の最小化、点検、出入、通過、ケーブルの通過、及び／又は同種のもののためであることがある。一部の実施形態では、後壁１１９は、少なくとも１つのカムロック３１０１がこの少なくとも１つの穴２２０５から下方に延在するように、少なくとも１つの穴２２０５を含むことがある。一部の実施形態では、所与のカムロック３１０１は、レール２２０３とＰＲＬ係合レール３０１３との間の摺動を防ぐため、すなわち後壁１１９をドア取付構造３０００に固定するためであることがある。例えば図２２Ｃ、図２３Ａ、及び図３１Ｂを参照されたい。
【０２３１】
蓋１１１が閉じていることがある時に、外部カメラ２９０３は、人々が荷物受領ロッカー２２００に近づき又は去るなどの、荷物受領ロッカー２２００の外部環境を監視するために使用することがある。蓋１１１が閉じていることがある時に、外部カメラ２９０３は、所与の折畳式ロッカー１０１の外部の所与の帯域を監視するために位置付けられて配向されることがある。一部の実施形態では、荷物受領ロッカー２２００は、少なくとも１つの外部カメラ２９０３を含むことがある。一部の実施形態では、外部カメラ２９０３は、蓋１１１の外部に装着され、及び／又は取り付けられることがある。一部の実施形態では、外部カメラ２９０３は、外部電子機器カバー２９０９に装着され、及び／又は取り付けられることがある。一部の実施形態では、外部カメラ２９０３は、蓋１１１、前壁１０３、側壁１０５、及び／又は後壁１１９に装着され、及び／又は取り付けられることがある。一部の実施形態では、外部カメラ２９０３は、折畳式ロッカー１０１の外部表面に置かれることがある。一部の実施形態では、外部カメラ２９０３は、荷物受領ロッカー２２００のコンピューティングデバイス１５００によって制御され、及び／又は電力供給されることがある。一部の実施形態では、外部カメラ２９０３は動きを活性化されることがある。一部の実施形態では、外部カメラ２９０３は、Ｉ／Ｏ手段１５０７の入力であることがある。一部の実施形態では、外部カメラ２９０３は、画像、静止画、動画、及び／又は音声を捕捉することがある。一部の実施形態では、外部カメラ２９０３は、画像の捕捉を支援するために光を発することがある。一部の実施形態では、外部カメラ２９０３は、低照度条件で作動することがある。一部の実施形態では、外部カメラ２９０３は赤外線カメラであることがある。一部の実施形態では、外部カメラ２９０３はデジタルカメラであることがある。例えば図２２Ａ及び図２２Ｂを参照されたい。
【０２３２】
図２２Ｇは、荷物受領ロッカー２２００の斜視図を描くことがあり、外部カメラ２９０３は、図２２Ａと比較して荷物受領ロッカー２２００の背面により近くに置かれることがある。
【０２３３】
図２３Ａ〜図２３Ｅは荷物受領ロッカー２２００を描くことがあり、この荷物受領ロッカー２２００は、その蓋１１１が開き（少なくとも一部が開き）、実質的に（又は完全に）展開した（広げた）構成で示されることがある。図２３Ａは、荷物受領ロッカー２２００の正面左平面斜視（等角）図を描くことがある。図２３Ｂは、荷物受領ロッカー２２００の正面図を描くことがある。図２３Ｃは、荷物受領ロッカー２２００の後面（背面）図を描くことがある。（注、図２３Ｃ及び図２３Ｂは対向する図であることがある。）図２３Ｄは、荷物受領ロッカー２２００の側面図（左又は右）を描くことがある。図２３Ｅは、荷物受領ロッカー２２００の平面図を描くことがある。
【０２３４】
蓋１１１が少なくとも部分的に開いた状態で、荷物受領ロッカー２２００の内部リブ２３０１が見られることがある。一部の実施形態では、蓋１１１、側壁１０５、前壁１０３、後壁１１９、及び／又は床面１２１は、構造強度を提供するために１つ又は複数の内部リブ２３０１を含むことがある。一部の実施形態では、内部リブ２３０１は、実質的に水平に、垂直に、斜めに、及び／又は同種のものに走ることがある。一部の実施形態では、内部リブ２３０１は、実質的にハニカム形状及び／又は同種のものであることがある。例えば本発明の範囲を限定することなく、図２３Ａは、実質的にハニカム形状であることがある、内部リブ２３０１を示すことがある。
【０２３５】
蓋１１１が少なくとも部分的に開いた状態で、荷物受領ロッカー２２００の少なくとも一部の可能なボルト受け３１５が見られることがある。一部の実施形態では、所与のボルト受け３１５は、荷物受領ロッカー２２００をロックするために所与のボルト３１１を受領することがある。一部の実施形態では、所与のボルト受け３１５は、ボルト３１１の終端を受領するために穴又は空洞／ポケットであることがある。一部の実施形態では、所与のボルト受け３１５は、前壁１０３及び／又は側壁１０５の頂部／上部に置かれることがある。一部の実施形態では、所与のボルト３１１は、そのそれぞれの筐体３１３から／によって駆動されることがある。一部の実施形態では、ボルト３１１及びそのそれぞれの筐体３１３は、蓋１１１の裏側に置かれることがある。一部の実施形態では、ボルト３１１は、ソレノイド、サーボモータ、ウォームドライブ、リニアモータ、磁石、及び／又は同種のものを介して開閉駆動されることがあり、ドライバは、所与の荷物受領ロッカー２２００のコンピューティングデバイス１５００によって制御されることがある。例えば図２３Ａ及び図２３Ｂを参照されたい。
【０２３６】
蓋１１１が少なくとも部分的に開いた状態で、荷物受領ロッカー２２００の少なくとも１つの内部カメラ２９０５が見られることがある。蓋１１１が閉じたことがある時に、内部カメラ２９０５は、荷物受領ロッカー２２００の内部を監視するために使用することがある。蓋１１１が閉じたことがある時に、内部カメラ２９０５は、所与の折畳式ロッカー１０１の主要内部容積を監視するために位置付けられて配向されることがある。蓋１１１が開いていることがある時に、内部カメラ２９０５は、物体を荷物受領ロッカー２２００の中に及び外に挿入及び／又は取り除くなどの、荷物受領ロッカー２２００の外部を監視するために使用することがある。一部の実施形態では、荷物受領ロッカー２２００は、少なくとも１つの内部カメラ２９０５を含むことがある。一部の実施形態では、内部カメラ２９０５は、蓋１１１の裏側に装着され、及び／又は取り付けられることがある。一部の実施形態では、内部カメラ２９０５は、電子機器カバー２９０７の裏側に装着され、及び／又は取り付けられることがある。一部の実施形態では、内部カメラ２９０５は、蓋１１１、前壁１０３、側壁１０５、後壁１１９（後壁内部６１９）、及び／又は床面１２１の内部／内側に装着され、及び／又は取り付けられることがある。一部の実施形態では、内部カメラ２９０５は、折畳式ロッカー１０１の内側／内部表面に置かれることがある。一部の実施形態では、内部カメラ２９０５は、荷物受領ロッカー２２００のコンピューティングデバイス１５００によって制御され、及び／又は電力供給されることがある。一部の実施形態では、内部カメラ２９０５は、動きを活性化されることがある。一部の実施形態では、内部カメラ２９０５は、Ｉ／Ｏ手段１５０７の入力であることがある。一部の実施形態では、内部カメラ２９０５は、画像、静止画、動画、及び／又は音声を捕捉することがある。一部の実施形態では、内部カメラ２９０５は、画像の捕捉を支援するために光を発することがある。一部の実施形態では、内部カメラ２９０５は、低照度条件で作動することがある。一部の実施形態では、内部カメラ２９０５は赤外線カメラであることがある。一部の実施形態では、内部カメラ２９０５はデジタルカメラであることがある。例えば図２３Ａ及び図２３Ｂを参照されたい。
【０２３７】
図２４Ａ〜図２４Ｅは荷物受領ロッカー２２００を描くことがあり、この荷物受領ロッカー２２００は、一部を折り畳み、又は一部を広げた状態に示されることがある。すなわち図２４Ａ〜図２４Ｅは、展開し（広げ）又は折り畳まれた荷物受領ロッカー２２００を描くことがある。図２４Ａ〜図２４Ｅでは、荷物受領ロッカー２２００は、一部が開いてロック解除されたその蓋１１１を有することがある。例えば本発明の範囲を限定することなく、荷物受領ロッカー２２００を展開する（広げる）ために、蓋１１１はロック解除され、蓋１１１の正面（例えば蓋突出部１１３）は前壁１０３の底面から枢動して離れる必要があることがあるので、前壁１０３は引き抜かれて後壁１１９から離れることがあり、２つの対向する側壁１０５を開いて展開し、次いで床面１２１は、実質的な垂直位置から実質的な水平位置に下方に枢動することができる。例えば本発明の範囲を限定することなく、荷物受領ロッカー２２００を折り畳むために、蓋１１１はロック解除され、蓋１１１の正面（例えば蓋突出部１１３）は前壁１０３の頂面から枢動して離れ、床面１２１は実質的水平な位置から実質的な垂直位置に（そのために後壁１１９の隣に）戻るように上方に枢動して持ち上げられる必要があることがあるので、前壁１０３は、次いで中に押されて後壁１１９に向かい、２つの対向する側壁１０５を再度内方に折り畳むことができる。
【０２３８】
図２５Ａは、荷物受領ロッカー２２００の正面図を描くことがあり（すなわち図２５Ａは図２２Ｂに類似していることがあり）、また図２５Ａには断面線２５Ｂ−２５Ｂも示されていることがある。断面線２５Ｂ−２５Ｂは、荷物受領ロッカー２２００の中間／中心を前から後に通過することがある。図２５Ｂは、断面線２５Ｂ−２５Ｂを通る荷物受領ロッカー２２００の断面図であることがある。側壁１０５のハニカム形状の内部リブ２３０１は、図２５Ｂに示されていることがある。レール２２０３を通る断面は、「Ｌ」字形ブラケットを示す、図２５Ｂに示されることがある。
【０２３９】
図２５Ｂは、所与の荷物受領ロッカー２２００の電子機器及び電子機器筐体構成要素の一部を通る断面も示すことがある。外部電子機器カバー２９０９及び電子機器カバー２９０７を通る断面は、図２５Ｂに見られることがある。一部の実施形態では、外部電子機器カバー２９０９は、蓋１１１の頂面上に置かれることがある。一部の実施形態では、外部電子機器カバー２９０９は、蓋１１１の頂面上に取り付けられることがある。一部の実施形態では、電子機器カバー２９０７は、蓋１１１の裏面上に置かれることがある。一部の実施形態では、電子機器カバー２９０７は、蓋１１１の裏面上に取り付けられることがある。一部の実施形態では、外部電子機器カバー２９０９は、ポケット２５０１が間に形成されるように、電子機器カバー２９０７の上に配置されることがある。コンピューティングデバイス１５００の様々な電子構成要素、回路、及び／又はハードウェアは、外部電子機器カバー２９０９と電子機器カバー２９０７との間のこのポケット２５０１内に収納されることがある。例えば本発明の範囲を限定することなく、ＰＣＢ２９０１（印刷回路基板２９０１）は、外部電子機器カバー２９０９と電子機器カバー２９０７との間のこのポケット２５０１内に収納されることがある。一部の実施形態では、ＰＣＢ２９０１は、コンピューティングデバイス１５００又はその一部を含むことがある。一部の実施形態では、ＰＣＢ２９０１は、１つ又は複数の処理装置１５０１、１つ又は複数のメモリ１５０３、外部通信用のＩ／Ｏ１５０５、Ｉ／Ｏ手段１５０７の一部（これに限定されないが、センサなど）、電源１５０９、及び／又はＧＰＳモジュール１５１１を含むことがある。一部の実施形態では、外部電子機器カバー２９０９は、外部インターフェース１１５を収納することがある。一部の実施形態では、外部電子機器カバー２９０９は、外部カメラ２９０３を収納することがある。一部の実施形態では、電子機器カバー２９０７は、内部カメラ２９０５を収納することがある。一部の実施形態では、電子機器カバー２９０７は、１つ又は複数の内面的に／内部に配向した／向けられた照明、センサ、及び／又はインターフェース手段（例えばポート／ジャック）、すなわちＩ／Ｏ手段１５０７の構成要素を含むことがある。一部の実施形態では、外部電子機器カバー２９０９は、１つ又は複数の外面的に／外部に配向した／向けられた照明、センサ、及び／又はインターフェース手段（例えばポート／ジャック）、すなわちＩ／Ｏ手段１５０７の構成要素を含むことがある。
【０２４０】
図２６Ａ〜図２６Ｅは荷物受領ロッカー２２００を描くことがあり、ドア取付構造３０００を描くことがある。図２６Ａ〜図２６Ｅは、図２３Ａ〜図２３Ｅと同様であることがあり、すなわち両方の組の図は、蓋１１１が少なくとも部分的に開いた状態で展開した／広げた荷物受領ロッカー２２００を示すことがあるが、ドア取付構造３０００も図２６Ａ〜図２６Ｅに示されていることがある。
【０２４１】
図２７Ａ〜図２７Ｅは荷物受領ロッカー２２００を描くことがあり、ドア取付構造３０００を描くことがある。図２７Ａ〜図２７Ｅは図２４Ａ〜図２４Ｅと同様であることがあり、すなわち両方の組の図は、蓋１１１が少なくとも部分的に開いた状態で部分的に展開した／折り畳んだ構成で荷物受領ロッカー２２００を示すことがあるが、ドア取付構造３０００も図２７Ａ〜図２７Ｅに示されていることがある。
【０２４２】
図２８Ａ〜図２８Ｅは荷物受領ロッカー２２００を描くことがあり、ドア取付構造３０００を描くことがある。図２８Ａ〜図２８Ｅは図２２Ａ〜図２２Ｅと同様であることがあり、すなわち両方の組の図は、蓋１１１が閉じた状態で実質的に（完全に）展開した／広げた荷物受領ロッカー２２００を示すことがあるが、ドア取付構造３０００も図２８Ａ〜図２８Ｅに示されていることがある。
【０２４３】
図２２６Ａ〜図２８Ｅでは、ドア取付構造３０００は、荷物受領ロッカー２２００の後壁１１９に取り付けられていることがある。図２２６Ａ〜図２８Ｅでは、ドア取付構造３０００は、荷物受領ロッカー２２００の折畳式ロッカー１０１の後壁１１９に取り付けられることがある。一部の実施形態では、ドア取付構造３０００は、後壁１１９に取り外し可能に取り付けられることがある。一部の実施形態では、ドア取付構造３０００は、後壁１１９に取り外し可能に摺動式であることがある。一部の実施形態では、ドア取付構造３０００は、中心レール３００１及び２つの対向する端部ブラケット３００３を含むことがある。一部の実施形態では、ＰＲＬ係合レール３０１３は、中心レール３００１上にあり、及び／又は中心レール３００１に取り付けられることがある。一部の実施形態では、中心レール３００１は、１つ又は複数のＰＲＬ係合レール３０１３を含むことがある。一部の実施形態では、ＰＲＬ係合レール３０１３は、後壁１１９のレール２２０３に取り外し可能に摺動係合することがある。例えば図２６Ｃ、図２６Ｄ、図２７Ｃ、図２７Ｄ、図２８Ｃ、図２８Ｄ、図３３Ｄ、図３４Ｃ、図３５Ａ、及び図３５Ｂを参照されたい。
【０２４４】
図３０Ａ〜図３０Ｃは、単にドア取付構造３０００を示すことがある（荷物受領ロッカー２２００の折畳式ロッカー１０１を示さない）。図３０Ａは、ドア取付構造３０００の斜視（等角）図を描くことがある。図３０Ｂは、ドア取付構造３０００の別の斜視（等角）図を描くことがある。図３０Ｃは、ドア取付構造３０００の分解斜視（等角）図を描くことがある。
【０２４５】
一部の実施形態では、ドア取付構造３０００は、中心レール３００１及び２つの対向する端部ブラケット３００３を含むことがある。一部の実施形態では、中心レール３００１は、細長くほとんどが平坦な部材であることがあり、ＰＲＬ係合レール３０１３はその片面にあり、端部ブラケット受領スロット３０１１はその反対側にある。一部の実施形態では、ＰＲＬ係合レール３０１３は、後壁１１９のレール２２０３と取り外し可能に摺動係合するためのレールであることがある。一部の実施形態では、ＰＲＬ係合レール３０１３は、中心レール３００１の全長を走ることがある。一部の実施形態では、ＰＲＬ係合レール３０１３への開口は、上方、下方、又は上方及び下方の両方に面することがある。一部の実施形態では、ＰＲＬ係合レール３０１３とレール２２０３との間の取り外し可能な取付は、１つ又は複数の磁石の使用によって更に促進されることがある。一部の実施形態では、端部ブラケット受領スロット３０１１は、所与の端部ブラケット３００３の挿入可能部３００５を受領するために中心レール３００１の端部におけるスロットであることがある。一部の実施形態では、中心レール３００１の少なくとも１端は、端部ブラケット受領スロット３０１１を有することがある。一部の実施形態では、中心レール３００１の長さに対して中心レール３００１の両方の対向する端部は、端部ブラケット受領スロット３０１１を有することがある。一部の実施形態では、端部ブラケット受領スロット３０１１は、中心レール３００１の全長を走ることがある。一部の実施形態では、中心レール３００１は、構造部材及び／又は負荷保持部材であることがある。一部の実施形態では、中心レール３００１は硬質であることがある。一部の実施形態では、中心レール３００１は、実質的に硬質若しくは硬質で、しっかりした、及び／又は堅固である（弾性ではなく、可撓性ではない）ことがある。一部の実施形態では、中心レール３００１は、金属、プラスチック、充填剤入りのプラスチック、複合材料、ラミネート、木材、それらの組合せ、及び／又は同種のものから作成されることがある。一部の実施形態では、中心レール３００１は、押出加工され、成形加工され、機械加工され、３Ｄ印刷され、それらの組合せ、及び／又は同種のものであることがある。一部の実施形態では、中心レール３００１は、固定した所定の長さを有することがある。一部の実施形態では、中心レール３００１の長さは、ドア４５１の幅より短いことがある。例えば図３０Ａ、図３０Ｂ、及び図３０Ｃを参照されたい。
【０２４６】
一部の実施形態では、中心レール３００１は、後壁１１９と一体化されることがある。一部の実施形態では、中心レール３００１は、中心レール３００１及び後壁１１９が常に一緒に移動するように、後壁１１９に永久に取り付けられることがある。
【０２４７】
中心レール３００１の長さに対して中心レール３００１の終端及び対向する端部のいずれか又は両方は、端部ブラケット３００３を有することがある。一部の実施形態では、端部ブラケット３００３のための目的及び／又は機能は、ドア４５１の幅に対してドア４５１の対向する端部／縁部／厚さを握り、掴み、圧搾し、係合し、及び／又は取り付けることであることがある。一部の実施形態では、端部ブラケット３００３は、中心レール３００１の長さに対して、中心レール３００１の対向する終端に取り付けられることがある。一部の実施形態では、端部ブラケット３００３は、実質的に硬質若しくは硬質で、しっかりした、及び／又は堅固である（弾性ではなく、可撓性ではない）ことがある。一部の実施形態では、端部ブラケット３００３は、中心レール３００１の長さに対して、中心レール３００１の対向する終端に取り外し可能に取り付けられることがある。一部の実施形態では、端部ブラケット３００３は、１つ又は複数の磁石を介して中心レール３００１に磁気的に取り付けられることがある。一部の実施形態では、端部ブラケット３００３は、中心レール３００１の長さに対して、中心レール３００１の対向する終端に永久に取り付けられることがある。一部の実施形態では、端部ブラケット３００３は、中心レール３００１の長さに対して、中心レール３００１の対向する終端に一体化することがある。一部の実施形態では、所与の端部ブラケット３００３は、１つ又は２つの屈曲を備えた実質的に平坦で平面部材であることがあり、１つの屈曲を備えた所与の端部ブラケット３００３は、実質的に「Ｌ」字形であることがあり、２つの屈曲を備えた所与の端部ブラケット３００３は、実質的に「Ｕ」字形であることがある。「Ｌ」字形構成では、短い部分（及び終端部）は、ドア厚さ係合部３００７として示されることがある。「Ｕ」字形構成では、「Ｕ」の鉢（ポケット）部は、ドア厚さ係合部３００７として示されることがある。ドア厚さ係合部３００７は、ドア４５１の幅に対して、ドア４５１の対向する厚さと物理的に接触することがある。一部の実施形態では、ドア厚さ係合部３００７の内部に、１つ又は複数の孔３００９があることがある。一部の実施形態では、所与の孔３００９は、そのそれぞれのドア厚さ係合部３００７を通る穴及び／又はスロットであることがある。一部の実施形態では、所与の孔３００９は、所与のドア厚さ係合部３００７を所与のドア４５１の厚さに螺合する、釘を打つ、ボルトで留める、及び／又は機械的に締め付けるのを促進することがある。一部の実施形態では、所与の孔３００９は、ストラップ３０２１にアンカー取付場所を提供することがある。所定の端部ブラケット３００３が中心レール３００１から取り外されることがある一部の実施形態では、所与の端部ブラケットは、挿入可能部３００５を含むことがある。端部ブラケット３００３の「Ｌ」字形構成では、長い部分は挿入可能部３００５であることがある。端部ブラケット３００３の「Ｕ」字形構成では、「Ｕ」の少なくとも１つの茎部は挿入可能部３００５であることがある。挿入可能部３００５の少なくとも一部（端部）は、中心レール３００１の端部ブラケット受領スロット３０１１の中に摺動挿入されることがある。一部の実施形態では、挿入可能部３００５が端部ブラケット受領スロット３０１１の中にどの程度変化して挿入され得るかにより、所定のドア取付構造３０００（中心レール３００１は固定した所定の長さを有する）は、異なる幅の異なるドア４５１と共に使用されることがある。例えば図３０Ａ、図３０Ｂ、及び図３０Ｃを参照されたい。
【０２４８】
注、一部の実施形態では、２つの対向する端部ブラケット３００３は、折畳式ロッカー１０１の対向する側面を超えて延在することがある、少なくとも２つの対向するパネルとして示されることがあり、少なくとも２つの対向するパネル（端部ブラケット３００３）は、ドア４５１のヒンジ側面（例えばヒンジ側面４６１及び非ヒンジ側面４５９）の幅により、ドア４５１のヒンジ側面の対向する側面を係合するように構成されることがある。一部の実施形態では、少なくとも２つの対向するパネル（端部ブラケット３００３）は、折畳式ロッカー１０１の側面の一方のみを超えて延在することがある。
【０２４９】
一部の実施形態では、所与のドア４５１の側面／縁部／厚さに物理的に触れることがある、ドア厚さ係合部３００７の内側部は、ドア厚さ係合部３００７と所与のドア４５１の側面／縁部／厚さとの間の摩擦を増加するために、滑り止め及び／又は他の手段を有することがある。
【０２５０】
一部の実施形態では、ドア４５１の幅に対して、ドア４５１の対向する端部／縁部／厚さを握り、掴み、圧搾し、係合し、及び／又は取り付ける、対向する端部ブラケット３００３の機能は、いくつかの方法で達成されることがある。一部の実施形態では、ストラップ３０２１は、両方の対向する端部ブラケット３００３から走ることがあり、２つの対向する端部ブラケット３００３は、ドア４５１の幅に対して、ドア４５１の２つの対向する端部／縁部／厚さに物理的に触れることがあり、２つの対向する端部ブラケット３００３の間でドア４５１上に発揮する圧搾力を提供する。一部の実施形態では、２つの対向する端部ブラケット３００３は、ドア４５１の幅に対して、ドア４５１の２つの対向する端部／縁部／厚さに釘を打つ、螺合する、ボルトで留める、及び／又は機械的に締め付けることがある。一部の実施形態では、挿入可能部３００５のそのそれぞれの端部ブラケット受領スロット３０１１の中への挿入は、挿入可能部３００５の端部ブラケット受領スロット３０１１への取付けを促進するために、磁石の使用によって更に補強されることがある。一部の実施形態では、挿入可能部３００５のそのそれぞれの端部ブラケット受領スロット３０１１の中への挿入は、更なる挿入が、ドア４５１の幅に対して、ドア４５１の２つの対向する端部／縁部／厚さにおいて２つの対向する端部ブラケット３００３の間に発揮される圧搾する力を増加するように、ラチェットバイスに類似した機能をするラチェットの機械的作用を含むことがある。このような手法で、ドア取付構造３０００は、ドア４５１に取り付けられる（一部の実施形態では取り外し可能に取り付けられる）ことがある。例えば図３２Ａ〜図３４Ｃを参照されたい。
【０２５１】
記載したように、一部の実施形態では、ストラップ３０２１は、ドア取付構造３０００を所与のドア４５１に取り外し可能に取り付けるために使用することがある。一部の実施形態では、ストラップ３０２１の生地及び／又は織物構成要素は、ウェビング、管状ウェビング、フーピー（hoopie）、又はフーピ（hoopi）と呼ばれることがある。一部の実施形態では、ストラップ３０２１の生地及び／又は織物構成要素は、実質的には合成材料、天然材料、又はそれらの組合せから作成されることがある。一部の実施形態では、ストラップ３０２１の生地及び／又は織物構成要素は、ナイロン、ポリプロピレン、ポリエステル、ケブラー、ダイニーマ、それらの組合せ、及び／又は同種のものの１つ又は複数から実質的に作成されることがある。一部の実施形態では、ストラップ３０２１は、縛り付けるストラップ、ラチェットストラップ、カムストラップ、及び／又は同種のものであることがある。一部の実施形態では、ストラップ３０２１は、ストラップ３０２１の対向する端部をしっかり締めるために、カムラチェット３０２３（又は同種のもの）を備え付けることがある。例えば図３０Ａ、図３０Ｂ、及び図３０Ｃを参照されたい。
【０２５２】
一部の実施形態では、ストラップ３０２１は、これに限定されないが、バンジーコードなどの弾性部材であることがあり、カムラチェット３０２３を必要としないことがある。一部の実施形態では、ストラップ３０２１は、各々の挿入可能部３００５を他方の挿入可能部３００５に向かって引くように、対向する挿入可能部３００５の間を走り、対向する挿入可能部３００５に取り付けられることがある。
【０２５３】
図２９は、荷物受領ロッカー２２００の正面左平面斜視（等角）図を描くことがあるが、荷物受領ロッカー２２００の構成要素の少なくとも一部は、分解して示されていることがある。例えば本発明の範囲を限定することなく、前壁１０３、後壁１１９、側壁１０５、蓋１１１、及び床面１２１の折畳式ロッカー１０１の主要構造構成要素は、互いに分解して示されることがある。例えば本発明の範囲を限定することなく、（底面）電子機器カバー２９０７は、蓋１１１の底面から分解して示されることがあり、外部インターフェース１１５、電源１５０９、ＰＣＢ２９０１、外部カメラ２９０３、及び内部カメラ２９０５も、蓋１１１から分解して示されることがある。例えば本発明の範囲を限定することなく、中心レール３００１、端部ブラケット３００３、及びストラップ３０２１のドア取付構造３０００の主要構造構成要素は、互いから分解して示されることがあり、ドア取付構造３０００は、後壁１１９から離れて分解して示されていることがある。
【０２５４】
図３１Ａ〜図３１Ｇは、荷物受領ロッカー２２００を様々な視野角からその完全に折り畳んだ構成で示すことがある。図３１Ａは、荷物受領ロッカー２２００の正面左平面斜視（等角）図を描くことがある。図３１Ｂは、荷物受領ロッカー２２００の背面左底面斜視（等角）図を描くことがある。図３１Ｃは、荷物受領ロッカー２２００の正面図を描くことがある。図３１Ｄは、荷物受領ロッカー２２００の背面（後面）図を描くことがある。（図３１Ｄ及び図３１Ｃ）は対向する図であることがある。）図３１Ｅは、荷物受領ロッカー２２００の側面図（左又は右）を描くことがある。（側面図は実質的に類似又は同一であることがある。）図３１Ｆは、荷物受領ロッカー２２００の平面図を描くことがある。図３１Ｇは、荷物受領ロッカー２２００の底面図を描くことがある。蓋ヒンジ３０５の一部は図３１Ａ及び図３１Ｆに見られることがあり、蓋ヒンジ３０５は、後壁１１９と蓋１１１との間でヒンジが動くことができることがある。一部の実施形態では、蓋ヒンジ３０５を介して、蓋１１１は、後壁１１９にヒンジで（枢動して）取り付けられることがある。一部の実施形態では、蓋ヒンジ３０５は、蓋１１１が折畳式ロッカー１０１に取り付けられることがある方法であることがある。
【０２５５】
カムロック３１０１及び後支持部３１０３は、図３１Ｂ、図３１Ｄ、図３１Ｅ、図３１Ｆ、及び図３１Ｇに見られることがある。１つ又は複数のカムロック３１０１は、穴２２０５から後壁１１９から突出することがある。２つのカムロック３１０１は、後壁１１９上に異なる高さで後壁１１９から突出することがある。少なくとも１つのカムロック３１０１は、レール２２０３とＰＲＬ係合レール３０１３との間の（前後の）摺動移動を防ぐために、後壁１１９を中心レール３００１のＰＲＬ係合レール３０１３に（取り外し可能に）固定するために１度に使用することがある。カムロック３１０１がしっかり締められる時に、張力及び／又は摩擦は、カムロック３１０１とＰＲＬ係合レール３０１３との間に発揮される。一部の実施形態では、カムロック３１０１の締付け又は弛緩は、蓋１１１が開くことがある時に、折畳式ロッカー１０１の内側からカムロック３１０１の裏側（背面）を取り扱うユーザによって行われることがある。所与のカムロック３１０１が、中心レール３００１の所与のＰＲＬ係合レール３０１３に対して取り外し可能に係合することがある方法を示す図３５Ｂも参照されたい。
【０２５６】
一部の実施形態では、１つ又は複数の後支持部３１０３は、後壁１１９の外部から突出することがある。一部の実施形態では、後壁１１９は、後壁１１９の外部表面から外方に突出する２つの後支持部３１０３を有することがある。一部の実施形態では、２つの後支持部３１０３は、互いから離れて配置されることがあり、それぞれは後側ヒンジにより近く、これらの２つの後側ヒンジは、荷物受領ロッカー２２００の異なる側面上にそれぞれが対向する。折畳式ロッカー１０１が所与のドア４５１に（取り外し可能に）取り付けられることがある時に、１つ又は複数の後支持部３１０３は、ドア外側４５５などのドア４５１の外部に対して加圧することがある。一部の実施形態では、後支持部３１０３の外部表面は、滑らない特性及び／又は緩衝特性を有することがある。例えば図３１Ｂ、図３１Ｄ、図３１Ｅ、図３１Ｆ、及び図３１Ｇを参照されたい。
【０２５７】
注、図３２Ａ〜図３５Ｂは、全てドア４５１の少なくとも一部及びそのドア４５１に関連した荷物受領ロッカー２２００の少なくとも一部を示すことがある。
【０２５８】
図３２Ａ〜図３２Ｄは、様々な視野角からドア４５１に取り外し可能に取り付けた、ドア取付構造３０００のみを示すことがある。荷物受領ロッカー２２００の折畳式ロッカー１０１の部分は、これらの図に示されていないことがある。図３２Ａは、斜視図からの、またドア外側４５５のこれを示すことがある。図３２Ｂは、正面図からの、またドア外側４５５のこれを示すことがある。図３２Ｃは、背面／裏面斜視図からの、またドア内側４５３のこれを示すことがある。また図３２Ｄは、ドア４５１の側面図からこれを示すことがある。図３２Ａ〜図３２Ｄでは、ドア取付構造３０００は、ドア４５１に取り外し可能に取り付けられることがある。一部の実施形態では、ドア取付構造３０００は、３０００がドア４５１上で下方に滑ることを防ぐ又は最小にするように、十分にしっかり締めてドア４５１に取り外し可能に取り付けられることがある。２つの対向する端部ブラケット３００３のそれぞれは、ドア４５１の対向する側面／縁部／厚さに物理的に触れることがあり、その端部が２つの端部ブラケット３００３のそれぞれに取り外し可能に取り付けられることがあるストラップ３０２１は、２つの端部ブラケット３００３のそれぞれが、ドア４５１のそのそれぞれの側面／縁部／厚さのそれぞれに対してしっかりと圧搾するように、カムラチェット３０２３を介してしっかり締められることがあり、このようにしてドア取付構造３０００は、ドア４５１に取り外し可能に取り付けられることがあり、ある手法で３０００はドア４５１上で下方に滑ることを防ぐ。一部の実施形態では、ドア取付構造３０００がドア４５１に取り付けられることがある時に、中心レール３０００の裏側（ＰＲＬ係合レール３０１３の反対側）は、ドア外側４５５に対して実質的に平らで平坦であることがある。
【０２５９】
一部の実施形態では、ドア取付構造３０００は、ドア４５１のそのそれぞれの側面／縁部／厚さに釘を打つ、螺合する、ボルトで留める、及び／又は機械的に取り付ける、２つの対向する端部ブラケット３００３により、ドア４５１に取り付けられることがある。一部の実施形態では、ドア取付構造３０００は、ドア４５１のそのそれぞれの側面／縁部／厚さに糊付けされる、２つの対向する端部ブラケット３００３により、ドア４５１に取り付けられることがある。
【０２６０】
一部の実施形態では、ドア取付構造３０００は、端部ブラケット３００３のドア厚さ係合部３００７が、ドア４５１のそれぞれの側面／縁部／厚さに対して圧搾されるように、中心レール３００１の端部ブラケット受領スロット３０１１にラチェット式に摺動して取り付けられた２つの対向する端部ブラケット３００３により、ドア４５１に取り付けられることがある。すなわち挿入可能部３００５及び端部ブラケット受領スロット３０１１は、ラチェット様式で互いに係合することがある。
【０２６１】
図３３Ａ〜図３５Ｂは、全て（例えばＰＲＬ係合レール３０１３と係合したレール２２０３を介して）中心レール３００１に取り外し可能に取り付けられた荷物受領ロッカー２２００の折畳式ロッカー１０１の部分を示すことがあり、ドア４５１に取り付けられたドア取付構造３０００を示すことがある。図３３Ａ〜図３３Ｄでは、折畳式ロッカー１０１は完全に（実質的に）折り畳んだ構成であることがある。図３４Ａ〜図３４Ｃでは、折畳式ロッカー１０１は完全に（実質的に）広げた／展開した構成であることがある。図３５Ａは、ドア取付構造３０００を介してドア４５１に取り付けられた折畳式ロッカー１０１の断側面図を示すことがある。図３５Ａは、３５Ｂとして示された詳細領域を含むことがある。図３５Ｂは、詳細領域３５Ｂの拡大図であることがある。
【０２６２】
図３３Ｂ及び図３４Ｂは、どちらもドア外側４５５の正面図であり、荷物受領ロッカー２２００の折畳式ロッカー１０１の部分が、ドア４５１の側面に対してドア４５１に（例えばドア取付構造３０００を介して）どの程度に非対称である（すなわち中心にない）かを示す。すなわち一部の適切な使用のために、荷物受領ロッカー２２００の折畳式ロッカー１０１の部分は、ドア４５１の側面に対してドア４５１上の中心にあるべきではない。一部の実施形態では、荷物受領ロッカー２２００の折畳式ロッカー１０１の部分は、荷物受領ロッカー２２００の折畳式ロッカー１０１の部分がヒンジ側面４６１により近く、非ヒンジ側面４５９から更に離れているように、ドア４５１に（例えばドア取付構造３０００を介して）取り付けられるべきである。例えば図１４Ａ〜図１４Ｅ及び上記のそれらのそれぞれの検討を、折畳式ロッカー１０１のこの位置付けが重要であることがある（すなわち折畳式ロッカー１０１がドア４５１に取り付けられることがある時であっても、ドア４５１が正常に開閉できる（すなわちドア４５１は完全に開くことができる））理由として参照されたい。
【０２６３】
一部の実施形態では、２８インチ〜３６インチの幅のドア４５１に対して、「ＳＢＬからヒンジ側面までの距離３４０１」の「ＳＢＬから非ヒンジ側面までの距離３４０３」に対する割合は、０．０〜０．８の範囲内（端点を含む）であることがあり、この割合の範囲内で、ドア４５１は、所与の荷物受領ロッカー１００／９００／２２００／３６００がドア４５１に取り付けられた状態であっても正常に開くことがある。例えば図３４Ｂを参照されたい。一部の実施形態では、この割合の範囲は、幅及び／又は深さ１８インチを有することがある、荷物受領ロッカー１００／９００／２２００／３６００の折畳式ロッカー１０１に関係することがある。一部の実施形態では、「ＳＢＬから非ヒンジ側面３４０３までの距離」は、所与の荷物受領ロッカー１００／９００／２２００／３６００がドア４５１に取り付けられた状態であってもドア４５１が正常に開く（すなわちドア４５１が完全に開くことができる）ために１０インチ以上が必要であることがある。
【０２６４】
一部の実施形態では、ドア外側４５５上の折畳式ロッカー１０１の位置付けが非対称であるのに加えて、この位置付けは、折畳式ロッカー１０１がドア外側４５５上で前後に移動することがないように、しっかりと固定されることもある。これは、ドア取付構造１５１／３０００と後壁１１９との間の締付け（例えばカムロック３１０１をＰＲＬ係合レール３０１３に対して締め付ける）によって達成されることがある。
【０２６５】
一部の実施形態では、荷物受領ロッカー２２００の折畳式ロッカー１０１の部分がドア４５１に取り付けられることがある時に、荷物受領ロッカー２２００の全ての部分は、地面／床面から持ち上げられることがある。一部の実施形態では、荷物受領ロッカー２２００の折畳式ロッカー１０１の部分がドア４５１に取り付けられることがある時に、荷物受領ロッカー２２００に地面／床面と触れる部分がないことがある。これは、所与の折畳式ロッカー１０１がそのドア４５１に取り付けられることがある時であっても、ドア４５１の自然な開閉が重要であることがあり、促進することがある。これは、アクセスドア／入口ドアがスムーズに開くことを必要とする消防規則への順守を促進することがある。例えば図３３Ａ〜図３５Ａを参照されたい。
【０２６６】
一部の実施形態では、荷物受領ロッカー２２００の折畳式ロッカー１０１の部分がドア４５１に取り付けられることがある時に、折畳式ロッカー１０１はその完全に（実質的に）折り畳んだ構成であることがある。例えば図３３Ａ〜図３３Ｄを参照されたい。
【０２６７】
一部の実施形態では、荷物受領ロッカー２２００の折畳式ロッカー１０１の部分がドア４５１に取り付けられることがある時に、折畳式ロッカー１０１はドア４５１の下半分に置かれることがある。一部の実施形態では、荷物受領ロッカー２２００の折畳式ロッカー１０１の部分がドア４５１に取り付けられることがある時に、折畳式ロッカー１０１は地面（折畳式ロッカー１０１のあらゆる車輪は別として）に触れないことがある。一部の実施形態では、荷物受領ロッカー２２００の折畳式ロッカー１０１の部分がドア４５１に取り付けられることがある時に、折畳式ロッカー１０１の壁は地面に触れないことがある。一部の実施形態では、荷物受領ロッカー２２００の折畳式ロッカー１０１の部分がドア４５１に取り付けられることがある時に、折畳式ロッカー１０１の上、下、及びいずれかの側面にドア４５１の部分があることがあり、この部分は折畳式ロッカー１０１によって覆われない。
【０２６８】
一部の実施形態では、荷物受領ロッカー２２００の折畳式ロッカー１０１の部分がドア４５１に取り付けられることがある時に、蓋１１１は開き、又／閉じることがある。一部の実施形態では、荷物受領ロッカー２２００の折畳式ロッカー１０１の部分がドア４５１に取り付けられることがある時に、物体は、蓋１１１がアクセスを制御することがある、単一の主要アクセス開口を通して折畳式ロッカー１０１に挿入され、又は折畳式ロッカー１０１から取り除かれることがある。例えば図３４Ａ〜図３４Ｃを参照されたい。
【０２６９】
図３６Ａ〜図３６Ｇは、荷物受領ロッカー３６００を描くことがあり、この荷物受領ロッカー３６００は、その蓋１１１が閉じ、実質的に（又は完全に）展開した（広げた）構成で示されていることがある。図３６Ａは、荷物受領ロッカー３６００の正面右平面斜視（等角）図を描くことがある。図３６Ｂは、荷物受領ロッカー３６００の裏面（背面）左平面斜視（等角）図を描くことがある。図３６Ｃは、荷物受領ロッカー３６００の正面図を描くことがある。図３６Ｄは、荷物受領ロッカー２２００の裏面（背面）図を描くことがある。（注、図３６Ｄ及び図３６Ｃは対向する図であることがある。）図３６Ｅは、荷物受領ロッカー３６００の平面図を描くことがある。図３６Ｆは、荷物受領ロッカー３６００の底面図を描くことがある。（注、図３６Ｆ及び図３６Ｅは対向する図であることがある。）図３６Ｇは、荷物受領ロッカー３６００の側面図（左又は右）を描くことがある。（荷物受領ロッカー３６００の側面図は実質的に類似又は同一であることがある。）
【０２７０】
荷物受領ロッカー３６００は、荷物受領ロッカー１００に対する（及び／又は荷物受領ロッカー９００に対する、及び／又は荷物受領ロッカー２２００に対する）追加実施形態又は代替実施形態であることがある。一部の実施形態では、荷物受領ロッカー３６００は、荷物受領ロッカー１００／９００／２２００と実質的に同じ目的を有することがある。一部の実施形態では、荷物受領ロッカー３６００は、荷物受領ロッカー１００／９００／２２００と実質的に同じ問題を解決することがある。一部の実施形態では、荷物受領ロッカー３６００は、荷物受領ロッカー１００／９００／２２００と実質的に同様に実行することがある。一部の実施形態では、荷物受領ロッカー３６００は、荷物受領ロッカー１００／９００／２２００と実質的に同様に機能することがある。一部の実施形態では、荷物受領ロッカー３６００は、特徴、部品、構成要素、幾何形状、構造、機構、作動、それらの組合せ及び／又は同種のものの少なくとも１つに関して、荷物受領ロッカー１００／９００／２２００と実質的に同様であることがある。従って荷物受領ロッカー３６００を示す図（例えば図３６Ａ〜図３６Ｇ）は、同様又は同じ特徴、部品、構成要素、幾何形状、構造、機構、及び／又は作動を参照するために、荷物受領ロッカー１００と共に使用するのと同じ参照番号を示すことがある。例えば本発明の範囲を限定することなく、一部の実施形態では、荷物受領ロッカー３６００は、折畳式ロッカー１０１を含むことがある。一部の実施形態では、折畳式ロッカー１０１は、蓋１１１、２つの対向する側壁１０５、前壁１０３、後壁１１９、床面１２１、及びコンピューティングデバイス１５００を含むことがある。これらの構成要素は、荷物受領ロッカー１００について実質的に上に記載した通りであることがある。
【０２７１】
しかし荷物受領ロッカー１００と荷物受領ロッカー３６００との間に若干違いがあることがあり、その一部は以下に論じられることがある。例えば本発明の範囲を限定することなく、一部の実施形態では、荷物受領ロッカー３６００は、少なくとも１つのレール２２０３、少なくとも１つのハンドルポケット３６０１、及び／又は少なくとも１つのドア取付構造３０００を含むことがある。
【０２７２】
一部の実施形態では、後壁１１９の外部は、１つ又は複数のレール２２０３を含むことがある（例えばレール２２０３の上の検討を参照されたい）。例えば図３６Ｂ及び図３６Ｄを参照されたい。一部の実施形態では、レール２２０３は、中心レール３００１のＰＲＬ係合レール３０１３に称賛して取り外し可能に摺動係合するために使用されることがある。
【０２７３】
一部の実施形態では、ハンドルポケット３６０１は、折畳式ロッカー１０１の外部におけるポケット、空洞、及び／又は開口であることがあり、ハンドル１１７は取り外し可能に収納されることがある。一部の実施形態では、ハンドルポケット３６０１は、折畳式ロッカー１０１の上部上に置かれることがある。一部の実施形態では、ハンドルポケット３６０１は、折畳式ロッカー１０１の背部上に置かれることがある。一部の実施形態では、ハンドルポケット３６０１は、折畳式ロッカー１０１の上背部上に置かれることがある。例えば図３６Ｂ、図３６Ｄ、及び図３６Ｅを参照されたい。注、荷物受領ロッカー３６００の一部の実施形態は、ハンドルポケット３６０１を利用しないことがある。
【０２７４】
図３７は、所与の荷物受領ロッカー２２００／３６００が所与のドア４５１に取り外し可能に取り付けられることがある方法のステップを示す流れ図であることがある。一部の実施形態では、図３７は、方法３７００の少なくとも一部のステップを描くことがある。一部の実施形態では、方法３７００は、所与の荷物受領ロッカー２２００／３６００を所与のドア４５１に取り付ける方法であることがある。一部の実施形態では、所与の荷物受領ロッカー２２００／３６００の所与のドア４５１へのこのような取付は、取り外し可能な取付であることがある。一部の実施形態では、方法３７００は、図２６Ａ〜図３０Ｃ及び／又は図３２Ａ〜図３５Ｂによって支持されることもある。一部の実施形態では、方法３７００は、ステップ１７０１、３７０３、３７０５、１７０９、１７１１、及び１７１３を含むことがある。一部の実施形態では、これらのステップの少なくとも１つは任意であることがある。
【０２７５】
図３７の検討を続けると、一部の実施形態では、ステップ１７０１は、ドア４５１を開くステップであることがある。一部の実施形態では、荷物受領ロッカー２２００／３６００のドア４５１への取り外し可能な取付は、ドア４５１を少なくとも部分的に開く必要があることがある。一部の実施形態では、ドア４５１は、荷物受領ロッカー２２００／３６００をドア４５１に取り外し可能に取り付けることができるために、閉じた状態から少なくとも３０度開く必要があることがある。一部の実施形態では、ドア４５１は、荷物受領ロッカー２２００／３６００をドア４５１に取り外し可能に取り付けることができるために、閉じた状態から少なくとも４５度開く必要があることがある。一部の実施形態では、ドア４５１は、荷物受領ロッカー２２００／３６００をドア４５１に取り外し可能に取り付けることができるために、閉じた状態から少なくとも６０度開く必要があることがある。一部の実施形態では、ドア４５１は、荷物受領ロッカー２２００／３６００をドア４５１に取り外し可能に取り付けることができるために、閉じた状態から少なくとも７０度開く必要があることがある。一部の実施形態では、ステップ１７０１はステップ３７０３に進むことがある。
【０２７６】
図３７の検討を続けると、一部の実施形態では、ステップ３７０３は、中心レール３００１を少なくとも一部が開いたドア４５１に取り付けるステップであることがある。一部の実施形態では、これは、２つの対向する端部ブラケット３００３の挿入可能部３００５が、中心レール３００１のそれぞれの端部ブラケット受領スロット３０１１の中に挿入されることを伴うことがある。これは、例えば図３２Ａ〜図３２Ｄに示されたように、各端部ブラケット３００３の２つのドア厚さ係合部３００７をドア４５１のそれぞれの対向する側面／縁部／厚さに対して置くことを更に伴うことがある。最後に、これは、各端部ブラケット３００３の２つの対向するドア厚さ係合部３００７が、ドア４５１のそのそれぞれの対向する側面／縁部／厚さに対して圧搾することを伴うことがある。これは、（１）２つの対向するドア厚さ係合部３００７に圧力を加えるためにストラップ３０２１を使用すること、及び／又は（２）２つの対向するドア厚さ係合部３００７をドア４５１のそれらのそれぞれの対向する側面／縁部／厚さに釘を打つ、螺合する、ボルトで留める、及び／又は機械的に締め付けること、及び／又は（３）２つの対向するドア厚さ係合部３００７をドア４５１のそれらのそれぞれの対向する側面／縁部／厚さに糊付けすること、及び／又は（４）挿入可能部３００５と端部ブラケット受領スロット３０１１との間のラチェット係合を使用することによって行われることがある。一部の実施形態では、ステップ３７０３は、ステップ３７０５に進むことがある。
【０２７７】
図３７の検討を続けると、一部の実施形態では、ステップ３７０５は、（荷物受領ロッカー２２００／３６００の）折畳式ロッカー１０１を中心レール３００１のＰＲＬ係合レール３０１３に取り付けるステップであることがある。一部の実施形態では、ステップ３７０５は、折畳式ロッカー１０１をドア取付構造３０００に取り付けるステップであることがある。ドア４５１が少なくとも部分的に開いた状態で、これは、折畳式ロッカー１０１のレール２２０３を中心レール３００１のＰＲＬ係合レール３０１３上で摺動することによって達成されることがある。例えば図３３Ｄ、図３４Ｃ、図３５Ａ、及び図３５Ｂを参照されたい。一部の実施形態では、ステップ３７０５の適切な完成は、少なくとも１つのレール２２０３が少なくとも１つのＰＲＬ係合レール３０１３によって全体的に係合されることがある時であることがある。例えば図３３Ａ、図３３Ｂ、図３４Ａ、及び図３４Ｂを参照されたい。一部の実施形態では、ステップ３７０５は、ステップ１７０９に進むことがある。
【０２７８】
図３７の検討を続けると、一部の実施形態では、ステップ１７０９は、ドア４５１上で荷物受領ロッカー２２００／３６００の位置調整が必要又は望ましいことがあるかどうかを判定するステップであることがある。一部の実施形態では、ドア４５１上の荷物受領ロッカー２２００／３６００の適正な位置／場所は、図１４Ｅ、図３３Ａ、図３３Ｂ、図３４Ａ、及び図３４Ｂに示されていることがあり、荷物受領ロッカー２２００／３６００は、非ヒンジ側面４５９よりヒンジ側面４６１の近く置かれている。ドア４５１上で荷物受領ロッカー２２００／３６００の位置／場所の調整が必要ない又は望ましくないことがある場合は、ステップ１７０９はステップ１７１３に進むことがある。ドア４５１上で荷物受領ロッカー２２００／３６００の位置／場所の調整が必要又は望ましいことがある場合は、ステップ１７０９はステップ１７１１に進むことがある。
【０２７９】
図３７の検討を続けると、一部の実施形態では、ステップ１７１３は、ドア４５１上に適正に位置付けられた荷物受領ロッカー２２００／３６００を取り外し可能に固定する（例えば締め付ける）ステップであることがある。一部の実施形態では、ステップ１７１３は、レール２２０３がＰＲＬ係合レール３０１３に沿って及びＰＲＬ係合レール３０１３に対してより長く自由に摺動することがあるように、カムロック３１０１を少なくとも１つのＰＲＬ係合レール３０１３に対して締め付けることに関与することがある。一部の実施形態では、所与のカムロック３１０１を締め付ける（緩める）ことは、蓋１１１を少なくとも部分的に開き、次いで所与のカムロック３１０１の背部／内部と係合する必要があることがある。
【０２８０】
図３７の検討を続けると、一部の実施形態では、ステップ１７１１は、荷物受領ロッカー２２００／３６００をドア４５１上の所望の位置／場所に調節するステップであることがある。一部の実施形態では、調節ステップ１７１１は、レール２２０３をＰＲＬ係合レール３０１３に沿って及びＰＲＬ係合レール３０１３に対して摺動することに関与することがある。一部の実施形態では、ステップ１７１１は、レール２２０３とＰＲＬ係合レール３０１３との間のこのような摺動移動を可能にするために、カムロック３１０１を緩めることを必要とすることがある。一部の実施形態では、ステップ１７１１は、ステップ１７０９に戻ることがある。
【０２８１】
一部の実施形態では、方法３７００は、折畳式ロッカー１０１を展開又は折り畳んで実行されることがある。
【０２８２】
一部の実施形態では、所与の荷物受領ロッカー１００／９００／２２００／３６００は、２つの主要サブアセンブリ、そのそれぞれの折畳式ロッカー１０１、及びそのそれぞれのドア取付構造１５１／３０００を有することがある。所与のドア取付構造１５１／３０００は、所与の荷物受領ロッカー１００／９００／２２００／３６００に取り付けることができる（一部の実施形態では取り外し可能に取り付けられる）ことがある。所与のドア取付構造１５１／３０００は、所与のドア４５１に取り付けることができる（一部の実施形態では取り外し可能に取り付けられる）ことがある。
【０２８３】
一部の実施形態では、所与のドア取付構造１５１／３０００は、所与のドア取付構造１５１／３０００の全長が、所定の範囲内で可変であることがあるように、摺動して調節可能であることがあり、所与のドア取付構造１５１／３０００は、固定した所定の幅の異なる側面ヒンジドア４５１に取り付けるように構成されることがある。例えば本発明の範囲を限定することなく、ドア４５１が３６インチの幅を有することがある時には、所与のドア取付構造１５１／３０００の全長（例えば少なくとも部分的に中心レール３００１の中に挿入した時に、中心レール３００１及び端部ブラケット３００３の長さ）は、ドア４５１の幅に対してより大きく、ドア４５１の両方の対向する側面を圧搾することができることがある。
【０２８４】
一部の実施形態では、ドア取付構造１５１／３０００の一部は、ドア４５１に触れることがあり、これに限定されないが、擦り及び摩擦などの損傷からドア４５１を守るために詰め物及び／又は同種のものを有することがある。
【０２８５】
一部の実施形態では、これに限定されないが、前壁１０３、側壁１０５、後壁１１９、床面１２１、及び／又は蓋１１１などの所与の折畳式ロッカー１０１の壁は、実質的に非管状及び／又は実質的に非円筒であることがある。
【０２８６】
注、一部の実施形態では、所与の折畳式ロッカー１０１の蓋１１１は、所与の折畳式ロッカー１０１の頂面上にないことがある。すなわち一部の実施形態では、所与の折畳式ロッカー１０１の内部への主要アクセス開口は、所与の折畳式ロッカー１０１の側面上にあることがあり、一部の実施形態では、蓋１１１は、次いで所与の折畳式ロッカー１０１の側面上にあることがある。
【０２８７】
注、一部の実施形態では、蓋１１１は、所与の折畳式ロッカー１０１の主要アクセス開口への複数の別個の蓋であることがある。
【０２８８】
一部の実施形態では、所与の折畳式ロッカー１０１が実質的に折り畳んだ構成にあることがある時、又は折畳式ロッカー１０１が実質的に広がった構成にあることがある時に、少なくとも１つの蓋１１１は、依然として開くことができることがある（これは、しかし少なくとも１つの蓋１１１をまずロック解除する必要があることがある）。一部の実施形態では、側面ヒンジドア４５１が開閉することがある時に、且つ折畳式ロッカー１０１の構成に拘わらず、少なくとも１つの蓋１１１は開くことができることがある（これは、しかし少なくとも１つの蓋１１１をまずロック解除する必要があることがある）。
【０２８９】
一部の実施形態では、所与の荷物受領ロッカー１００／９００／２２００／３６００の折畳式ロッカー１０１は、ドア４５１に（例えばドア取付構造１５１／３０００を介して）取り付けられることがあり、折畳式ロッカー１０１の壁（例えば後壁１１９）は物理的にドア４５１に触れないことがある。
【０２９０】
一部の実施形態では、本発明は、安全な物体の保存場所のためのシステムであることがあり、システムは、少なくとも１つの荷物受領ロッカー１００／９００／２２００／３６００及びＰＲＬ／ＳＢＬソフトウェアを含むことがある。
【０２９１】
一部の実施形態では、所与の荷物受領ロッカー１００／９００／２２００／３６００のあらゆるヒンジは、リビングヒンジ及び／又は一体型ヒンジ、トルクヒンジ、摩擦ヒンジ、及び／又はスプリングヒンジの１つ又は複数であることがある。
【０２９２】
一部の実施形態では、所与の荷物受領ロッカー１００／９００／２２００／３６００の少なくとも１つのヒンジは、リビングヒンジ及び／又は一体型ヒンジ、トルクヒンジ、摩擦ヒンジ、及び／又はスプリングヒンジであることがある。
【０２９３】
一部の実施形態では、荷物受領ロッカー１００／９００／２２００／３６００がその実質的に（完全に）展開した（広げた）構成にあることがある時、荷物受領ロッカー１００／９００／２２００／３６００のヒンジは、荷物受領ロッカー１００／９００／２２００／３６００の外部から見えないことがある。一部の実施形態では、荷物受領ロッカー１００／９００／２２００／３６００がその実質的に（完全に）展開した（広げた）構成にあることがある時、荷物受領ロッカー１００／９００／２２００／３６００の少なくとも１つのヒンジの少なくとも一部は、荷物受領ロッカー１００／９００／２２００／３６００の外部から見えることがある。
【０２９４】
一部の実施形態では、荷物受領ロッカー１００／９００／２２００／３６００のあらゆる壁及び／又はパネルは、実質的に平面であることがある。一部の実施形態では、荷物受領ロッカー１００／９００／２２００／３６００のあらゆる壁及び／又はパネルは、実質的に平坦であることがある。一部の実施形態では、荷物受領ロッカー１００／９００／２２００／３６００のあらゆる壁及び／又はパネルは、１つ又は複数の所定のパターンを備えて実質的に織り目加工されることがある。一部の実施形態では、荷物受領ロッカー１００／９００／２２００／３６００のあらゆる壁及び／又はパネルは、追加の構造強度のためにリブを付けられることがある。一部の実施形態では、荷物受領ロッカー１００／９００／２２００／３６００のあらゆる壁及び／又はパネルは、追加の構造強度のためにしわを寄せる、及び／又は起伏があることがある。一部の実施形態では、荷物受領ロッカー１００／９００／２２００／３６００のあらゆる壁及び／又はパネルは、硬く、非可撓性であり、硬質、又は半硬質であることがある。一部の実施形態では、荷物受領ロッカー１００／９００／２２００／３６００のあらゆる壁及び／又はパネルは、構造部材であることがある。一部の実施形態では、荷物受領ロッカー１００／９００／２２００／３６００のあらゆる壁及び／又はパネルは、実質的に不透明であることがある。一部の実施形態では、荷物受領ロッカー１００／９００／２２００／３６００のあらゆる壁及び／又はパネルは、金属、プラスチック、木材、ラミネート、複合材料、セラミック、それらの組合せ、及び／又は同種のものの１つ又は複数から実質的に構築されることがある。一部の実施形態では、荷物受領ロッカー１００／９００／２２００／３６００のあらゆる壁及び／又はパネルは、部分的に粉末で覆われるために実質的に粉末で覆われることがある。一部の実施形態では、荷物受領ロッカー１００／９００／２２００／３６００のあらゆる壁及び／又はパネルは、部分的にペンキを塗るために実質的にペンキを塗られることがある。
【０２９５】
一部の実施形態では、荷物受領ロッカー１００／９００／２２００／３６００の少なくとも１つの壁及び／又はパネルは、実質的に平面であることがある。一部の実施形態では、荷物受領ロッカー１００／９００／２２００／３６００の少なくとも１つの壁及び／又はパネルは、実質的に平坦であることがある。一部の実施形態では、荷物受領ロッカー１００／９００／２２００／３６００の少なくとも１つの壁及び／又はパネルは、１つ又は複数の所定のパターンを備えて実質的に織り目加工されることがある。一部の実施形態では、荷物受領ロッカー１００／９００／２２００／３６００の少なくとも１つの壁及び／又はパネルは、追加の構造強度のためにリブを付けられることがある。一部の実施形態では、荷物受領ロッカー１００／９００／２２００／３６００の少なくとも１つの壁及び／又はパネルは、硬く、非可撓性であり、硬質、又は半硬質であることがある。一部の実施形態では、荷物受領ロッカー１００／９００／２２００／３６００の少なくとも１つの壁及び／又はパネルは、構造部材であることがある。一部の実施形態では、荷物受領ロッカー１００／９００／２２００／３６００の少なくとも１つの壁及び／又はパネルは、追加の構造強度のためにしわを寄せる、及び／又は起伏があることがある。一部の実施形態では、荷物受領ロッカー１００／９００／２２００／３６００の少なくとも１つの壁及び／又はパネルは、実質的に不透明であることがある。一部の実施形態では、荷物受領ロッカー１００／９００／２２００／３６００の少なくとも１つの壁及び／又はパネルは、金属、プラスチック、木材、ラミネート、複合材料、セラミック、それらの組合せ、及び／又は同種のものの１つ又は複数から実質的に構築されることがある。一部の実施形態では、荷物受領ロッカー１００／９００／２２００／３６００の少なくとも１つの壁及び／又はパネルは、部分的に粉末で覆われるために実質的に粉末で覆われることがある。一部の実施形態では、荷物受領ロッカー１００／９００／２２００／３６００の少なくとも１つの壁及び／又はパネルは、部分的にペンキを塗るために実質的にペンキを塗られることがある。
【０２９６】
一部の実施形態では、荷物受領ロッカー１００／９００／２２００／３６００の壁及び／又はパネルの少なくとも１つの底部表面は、１つ又は複数の車輪、ローラ、キャスタ、摺動摩擦低減装置、及び／又は同種のものを含むことがある。
【０２９７】
一部の実施形態では、荷物受領ロッカー１００／９００／２２００／３６００の所与の折畳式ロッカー１０１は、固定した所定の寸法を有することがある。例えば本発明の範囲を限定することなく、一部の実施形態では、荷物受領ロッカー１００／９００／２２００／３６００の所与の折畳式ロッカー１０１は、その実質的に（完全に）広げた／展開した構成で、約１フィートの立方体、１フィート半の立方体、２フィートの立方体、２フィート半の立方体、１辺が３フィート、２辺が２フィートの直角プリズム、及び／又は同種のものの寸法を有することがあり、この文脈では「約」はプラスマイナス１インチであることがある。
【０２９８】
構造の材料として使用されるあらゆるプラスチックは、射出成形に適切な１つ又は複数の熱可塑性プラスチックであることがある。例えば本発明の範囲を限定することなく、このようなプラスチックは、アクリロニトリル・ブラジエン・スチレン（ＡＢＳ）、ポリ塩化ビニル（ＰＶＣ）、ポリカーボネート、ナイロン、ポリプロピレン、充填材入り若しくは無しのポリエチレン（例えばＨＤＰＥ）、及び／又は同種のものの１つ又は複数であることがある。充填材は、これに限定されないが、ガラス、炭素繊維、それらの組合せ、及び／又は同種のものを含むことがある。
【０２９９】
注、構造の材料に関して、それによってこのような開示のために本発明を必ずしも限定することを所望又は意図することはない。
【０３００】
一部の実施形態では、荷物受領ロッカー１００／９００／２２００／３６００の所与の折畳式ロッカー１０１は、ドア、ガレージドア、ロールアップドア、門、壁、塀、及び／又は同種のものの上に設置されることがある。
【０３０１】
一部の実施形態では、荷物受領ロッカー１００／９００／２２００／３６００の所与の折畳式ロッカー１０１は、完全に広げた／展開した構成のみに存在することがある、すなわち折畳式ではないことがある。
【０３０２】
荷物受領ロッカー（ＰＲＬ／ＳＢＬ）及びそれらの使用について記載された。本発明の前記の様々な例示的実施形態は、例示及び開示のために提示された。前記は、本発明を開示された正確な形に徹底する、又は限定することを意図するものではない。多くの修正及び変形が、上の教示に照らして、本発明の精神から逸脱することなく可能である。
【０３０３】
本発明は、最も実用的で好ましい実施形態であると現在考えられるものと関連して記載されたが、本発明は、開示された実施形態に限定されるべきではなく、反対に添付の特許請求の範囲の精神及び範囲内に含まれる様々な修正及び同等の構成を網羅することを意図することを理解されたい。
【図１Ａ】
2021526433.tif 000003
【図１Ｂ】
2021526433.tif 000004
【図１Ｃ】
2021526433.tif 000005
【図１Ｄ】
2021526433.tif 000006
【図１Ｅ】
2021526433.tif 000007
【図１Ｆ】
2021526433.tif 000008
【図１Ｇ】
2021526433.tif 000009
【図１Ｈ】
2021526433.tif 000010
【図２Ａ】
2021526433.tif 000011
【図２Ｂ】
2021526433.tif 000012
【図２Ｃ】
2021526433.tif 000013
【図２Ｄ】
2021526433.tif 000014
【図２Ｅ】
2021526433.tif 000015
【図２Ｆ】
2021526433.tif 000016
【図２Ｇ】
2021526433.tif 000017
【図３Ａ】
2021526433.tif 000018
【図３Ｂ】
2021526433.tif 000019
【図３Ｃ】
2021526433.tif 000020
【図３Ｄ】
2021526433.tif 000021
【図３Ｅ】
2021526433.tif 000022
【図３Ｆ】
2021526433.tif 000023
【図４Ａ】
2021526433.tif 000024
【図４Ｂ】
2021526433.tif 000025
【図４Ｃ】
2021526433.tif 000026
【図４Ｄ】
2021526433.tif 000027
【図４Ｅ】
2021526433.tif 000028
【図４Ｆ】
2021526433.tif 000029
【図４Ｇ】
2021526433.tif 000030
【図４Ｈ】
2021526433.tif 000031
【図５Ａ】
2021526433.tif 000032
【図５Ｂ】
2021526433.tif 000033
【図５Ｃ】
2021526433.tif 000034
【図５Ｄ】
2021526433.tif 000035
【図５Ｅ】
2021526433.tif 000036
【図５Ｆ】
2021526433.tif 000037
【図６Ａ】
2021526433.tif 000038
【図６Ｂ】
2021526433.tif 000039
【図７】
2021526433.tif 000040
【図８】
2021526433.tif 000041
【図９Ａ】
2021526433.tif 000042
【図９Ｂ】
2021526433.tif 000043
【図９Ｃ】
2021526433.tif 000044
【図９Ｄ】
2021526433.tif 000045
【図９Ｅ】
2021526433.tif 000046
【図９Ｆ】
2021526433.tif 000047
【図９Ｇ】
2021526433.tif 000048
【図９Ｈ】
2021526433.tif 000049
【図９Ｉ】
2021526433.tif 000050
【図１０】
2021526433.tif 000051
【図１１Ａ】
2021526433.tif 000052
【図１１Ｂ】
2021526433.tif 000053
【図１１Ｃ】
2021526433.tif 000054
【図１２Ａ】
2021526433.tif 000055
【図１２Ｂ】
2021526433.tif 000056
【図１２Ｃ】
2021526433.tif 000057
【図１３Ａ】
2021526433.tif 000058
【図１３Ｂ】
2021526433.tif 000059
【図１４Ａ】
2021526433.tif 000060
【図１４Ｂ】
2021526433.tif 000061
【図１４Ｃ】
2021526433.tif 000062
【図１４Ｄ】
2021526433.tif 000063
【図１４Ｅ】
2021526433.tif 000064
【図１５】
2021526433.tif 000065
【図１６】
2021526433.tif 000066
【図１７】
2021526433.tif 000067
【図１８】
2021526433.tif 000068
【図１９】
2021526433.tif 000069
【図２０】
2021526433.tif 000070
【図２１】
2021526433.tif 000071
【図２２Ａ】
2021526433.tif 000072
【図２２Ｂ】
2021526433.tif 000073
【図２２Ｃ】
2021526433.tif 000074
【図２２Ｄ】
2021526433.tif 000075
【図２２Ｅ】
2021526433.tif 000076
【図２２Ｆ】
2021526433.tif 000077
【図２２Ｇ】
2021526433.tif 000078
【図２３Ａ】
2021526433.tif 000079
【図２３Ｂ】
2021526433.tif 000080
【図２３Ｃ】
2021526433.tif 000081
【図２３Ｄ】
2021526433.tif 000082
【図２３Ｅ】
2021526433.tif 000083
【図２４Ａ】
2021526433.tif 000084
【図２４Ｂ】
2021526433.tif 000085
【図２４Ｃ】
2021526433.tif 000086
【図２４Ｄ】
2021526433.tif 000087
【図２４Ｅ】
2021526433.tif 000088
【図２５Ａ】
2021526433.tif 000089
【図２５Ｂ】
2021526433.tif 000090
【図２６Ａ】
2021526433.tif 000091
【図２６Ｂ】
2021526433.tif 000092
【図２６Ｃ】
2021526433.tif 000093
【図２６Ｄ】
2021526433.tif 000094
【図２６Ｅ】
2021526433.tif 000095
【図２７Ａ】
2021526433.tif 000096
【図２７Ｂ】
2021526433.tif 000097
【図２７Ｃ】
2021526433.tif 000098
【図２７Ｄ】
2021526433.tif 000099
【図２７Ｅ】
2021526433.tif 000100
【図２８Ａ】
2021526433.tif 000101
【図２８Ｂ】
2021526433.tif 000102
【図２８Ｃ】
2021526433.tif 000103
【図２８Ｄ】
2021526433.tif 000104
【図２８Ｅ】
2021526433.tif 000105
【図２９】
2021526433.tif 000106
【図３０Ａ】
2021526433.tif 000107
【図３０Ｂ】
2021526433.tif 000108
【図３０Ｃ】
2021526433.tif 000109
【図３１Ａ】
2021526433.tif 000110
【図３１Ｂ】
2021526433.tif 000111
【図３１Ｃ】
2021526433.tif 000112
【図３１Ｄ】
2021526433.tif 000113
【図３１Ｅ】
2021526433.tif 000114
【図３１Ｆ】
2021526433.tif 000115
【図３１Ｇ】
2021526433.tif 000116
【図３２Ａ】
2021526433.tif 000117
【図３２Ｂ】
2021526433.tif 000118
【図３２Ｃ】
2021526433.tif 000119
【図３２Ｄ】
2021526433.tif 000120
【図３３Ａ】
2021526433.tif 000121
【図３３Ｂ】
2021526433.tif 000122
【図３３Ｃ】
2021526433.tif 000123
【図３３Ｄ】
2021526433.tif 000124
【図３４Ａ】
2021526433.tif 000125
【図３４Ｂ】
2021526433.tif 000126
【図３４Ｃ】
2021526433.tif 000127
【図３５Ａ】
2021526433.tif 000128
【図３５Ｂ】
2021526433.tif 000129
【図３６Ａ】
2021526433.tif 000130
【図３６Ｂ】
2021526433.tif 000131
【図３６Ｃ】
2021526433.tif 000132
【図３６Ｄ】
2021526433.tif 000133
【図３６Ｅ】
2021526433.tif 000134
【図３６Ｆ】
2021526433.tif 000135
【図３６Ｇ】
2021526433.tif 000136
【図３７】
2021526433.tif 000137
【国際調査報告】
2021526433.tif 000138